(57)【特許請求の範囲】
【請求項１】
緊急インターネット上音声プロトコル（ＶｏＩＰ）通信を支援するユーザー機器（ＵＥ）であって、
送受信器と、
前記送受信器に結合されたプロセッサと、
前記プロセッサに結合されたメモリと、
を具備し、前記メモリは、
緊急ＶｏＩＰ呼出を確立するために、訪問先ネットワーク内の緊急呼出制御手段へ要求を送り、
前記ＵＥとネットワーク開始の位置選定手続きを推進するために、前記緊急呼出制御手段から開始メッセージを受取り、
前記ＵＥに関する最初の位置推定を取得するために、前記開始メッセージによって指定された位置選定サーバへ初期化メッセージを送り、
前記最初の位置推定および前記緊急呼出制御手段の経路指定要求に基づいて選択された公開安全性回答点（Public Safety Answering Point：ＰＳＡＰ）と前記緊急ＶｏＩＰ呼出を確立するように、
前記プロセッサを構成する命令を備え、
前記プロセッサは、前記緊急ＶｏＩＰ呼出のためにホーム・ネットワークによって登録するためＳＩＰ  ＲＥＧＩＳＴＥＲを送るようにさらに構成される、
ユーザー機器（ＵＥ）。
【発明の詳細な説明】
【優先権の主張】
【０００１】
本出願は、２００５年８月２日出願の「インターネット上音声プロトコル緊急呼出支援（VOICE-OVER INTERNET PROTOCOL EMERGENCY CALL SUPPORT）」と題する仮米国出願番号第６０／７０４，９７７号、２００５年８月３０日出願の「ＶＯＩＰ緊急呼出支援（VOIP EMERGENCY CALL SUPPORT）」と題する仮米国出願番号第６０／７１３，１９９号、２００５年１０月１３日出願の「ＶＯＩＰ緊急呼出支援（VOIP EMERGENCY CALL SUPPORT）」と題する仮米国出願番号第６０／７２６，６９４号、２００５年１０月３１日出願の「ＶＯＩＰ緊急呼出支援（VOIP EMERGENCY CALL SUPPORT）」と題する仮米国出願番号第６０／７３２，２２６号、及び２００５年１２月９日出願の「ＳＵＰＬを使用する緊急ＶｏＩＰ呼出の支援（SUPPORT FOR EMERGENCY VoIP CALLS USING SUPL）」と題する仮米国出願番号第６０／７４８，８２１号に対する優先権を主張するものであり、全てはこの譲請人に譲渡され、ここに引例により組込まれている。
【発明の分野】
【０００２】
本開示は一般に通信に関係し、特に緊急呼出（emergency calls）を支援する技術に関係する。
【発明の背景】
【０００３】
無線通信ネットワークは音声、ビデオ、パケット・データ、メッセージ通信、放送、等々といった様々な通信サービスを提供するために広く展開されている。これらの無線ネットワークは利用可能なネットワーク資源を共有することによって多数のユーザーのために通信を支援することが可能な多元接続ネットワークである。そのような多元接続ネットワークの例は符号分割多元接続（ＣＤＭＡ）ネットワーク、時分割多元接続（ＴＤＭＡ）ネットワーク、周波数分割多元接続（ＦＤＭＡ）ネットワーク、及び直交ＦＤＭＡ（ＯＦＤＭＡ）ネットワークを含む。
【０００４】
無線ネットワークは一般的にこれらのネットワークとサービス予約している無線ユーザーのための通信を支援する。サービス予約は安全性、経路指定（routing）、サービス品質（ＱｏＳ）、請求書作成（billing）、等々に関する情報と関連する。予約関連情報は無線ネットワークとの呼出（calls）を確立するために使用される。
【０００５】
そのユーザーのために無線ネットワークによって提供される最も基本的なサービスの一つは音声呼出を送信し、且つ受信する能力である。このサービスの最近の一つの強化はインターネット上音声プロトコル（ＶｏＩＰ）呼出を送信し、受信できることである。ＶｏＩＰ呼出は専用トラヒック・チャネルの代わりに他のパケット・データのように経路指定されるパケットで音声データが送られる音声呼出である。
【０００６】
無線ユーザーはユーザーがサービス予約しているホーム・ネットワークであっても、なくても無線ネットワークによって緊急音声または他のメディア呼出を行う。そのような呼出はＶｏＩＰを使用する。主要な課題は呼出を提供できる適切な公開安全性回答点（Public Safety Answering Point：ＰＳＡＰ）に緊急呼出を送ることである。これはユーザーのために暫定位置推定を取得し、そして暫定位置推定に基づいて適切なＰＳＡＰを決定することを必要とする。ユーザーが徘徊（ローミング）していたり、そして／或いはネットワークとのサービス予約を全くしていなければ、問題は複雑である。
【０００７】
従って、緊急呼出及び緊急ＶｏＩＰ呼出を支援するための技術が当技術分野において必要である。
【発明の概要】
【０００８】
緊急インターネット上音声プロトコル（Voice-over-Internet Protocol：ＶｏＩＰ）呼出を支援する技術をここに述べる。その技術は様々な３ＧＰＰ及び３ＧＰＰ２ネットワーク、様々な位置選定（location）アーキテクチャ、及びサービス予約有り及びサービス予約なしのユーザー機器（User Equipments：ＵＥ）のために使用される。
【０００９】
実施例では、ＵＥは緊急ＶｏＩＰ呼出を確立する要求を送信するために訪問先ネットワーク（visited network）によって通信する。ＵＥは訪問先ネットワークによってＵＥに関する最初の位置推定を取得するために指示された位置選定サーバ（location server）と交信する。ＵＥはＰＳＡＰによって緊急ＶｏＩＰ呼出を確立するために訪問先ネットワークを介して呼出設定を行うが、それは最初の位置推定に基づいて選択される。その後、ＵＥは、例えば、ＰＳＡＰによって要求されれば、ＵＥのために更新された位置推定を取得するために位置選定サーバによって位置決めを行う。緊急ＶｏＩＰ呼出の様々な詳細は下記で述べる。
【００１０】
開示の様々な形態及び実施例はまた下記で更に詳細に述べる。
【００１１】
開示の形態及び実施例は同様な参照符号が全体にわたり対応して同一である図面と関連して取られる以下に始まる詳細な説明からさらに明らかになるであろう。
【図面の簡単な説明】
【００１２】
【図１】緊急ＶｏＩＰ要求を支援する配置を示す。
【図２】３ＧＰＰネットワーク・アーキテクチャを示す。
【図３】３ＧＰＰネットワーク・アーキテクチャを示す。
【図４】ＳＵＰＬ位置選定による緊急ＶｏＩＰ呼出に関するネットワーク・アーキテクチャ及びメッセージ・フローを示す。
【図５】ＳＵＰＬ位置選定による緊急ＶｏＩＰ呼出に関するネットワーク・アーキテクチャ及びメッセージ・フローを示す。
【図６】３ＧＰＰ制御平面位置選定による緊急ＶｏＩＰ呼出に関するネットワーク・アーキテクチャ及びメッセージ・フローを示す。
【図７】３ＧＰＰ制御平面位置選定による緊急ＶｏＩＰ呼出に関するネットワーク・アーキテクチャ及びメッセージ・フローを示す。
【図８】Ｘ．Ｓ００２４位置選定による緊急ＶｏＩＰ呼出に関するネットワーク・アーキテクチャ及びメッセージ・フローを示す。
【図９】Ｘ．Ｓ００２４位置選定による緊急ＶｏＩＰ呼出に関するネットワーク・アーキテクチャ及びメッセージ・フローを示す。
【図１０】サービス予約なしのＵＥのための緊急ＶｏＩＰ呼出に関するネットワーク・アーキテクチャ及びメッセージ・フローを示す。
【図１１】サービス予約なしのＵＥのための緊急ＶｏＩＰ呼出に関するネットワーク・アーキテクチャ及びメッセージ・フローを示す。
【図１２】図１〜３におけるいくつかの実機のブロック図を示す。
【好ましい実施形態の詳細な説明】
【００１３】
用語「典型的な（exemplary）」は「例（example）、事例（instance）、または例示（illustration）として役立つ」ことを意味するものとしてここでは使用される。「典型的な」としてここに記述された実施例或いは雛形（design）は他の実施例に対して好ましい、或いは有利であると必ずしも解釈されるべきものではない。
【００１４】
緊急ＶｏＩＰ要求を支援するための技術をここに述べる。緊急ＶｏＩＰ呼出は緊急サービスのためのＶｏＩＰ呼出またはパケット交換呼出である。下記で述べるように、緊急ＶｏＩＰ呼出はそういったものとして識別され、そしていくつかの様式で通常のＶｏＩＰ呼出と区別される。緊急ＶｏＩＰ呼出は通常のＶｏＩＰ呼出と異なり、例えば、ユーザーに対して適切な位置推定を取得し、緊急ＶｏＩＰ呼出を適切な緊急ＶｏＩＰ呼出に経路指定するなどといった、様々な特徴と関連する。位置推定はまた場所推定、位置決定等とも呼ばれる。
【００１５】
図１は緊急ＶｏＩＰ要求を支援する配置１００を示す。ユーザー機器（ＵＥ）１１０は基本ＩＰ通信サービスを取得するためにアクセス・ネットワーク１２０によって通信する。ＵＥ１１０は静止、或いは移動可能であり、そしてまた移動局（ＭＳ）、端末、加入者局、局、または他の用語で呼ばれる。ＵＥ１１０はセルラー電話、携帯情報機器（ＰＤＡ）、無線デバイス、ラップトップ・コンピュータ、遠隔測定デバイス、追跡デバイス等である。ＵＥ１１０は一以上の基地局及び／またはアクセス・ネットワークにおける一以上のアクセス点と通信する。ＵＥ１１０はまた一以上の衛星１９０から信号を受信する。それらの衛星は全地球測位システム（ＧＰＳ）、ヨーロッパのガリレオ・システム、ロシアのグロナス・システム、またはあらゆる汎地球航行衛星システム（Global Navigation Satellite System ：ＧＮＳＳ）の一部である。ＵＥ１１０はアクセス・ネットワーク１２０において基地局からの信号及び／または衛星１９０からの信号を測定し、そして衛星に関する疑似距離測定値及び／または基地局に関するタイミング測定値を取得する。疑似距離測定値及び／またはタイミング測定値は援用ＧＰＳ（ＡＧＰＳ）、単独ＧＰＳ、先端順方向回線三辺測定（Ａ-ＦＬＴ）、強化観測時間差（Ｅ-ＯＴＤ）、到着観測時間差（ＯＴＤＯＡ）、強化セルＩＤ、等々といった当技術分野において周知の位置決め方法の一つまたは組合せを使用してＵＥ１１０に関する位置推定を得るために使用される。
【００１６】
アクセス・ネットワーク１２０はアクセス・ネットワークの通信区域の中に位置するＵＥのために無線通信を提供する。下記で述べるように、アクセス・ネットワーク１２０は基地局ネットワーク制御器、及び／または他の実体を含む。訪問先ネットワーク（visited network）１３０はまた訪問先公衆地上移動ネットワーク（Visited Public Land Mobile Network：Ｖ-ＰＬＭＮ）と呼ばれ、ＵＥ１１０に現在サービス中のネットワークである。ホーム・ネットワーク１６０はまたホームＰＬＭＮ（Ｈ-ＰＬＭＮ）と呼ばれ、ＵＥ１１０が予約をしているネットワークである。アクセス・ネットワーク１２０は訪問先ネットワーク１３０と関連する。訪問先ネットワーク１３０及びホーム・ネットワーク１６０はまた同じか、或いは別のネットワークである。訪問先ネットワーク１３０及びホーム・ネットワーク１６０はローミング合意が有ったり、或いは無いこともある。ネットワーク１３０及び１６０はデータ接続性、位置選定サービス、及び／または他の機能及びサービスを提供する実体を各々含む。
【００１７】
ネットワーク１７０は公衆交換電話ネットワーク（Public Switched Telephone Network：ＰＳＴＮ）、インターネット、及び／または他の音声及びデータ・ネットワークを含む。ＰＳＴＮは従来の単純な古い電話サービス（ＰＯＴＳ）のための通信を支援する。ＰＳＡＰ１８０は緊急呼出（例えば、警察、火災、及び医療サービスのために）に答える責任がある実体であり、そしてまた緊急センター（Emergency Center：ＥＣ） とも呼ばれる。そのような呼出は北米では９１１、或いはヨーロッパでは１１２といったいくつかの周知の固定番号をユーザーがダイアルしたとき開始される。ＰＳＡＰ１８０は一般的に政府機関、例えば、県または市によって管理され、或いは所有される。ＰＳＡＰ１８０はＶｏＩＰ呼出のためにＩＰ接続を支援し、従ってセッション開始プロトコル（Session Initiation Protocol：ＳＩＰ）を支援し、それはＶｏＩＰのようなＩＰに基づいて対話型ユーザー・セッションを開始し、変更し、且つ終結させるための信号通信プロトコルである。代りに、或いはその上に、ＰＳＡＰ１８０はＰＳＴＮ１７０による通信を支援する。
【００１８】
ここに述べた技術はＤＳＬ及びケーブルのような有線ネットワークから発する緊急ＶｏＩＰ呼出、及び無線広域ネットワーク（ＷＷＡＮ）、無線ローカル・エリア・ネットワーク（ＷＬＡＮ）、無線大都市圏ネットワーク（ＷＭＡＮ）、及びＷＷＡＮとＷＬＡＮの通信区域を持つ無線ネットワークから発する緊急ＶｏＩＰ呼出のために使用される。ＣＤＭＡネットワークは広帯域ＣＤＭＡ（Ｗ-ＣＤＭＡ）、ｃｄｍａ２０００といった一以上の無線技術を実施する。ｃｄｍａ２０００はＩＳ-２０００、ＩＳ-８５６、及びＩＳ-９５を網羅し、ＩＰ支援を最適化するためにＥｖ-ＤＯ改訂版を含む。ＴＤＭＡネットワークは汎欧州ディジタル・セルラー・システム（ＧＳＭ（登録商標））、先端ディジタル移動電話システム（Ｄ-ＡＭＰＳ）、等々といった一以上の無線技術を実施する。Ｄ-ＡＭＰＳはＩＳ-２４８及びＩＳ-５４を網羅する。Ｗ-ＣＤＭＡ及びＧＳＭは第三世代共同プロジェクト（３ＧＰＰ）と名付けられた組織団体からの文書に記載されている。ｃｄｍａ２０００は第三世代共同プロジェクト２（３ＧＰＰ２）と名付けられた組織団体からの文書に記載されている。３ＧＰＰ及び３ＧＰＰ２文書は公に利用可能である。ＷＬＡＮはＩＥＥＥ ８０２．１１のような無線技術を実施する。ＷＭＡＮはＩＥＥＥ ８０２．１６のような無線技術を実施する。これらの様々な無線技術及び規格は当技術分野において既知である。
【００１９】
図２は３ＧＰＰネットワーク・アーキテクチャを示す。ＵＥ１１０は３ＧＰＰアクセス・ネットワーク１２０ａまたはＷＬＡＮアクセス・ネットワーク１２０ｂを介して無線アクセスを得る。３ＧＰＰアクセス・ネットワーク１２０ａはＧＳＭ ＥＤＧＥ無線アクセス・ネットワーク（ＧＥＲＡＮ）、汎用地上無線アクセス・ネットワーク（ＵＴＲＡＮ）、進化ＵＴＲＡＮ（Ｅ-ＵＴＲＡＮ）、または他のいくつかのアクセス・ネットワークである。3３ＧＰＰアクセス・ネットワーク１２０ａは基地局２１０、基地局サブシステム（ＢＳＳ）／無線ネットワーク制御器（ＲＮＣ）２１２、及び図２に示していない他の実体を含む。基地局はまたノードＢ、強化ノードＢ（ｅ-ノードＢ）、基地送受信局（ＢＴＳ）、アクセス点（ＡＰ）、または他のいくつかの用語で呼ばれる。ＷＬＡＮ １２０ｂはアクセス点２１４を含み、そしてどれかのＷＬＡＮである。
【００２０】
Ｖ-ＰＬＭＮは図１における訪問先ネットワーク１３０の一実施例であり、そしてＶ-ＰＬＭＮコア・ネットワーク２３０ａ及びＶ-ＰＬＭＮ位置選定実体２７０ａを含む。Ｖ-ＰＬＭＮコア・ネットワーク２３０ａはサービスＧＰＲＳ支援ノード（ＳＧＳＮ）２３２ａ、ゲートウェイＧＰＲＳ支援ノード（ＧＧＳＮ）２３２ｂ、ＷＬＡＮアクセス・ゲートウェイ（ＷＡＧ）２３４、及びパケット・データ・ゲートウェイ（ＰＤＧ）２３６を含む。ＳＧＳＮ ２３２ａ及びＧＧＳＮ ２３２ｂは一般パケット無線サービス（ＧＰＲＳ）コア・ネットワークの一部であり、そして３ＧＰＰアクセス・ネットワーク１２０ａによって通信するＵＥのためにパケット交換サービスを提供する。ＷＡＧ ２３４及びＰＤＧ ２３６は３ＧＰＰ相互動作ＷＬＡＮ（Ｉ-ＷＬＡＮ）コア・ネットワークの一部であり、そしてＷＬＡＮ１２０ｂによって通信するＵＥのためにパケット交換サービスを提供する。
【００２１】
Ｖ-ＰＬＭＮコア・ネットワーク２３０ａはホーム加入者サーバ（ＨＳＳ）２５０を含み、そしてプロキシ呼出セッション制御機能（Ｐ-ＣＳＣＦ）２５２、緊急ＣＳＣＦ（Ｅ-ＣＳＣＦ）２５４、問合わせＣＳＣＦ（Ｉ-ＣＳＣＦ）２５６、及びメディア・ゲートウェイ制御機能（ＭＧＣＦ）２５８を含む様々なＩＰマルチメディア・サブシステム（ＩＭＳ）実体を含む。Ｐ-ＣＳＣＦ ２５２、Ｅ-ＣＳＣＦ ２５４、Ｉ-ＣＳＣＦ ２５６及びＭＧＣＦ ２５８はＩＭＳサービス、例えば、ＶｏＩＰ呼出を支援し、そしてＶ-ＰＬＭＮＩＭＳネットワークの一部である。Ｐ-ＣＳＣＦ ２５２はＵＥから要求を受入れ、そして内部でこれらの要求にサービスを行い、或いは要求を他の実体へ、恐らくは翻訳して、送る。Ｅ-ＣＳＣＦ ２５４はＵＥのためにセッション制御サービスを行い、そしてＩＭＳ緊急サービスを支援するために使用されるセッション状態を維持する。Ｅ-ＣＳＣＦ ２５４はさらに緊急ＶｏＩＰ呼出を支援する。ＭＧＣＦ ２５８はＳＩＰ／ＩＰ及びＰＳＴＮ（例えば、ＳＳ７ ＩＳＵＰ）の間で信号通信変換を指示し、そして一ユーザーからのＶｏＩＰ呼出がＰＳＴＮユーザーへ行くときはいつでも使用される。ＨＳＳ ２５０はＶ-ＰＬＭＮ １３０ａがホーム・ネットワークであるＵＥのために予約関連の情報を記憶する。
【００２２】
Ｖ-ＰＬＭＮ位置選定実体２７０ａは緊急サービスＳＵＰＬ位置選定プラットフォーム（Ｅ-ＳＬＰ）２７２及び訪問先ＳＬＰ（Ｖ-ＳＬＰ）２７４を含み、それはＯＭＡ安全ユーザー平面位置選定（Secure User Plane Location：ＳＵＰＬ）を支援する。Ｖ-ＳＬＰ ２７４はＶ-ＰＬＭＮ １３０ａに対して別のネットワーク内にあるか、または関連しており、そして／或いは地理的にさらにＵＥ １１０に近い。代りに、或いはその上に、Ｖ-ＰＬＭＮ位置選定実体２７０ａは、ゲートウェイ移動体位置選定センター（ＧＭＬＣ）２７６を含み、それは３ＧＰＰ制御平面位置選定の一部である。Ｅ-ＳＬＰ ２７２、Ｖ-ＳＬＰ２７４及びＧＭＬＣ ２７６はＶ-ＰＬＭＮ １３０ａによって通信しているＵＥのために位置選定サービスを提供する。
【００２３】
Ｈ-ＰＬＭＮは図１におけるホーム・ネットワーク１６０の一つの実施例であり、そしてＨ-ＰＬＭＮコア・ネットワーク２６０を含む。Ｈ-ＰＬＭＮコア・ネットワーク２６０はＨＳＳ ２６６を含み、そしてさらにホーム・ネットワーク１６０のためにＩＮＳを支援するＩ-ＣＳＣＦ ２６２及びサービスＣＳＣＦ（Ｓ-ＣＳＣＦ）２６４といったＩＭＳ実体を含む。Ｉ-ＣＳＣＦ ２６２及び-ＣＳＣＦ ２６４はＨ-ＰＬＭＮ ＩＭＳネットワークの一部である。
【００２４】
図３は３ＧＰＰ２ネットワーク・アーキテクチャを示す。ＵＥ １１０は３ＧＰＰ２アクセス・ネットワーク１２０ｃまたはＷＬＡＮアクセス・ネットワーク１２０ｄを介して無線アクセスを得る。３ＧＰＰ２アクセス・ネットワーク１２０ｃはＣＤＭＡ２０００１Ｘネットワーク、ＣＤＭＡ２０００ １×ＥＶ-ＤＯネットワーク、または他のいくつかのアクセス・ネットワークである。３ＧＰＰ２アクセス・ネットワーク１２０ｃは基地局２２０、無線資源制御／パケット制御機能（ＲＲＣ／ＰＣＦ）２２２、及び図３に示していない他の実体を含む。ＲＲＣはまた無線ネットワーク制御器（ＲＮＣ）または基地局と呼ばれる。３ＧＰＰ２アクセス・ネットワーク１２０ｃはまた無線アクセス・ネットワーク（ＲＡＮ）と呼ばれる。ＷＬＡＮ １２０ｄはアクセス点２２４を含み、そして３ＧＰＰ２ネットワークと関連するいずれかのＷＬＡＮである。
【００２５】
Ｖ-ＰＬＭＮ １３０ｂは図１における訪問先ネットワーク１３０の別の実施例であり、そしてＶ-ＰＬＭＮコア・ネットワーク２３０ｂ及び３ＧＰＰ２位置選定実体２７０ｂを含む。Ｖ-ＰＬＭＮコア・ネットワーク２３０ｂはパケット・データ・サービス・ノード（ＰＤＳＮ）２４２、パケット・データ相互動作機能（ＰＤＩＦ）２４４、及び認証、承認、及び会計（ＡＡＡ）サーバ２４６を含む。ＰＤＳＮ ２４２及びＰＤＩＦ ２４４は３ＧＰＰ２アクセス・ネットワーク１２０ｃ及びＷＬＡＮ １２０ｄによってそれぞれ通信するＵＥのためにパケット交換サービスを提供する。Ｖ-ＰＬＭＮコア・ネットワーク２３０ｂはまたＰ-ＣＳＣＦ ２５２、Ｅ-ＣＳＣＦ ２５４、Ｉ-ＣＳＣＦ ２５６及びＭＧＣＦ２５８といったＩＭＳまたはマルチメディア・ドメイン（ＭＭＤ）実体を含む。Ｅ-ＣＳＣＦ ２５４はまたＥＳ-ＡＭ（緊急サービス・アプリケーション・マネージャ）といった他の名前を持つ。
【００２６】
３ＧＰＰ２位置選定実体２７０ｂはＳＵＰＬに関するＥ-ＳＬＰ ２７２及びＶ-ＳＬＰ２７４を含む。代りに、もしくはその上に、３ＧＰＰ２位置選定実体２７０ｂは緊急サービス位置サーバ（Ｅ-ＰＳ）２８２及び訪問先位置サーバ（Ｖ-ＰＳ）／位置決定実体（ＰＤＥ）２８４を含み、それらはｃｄｍａ２０００ネットワークのためのＸ．Ｓ００２４位置選定の一部である。Ｅ-ＰＳ ２８２はまた代理位置サーバ（Ｓ-ＰＳ）とも呼ばれる。Ｅ-ＳＬＰ ２７２、Ｖ-ＳＬＰ ２７４、Ｅ-ＰＳ ２８２、及びＶ-ＰＳ／ＰＤＥ ２８４はＶ-ＰＬＭＮ １８０ｂによって通信しているＵＥのために位置選定サービスを提供する。
【００２７】
簡単にするために 、図２及び３は３ＧＰＰ及び３ＧＰＰ２におけるいくつかの実体だけを示し、それは下の記述において参照される。３ＧＰＰ及び３ＧＰＰ２ネットワークは３ＧＰＰ及び３ＧＰＰ２によって定義された他の実体を含む。
【００２８】
次の説明では、３ＧＰＰネットワークは３ＧＰＰネットワークと共に動作する他のネットワーク及びネットワーク・サブシステム（例えば、ＷＬＡＮ）と同様に３ＧＰＰによって定義されたネットワーク及びネットワーク・サブシステム（例えば、アクセス・ネットワーク・サブシステム）を云う。３ＧＰＰネットワーク及びネットワーク・サブシステムはＧＥＲＡＮ、ＵＴＲＡＮ、ＥＵＴＲＡＮ、ＧＰＲＳコア・ネットワーク、ＩＭＳネットワーク、３ＧＰＰ Ｉ-ＷＲＡＮ、等々を含む。３ＧＰＰ２ネットワークは３ＧＰＰ２ネットワークと共に動作する他のネットワーク及びネットワーク・サブシステムと同様に３ＧＰＰ２によって定義されたネットワーク及びネットワーク・サブシステムを云う。３ＧＰＰ２ネットワークはＣＤＭＡ２０００ １Ｘ、ＣＤＭＡ２０００ １×ＥＶ-ＤＯ、ｃｄｍａ２０００コア・ネットワーク、３ＧＰＰ２ ＩＭＳまたはＭＭＤネットワーク・サブシステム、３ＧＰＰ２関連ＷＲＡＮ、等々を含む。簡単にするために、「３ＧＰＰ ＷＲＡＮ」は３ＧＰＰネットワークと関連するＷＲＡＮを云い、そして「３ＧＰＰ２ ＷＲＡＮ」は３ＧＰＰ２ネットワークと関連するＷＲＡＮを云う。
【００２９】
次の説明では、ＧＰＲＳアクセスはＧＥＲＡＮ、ＵＴＲＡＮ、または他のいくつかの３ＧＰＰアクセス・ネットワークを介するＧＰＲＳコア・ネットワークへのアクセスを云う。３ＧＰＰ ＷＬＡＮアクセスはＷＬＡＮを介して３ＧＰＰコア・ネットワークへのアクセスを云う。ｃｄｍａ２０００アクセスはＣＤＭＡ２０００ １Ｘ、ＣＤＭＡ２０００ １×ＥＶ-ＤＯ、または他のいくつかの３ＧＰＰアクセス・ネットワークを介してｃｄｍａ２０００コア・ネットワークへのアクセスを云う。３ＧＰＰ２ ＷＬＡＮアクセスはＷＬＡＮを介する３ＧＰＰ２ ＷＬＡＮコア・ネットワークへのアクセスを云う。
【００３０】
３ＧＰＰに関して、ＵＥ １１０は汎用集積回路カード（ＵＩＣＣ）を装備しているか、或いはしていないこともある。３ＧＰＰ２に関して、ＵＥ １１０はユーザー識別モジュール（ＵＩＭ）を装備しているか、或いはしていないこともある。ＵＩＣＣまたはＵＩＭは一般的に一加入者に特定であり、そして個人情報、予約情報及び／または他の情報を記憶する。ＵＩＣＣ無しＵＥはＵＩＣＣがないＵＥであり、そしてＵＩＭ無しＵＥはＵＩＭがないＵＥである。ＵＩＣＣ／ＵＩＭ無しＵＥはあらゆる要求された同一性を証明するために、予約、ホーム・ネットワーク、及び認証証明（例えば、秘密鍵）をすべて持っておらず、それは位置選定サービスをさらに危険にしがちである。
【００３１】
ここに述べた技術は制御平面及びユーザー平面アーキテクチャといった様々な位置選定アーキテクチャのために使用される。制御平面（それはまた信号通信平面と呼ばれる）は高位層アプリケーションに関する信号通信を実行する機構であり、そして一般的にネットワーク特定のプロトコル、インタフェース、及び信号通信メッセージによって実施される。ユーザー平面は高位層アプリケーションに関する信号通信を実行する機構であるが、ユーザー平面担体（user-plane bearer）を使用する機構であり、それは一般的にユーザー・データグラム・プロトコル（ＵＤＰ）、伝送制御プロトコル（ＴＣＰ）、及びインターネット・プロトコル（ＩＰ）といったプロトコルによって実施され、それらの全ては当技術分野において既知である。メッセージ支援位置選定サービス及び位置決めは制御平面アーキテクチャにおける信号通信の一部として、そしてユーザー平面アーキテクチャにおける（ネットワーク視野からの）データの一部として行われる。しかしながら、メッセージの内容は双方のアーキテクチャにおいて同じか、或いは類似している。
【００３２】
それらの技術は表１に記載したもののような様々な位置選定アーキテクチャ／解のために使用される。ＳＵＰＬ及び予前ＳＵＰＬは公開移動体協定（Open Mobile Alliance：ＯＭＡ）からの文書に記載されている。３ＧＰＰ制御平面は３ＧＰＰ ＴＳ２３．２７１、ＴＳ４３．０５９、及びＴＳ２５．３０５に記載されている。３ＧＰＰ２制御平面はＩＳ-８８１及び３ＧＰＰ２ Ｘ．Ｓ０００２に記載されている。３ＧＰＰ２ユーザー平面は３ＧＰＰ２ Ｘ．Ｓ００２４に記載されている。
【表１】
0005529219.tif 000002
【００３３】
ＵＥは緊急ＶｏＩＰ呼出についてゼロ、一つもしくは多数の解（例えば、ＳＵＰＬ、または３ＧＰＰ制御平面、またはＳＵＰＬ及び３ＧＰＰ制御平面、またはＳＵＰＬ及びＸ．Ｓ００２４）を支援する。呼出が、例えば、ＳＩＰ ＩＮＶＩＴＥ及び／またはＳＩＰ ＲＥＧＩＳＴＥＲメッセージにおいて行われるとき、ＵＥはその位置選定可能性のあるネットワークに通知する。この情報はネットワークによる再生（retrieval）のための局所サーバ（例えば、位置選定サーバ）に記憶される。
【００３４】
ここに述べた技術は次の特徴を支援する。
【００３５】
（ａ）移動体、固定及びそして遊動ユーザーに関する緊急ＶｏＩＰ呼出を支援する。
【００３６】
（ｂ）ＧＰＲＳアクセス、３ＧＰＰ ＷＬＡＮアクセス、ｃｄｍａ２０００アクセス、及び３ＧＰＰ２ ＷＬＡＮアクセスを使用するＶｏＩＰ呼出に適用できる。
【００３７】
（ｃ）ＳＩＰ／ＩＰ可能なＰＳＡＰへの終端間接続を支援する。
【００３８】
（ｄ）例えば、ＶｏＩＰサービス・プロバイダがＵＥから遠く離れているとき、呼出しＵＥには近いが、ＳＩＰ呼出サーバから地理的に遠く離れているＰＳＴＮ可能なＰＳＡＰへの接続を支援する。
【００３９】
（ｅ）暫定位置推定を使用する適切なＰＳＡＰへの呼出経路指定を支援する。
【００４０】
（ｆ）ＰＳＡＰへのＵＥの正確な位置選定の提供。
【００４１】
（ｇ）様々な位置選定アーキテクチャを使用する最初及び更新された位置選定の支援。
【００４２】
（ｈ）ＵＩＣＣ／ＵＩＭのないＵＥ及びそのＨ-ＰＬＭＮがＶ-ＰＬＭＮとのローミング合意を持っていないＵＥからの緊急ＶｏＩＰ呼出を支援する。
【００４３】
（ｉ）ＰＳＡＰからＵＩＣＣ／ＵＩＭのない且つ／またはＶ-ＰＬＭＮにおいてローミング合意のないＵＥへの呼戻しを支援する。
【００４４】
（ｊ）ＩＥＴＦ Ｅｃｒｉｔ解及びまたＮＥＮＡ１２解として既知であり、強化９-１-１サービス（ｉ２）のための暫定ＶｏＩＰアーキテクチャのようなＮＥＮＡ Ｉ２解と両立する。
【００４５】
（ｋ）Ｈ-ＰＬＭＮへの影響及び要求が少ない。
【００４６】
緊急呼出はあまりにも早く消失し、或いは解除されるので、ＰＳＡＰ呼戻しはＰＳＡＰからＵＡに戻る呼出を参照する。暫定位置推定は一般的に経路指定のために使用されるおおよその位置を参照し、そして最初の位置推定は一般的に最初の正確な位置推定を参照する。いくつかの場合では、最初の位置推定は暫定位置推定の後で取得される。他の場合では、暫定及び最初の位置推定は同じである。さらに他のいくつかの場合では、暫定位置推定及び／または最初の位置推定は使用されない。
【００４７】
ＳＵＰＬについて、Ｈ-ＰＬＭＮ １６０におけるホームＳＬＰ（Ｈ-ＳＬＰ）は迂回され、そしてＶ-ＰＬＭＮ １３０における、またはそれに関連する一以上のＶ-ＳＬＰ及び／またはＥ-ＳＬＰが位置選定のために使用される。Ｘ．Ｓ００２４について、Ｈ-ＰＬＭＮ １６０におけるホームＰＳ（Ｈ-ＰＳ）は迂回され、そしてＶ-ＰＬＭＮ １３０における、またはそれに関連する一以上のＶ-ＰＳ及び／またはＥ-ＰＳが位置選定のために使用される。これはＳＵＰＬ及びＸ．Ｓ００２４へのいくつかの変更を意味し、例えば、ＵＥ１１０において構成されたＳＬＰまたはＨ-ＰＳは緊急呼出の間の位置選定に関して無効にされる。Ｖ-ＰＬＭＮ １３０におけるＶ-ＳＬＰ、Ｅ-ＳＬＰ、Ｅ-ＰＳまたはＶ-ＰＳの使用は次の理由のために望ましい：
（ａ）特定の地域または地方における特殊の緊急呼出支援は他のネットワークではなくそれらの地域におけるネットワークのみからの支援を利用しなければならない。
【００４８】
（ｂ）ＵＩＣＣ／ＵＩＭなしのＵＥはＨ-ＰＬＭＮを持たず、そしてＶ-ＰＬＭＮにおけるＳＬＰまたはＰＳに依存する。
【００４９】
（ｃ）ＵＩＣＣ／ＵＩＭを持つＵＥについて、Ｈ-ＰＬＭＮはＶ-ＰＬＭＮとのローミング合意を持たず、そしてそれはＨ-ＳＬＰまたはＨ-ＰＳを使用することが難しい。
【００５０】
（ｄ）Ｈ-ＳＬＰまたはＨ-ＰＳは信号通信の差異及び登録の欠如により（例えば、別の地方における）遠隔のＰＳＡＰからの位置選定要求を支援しない。
【００５１】
（ｅ）Ｈ-ＳＬＰまたはＨ-ＰＳは（例えば、Ｈ-ＳＬＰまたはＨ-ＰＳがＵＥから遠く離れていれば）Ｖ-ＰＬＭＮにおけるＳＬＰまたはＰＳの助けなしで良い位置推定を取得することができない。
【００５２】
（ｆ）Ｈ-ＳＬＰまたはＨ-ＰＳは緊急呼出サービスを支援するＥ-ＳＬＰまたはＥ-ＰＳによって使用されるインタフェース（例えば、ＬｉまたはＬＣＳｉインタフェース）を支援しない。
【００５３】
Ｅ-ＳＬＰ ２７２またはＥ-ＰＳ ２８２はＳＵＰＬ及びＸ．Ｓ００２４それぞれにおいてＵＥ １１０に関する位置決めを行う。代りに、Ｖ-ＳＬＰ、Ｖ-ＰＳ、またはＰＤＥは、例えば、Ｅ-ＳＬＰ ２７２またはＥ-ＰＳ ２８２がこの機能を行うことができなければ、ＵＥ １１０に関する位置決めを行うために選択される。Ｖ-ＳＬＰ、Ｖ-ＰＳ、またはＰＤＥは、例えば、ＳＩＰ呼出サーバ（例えば、Ｅ-ＣＳＣＦ ２５４）がＵＥ １１０から遠く離れており、そしてまた遠く離れているＥ-ＳＬＰまたはＥ-ＰＳを選択すれば、有用である（それは作業者が大きな領域または地方全体をサービスするために少数の呼出サーバを使うときに発生する）。Ｅ-ＳＬＰ ２７２またはＥ-ＰＳ ２８２は次の機構のどれかを使用して適切なＶ-ＳＬＰ、Ｖ-ＰＳ、またはＰＤＥを選択する：
（ａ）ＵＥ １１０はアクセス・ネットワークに取付け、或いはＩＰ接続を確立するとき、例えば、アクセス・ネットワークがＶ-ＳＬＰまたはＶ-ＰＳアドレスをＵＥ １１０に提供するとき、ＩＰアドレスまたはＶ-ＳＬＰまたはＶ-ＰＳの名前を見付ける。ＵＥ １１０はＩＰ接続を確立した後、ＤＮＳ問合わせによってＶ-ＳＬＰまたはＶ-ＰＳアドレスを見付ける。ＵＥ １１０によって使用されるＤＮＳサーバがＥ-ＣＳＣＦ ２５４よりＵＥ １１０の近くにあれば、これが適用できる。ＵＥ １１０はＩＭＳに送られた最初のＳＩＰ ＲＥＧＩＳＴＥＲにおいて、及び新しいアクセス・ネットワークへ引継ぎの後の次のいずれかの再ＲＥＧＩＳＴＥＲにおいてＶ-ＳＬＰまたはＶ-ＰＳアドレスを含む。ＩＭＳ（例えば、Ｅ-ＣＳＣＦ ２５４）はＶ-ＳＬＰまたはＶ-ＰＳアドレスをＥ-ＳＬＰ ２７２またはＥ-ＰＳ ２８２に転送する。
【００５４】
（ｂ）Ｅ-ＳＬＰ ２７２またはＥ-ＰＳ ２８２は最初のＳＩＰ ＩＮＶＩＴＥにおいてＵＥ １１０によって提供された位置選定情報に基づいてＶ-ＳＬＰまたはＶ-ＰＳアドレスを決定する。
【００５５】
（ｃ）Ｅ-ＳＬＰ ２７２またはＥ-ＰＳ ２８２はＳＵＰＬ ＳＴＡＲＴにおいてＵＥ １１０から受取った位置選定情報に基づいてＶ-ＳＬＰまたはＶ-ＰＳアドレスを決定する。
【００５６】
一般に、ＵＥ １１０によって提供された位置選定情報はＵＥ １１０の位置を決定するために使用されるいずれかの情報である。位置選定情報は地理的座標、ＧＳＭ、ＵＭＴＳ、またはｃｄｍａ２０００セル識別子（ＩＤ）、ｃｄｍａ２０００サービス・セル情報、ＷＬＡＮアクセス名識別子、ＷＬＡＮ ＭＡＣアドレス等を含む。位置選定情報はまたＵＥ １１０の位置を決定するために使用される測定を含む。
【００５７】
ＳＵＰＬ及びＸ．Ｓ００２４について、Ｅ-ＳＬＰ ２７２またはＥ-ＰＳ ２８２はＳＵＰＬセッションを始めるためにＳＵＰＬ ＩＮＩＴをＵＥ １１０に送る。ＳＵＰＬ ＩＮＩＴはＷＡＰ ＰｕｓｈまたはＳＭＳを使用して送られ、それは長い遅延をもたらす。実施例では、遅延を減少させるために、ＳＵＰＬ ＩＮＩＴはＩＭＳ即時メッセージ、他のいくつかのＩＭＳメッセージ、ＳＩＰ １ｘｘ応答（例えば、１８３セッション前進）、または他のメッセージを使用してＩＭＳ（例えば、Ｐ-ＣＳＣＦ ２５２及びＥ-ＣＳＣＦ２５４）を介してＵＥ １１０に送られる。ＩＭＳ及びＵＥ １１０の間の現存の（恐らくは安全な）関係の使用は速い転送を可能にし、そして新しい関係を設定し、且つ／または追加の実体（例えば、ＳＭＳサービス・センター）を通してメッセージを転送するために遅延の追加をさらに回避する。この実施例はまたＵＥ １１０がＨＰＬＭＮに登録されないとき、例えば、ＵＩＣＣまたはＵＩＭを持たないとき使用される。別の実施例では、遅延を減少させるために、ＳＵＰＬ ＩＮＩＴは移動終端ＩＰまたはＵＤＰ／ＩＰを使用してＵＥ １１０に送られる。この場合には、ＵＥ １１０にサービスするＩＰゲートウェイ（例えば、ＧＧＳＮ ２３２ｂ、ＰＤＧ ２３６、ＰＤＳＮ ２４２、またはＰＤＩＦ ２４４）はＥ-ＳＬＰ ２７２からＵＥ １１０へのＩＰパケットをフィルタ除去しないためにＥ-ＳＬＰ ２７２のＩＰアドレスによって事前管理される。ＵＥ １１０はＳＵＰＬ ＩＮＩＴの受取りのためにＳＵＰＬについて使用される（そしてＩＡＮＡによって登録された）ＴＣＰポート及び／またはＵＤＰポートを支援するように構成される。
【００５８】
緊急ＶｏＩＰ呼出は次のようにＳＵＰＬ １．０及びＸ．Ｓ００２４の初版（３ＧＰＰ２ Ｘ．Ｓ００２４-０）によって支援される。
【００５９】
（ａ）ＵＥ １１０がＨ-ＰＬＭＮ １６０中にあれば、Ｅ-ＳＬＰ ２７２はＨ-ＳＬＰであるか、Ｅ-ＰＳ ２８２はＵＥのためのＨ-ＰＳであり、そしてＳＵＰＬ １．０またはＸ．Ｓ００２４-０ネットワーク開始の位置選定要求を引き起こす。ＳＵＰＬ ＩＮＩＴはＳＭＳまたはＷＡＰ Ｐｕｓｈを使用してＵＥ １１０へ送られる。
【００６０】
（ｂ）ＵＥ １１０がＨ-ＰＬＭＮ １６０中にはないが、Ｖ-ＰＬＭＮ １３０に登録されるならば、Ｅ-ＳＬＰ ２７２はＳＵＰＬ １．０及びＯＭＡ ＲＬＰにおける手続きに従って要求ＳＬＰ（Ｒ-ＳＬＰ）として働き、且つＵＥ １１０のために位置選定要求をＨ-ＳＬＰへ送ることによってＳＵＰＬ １．０位置選定要求を引き起こす。同様に、Ｅ-ＰＳ２８２はＯＭＡ ＲＬＰプロトコルを使用してＵＥ １１０のためにＨ-ＰＳからＸ．Ｓ００２４位置選定要求を引き起こす。
【００６１】
（ｃ）ＵＥ １１０がＨ-ＰＬＭＮ １６０中になく、且つＶ-ＰＬＭＮ １３０にも登録されていない（例えば、Ｖ-ＰＬＭＮ １３０とＨ-ＰＬＭＮ １６０との間にローミング合意がない）ならば、或いはＵＥ １１０がＵＩＣＣまたはＵＩＭを持っていなければ、ＳＵＰＬ １．０またはＸ．Ｓ００２４-０位置選定は支援されない。しかしながら、Ｅ-ＳＬＰ ２７２またはＥ-ＰＳ ２８２は緊急呼出のための最初のＳＩＰ ＩＮＶＩＴＥにおいてＵＥ １１０によって提供された位置選定情報を使用してＵＥ １１０のために位置推定を取得することができる。
【００６２】
１．ＳＵＰＬによる緊急ＶｏＩＰ呼出
図４はＳＵＰＬ位置選定による緊急ＶｏＩＰ呼出のためのネットワーク・アーキテクチャ４００の実施例のブロック図を示す。ネットワーク・アーキテクチャ４００は３ＧＰＰ及び３ＧＰＰ２ネットワークの両方に適用できる。簡単にするために、ＳＵＰＬを使用する緊急ＶｏＩＰ呼出の支援に関連する実体及びインタフェースのみを示す。
【００６３】
ＵＥ １１０はＳＵＰＬにおいてＳＵＰＬ可能な端末（ＳＥＴ）として参照される。アクセス・ネットワーク１２０は３ＧＰＰアクセス・ネットワーク、３ＧＰＰ２アクセス・ネットワーク、ＷＬＡＮ、または他のいくつかのネットワークである。アクセス・ネットワーク１２０及び／またはＶ-ＰＬＭＮ １３０は、例えば、図２及び３で示したように、パケット交換呼出を支援する実体を含む。３ＧＰＰ２に関して、単純ＩＰ及び／または移動ＩＰが緊急ＶｏＩＰ呼出のために使用される。次の説明では、ＩＭＳはＰ-ＣＳＣＦ ２５２、Ｅ-ＣＳＣＦ ２５４及び／またはＭＧＣＦを参照する。
【００６４】
Ｅ-ＳＬＰ ２７２は位置選定サービスのために様々な機能を実行するＳＵＰＬ位置選定センター（Ｅ-ＳＬＣ）、及びＵＥ １１０に関する位置決めを支援するＳＵＰＬ位置決めセンター（Ｅ-ＳＰＣ）を含む。Ｖ-ＳＬＰ ２７４は同様にＶ-ＳＬＣ ４２２及びＶ-ＳＰＣ ４２４を含む。Ｅ-ＳＬＰ ２７２は緊急呼出のための位置選定の場合にはＨ-ＰＬＭＮ１６０においてＨ-ＳＬＰの代りをする。ＳＵＰＬにおける実体は、「安全なユーザー平面位置選定アーキテクチャ（Secure User Plane Location Architecture）」草案４．０と題する文書ＯＭＡ-ＡＤ-ＳＵＰＬ-Ｖ２_０-２００６０７０４-Ｄ（２００６年７月４日）、及び「ユーザー平面位置選定プロトコル（User Plane Location Protocol）」草案２．０と題する文書ＯＭＡ-ＴＳ-ＵＬＰ-Ｖ２_０-２００６０７２１-Ｄ（２００６年７月２１日）に記載されており、それらはＯＭＡから公に利用可能である。
【００６５】
ＳＵＰＬはＳＰＣによる位置決めについてＳＥＴとＳＬＰとの間で二つの通信モードを支援する。プロキシ（代理）モードでは、ＳＰＣはＳＥＴとの直接通信を持たず、そしてＳＬＰはＳＥＴとＳＰＣとの間で代理の役割をする。非プロキシ・モードでは、ＳＰＣはＳＥＴとの直接通信を持つ。
【００６６】
ＰＳＴＮ／インターネット１７０は緊急呼出をＰＳＡＰに送るパケット経路指定及び選択ルータ（Ｓ／Ｒ）２９２を支援する実体（例えば、ルータ）を含む。Ｓ／Ｒ ２９２はＰＳＡＰ １８０に属し、或いは一組の個々のＰＳＡＰによって共有され、且つ接続される。ＰＳＡＰ １８０がＳＩＰを支援するならば、ＵＥ １１０はＶｏＩＰ呼出のためにＰ-ＣＳＣＦ ２５２及びＥ-ＣＳＣＦ ２５４を介してＰＳＡＰ １８０と通信する。ＰＳＡＰ １８０がＳＩＰを支援しなければ、ＵＥ １１０はまたＰ-ＣＳＣＦ ２５２、Ｅ-ＣＳＣＦ ２５４、ＭＧＣＦ ２５８及びＳ／Ｒ ２９２を介してＰＳＡＰ １８０と通信する。この場合には、ＭＧＣＦ ２５８によって制御されたメディア・ゲートウェイ（ＭＧＷ）は緊急呼出に関するＰＣＭ回路モード変換に対するＶｏＩＰを実行する。
【００６７】
図４は様々な実体の間のインタフェースを示す。ＵＥ １１０、Ｐ-ＣＳＣＦ ２５２、Ｅ-ＣＳＣＦ ２５４、ＭＧＣＦ ２５８の間の呼出関係インタフェースはＳＩＰである。ＭＧＣＦ ２５８、Ｓ／Ｒ ２９２、及びＰＳＡＰ １８０の間の呼出関係インタフェースはＭＦ／ＩＳＵＰである。ＰＳＡＰ １８０とＥ-ＳＬＰ ２７２との間の位置選定関係インタフェースは、ＰＳＡＰ １８０にＰＳＴＮ能力があればＪＳＴＤ０３６改訂版Ｂにおいて定義されたＥ２インタフェースであり、ＰＳＡＰ １８０にＳＩＰ能力があれば拡張Ｅ２インタフェースである。ＰＳＡＰ １８０とＥ-ＳＬＰ ２７２との間の位置選定関係インタフェースはその代りにＯＭＡまたはＬＩＦ移動体位置選定プロトコルまたは他のいくつかのインタフェース、例えば、ＨＴＴＰインタフェースにおいて定義されたＭＬＰインタフェースである。ＵＥ １１０及びＶ-ＳＬＰ ２７４及びＥ-ＳＬＰ ２７２の間の位置選定関係インタフェースはＳＵＰＬ ＵＬＰである。
【００６８】
Ｅ-ＣＳＣＦ ２５４とＥ-ＳＬＰ ２７２との間のインタフェースはＵＥ １１０に関する情報をＥ-ＳＬＰ ２７２に搬送し、そしてＳＵＰＬ位置決めを推進するために使用される。このインタフェースはＬＣＳ ＩＭＳ（例えば、Ｌｉ）インタフェースであり、そしてＩＭＳ位置選定プロトコル（ＩＬＰ）または他のプロトコルを利用する。Ｌｉ／ＥＬＰインタフェースはＳＬＰ間のＯＭＡローミング位置選定プロトコル（ＲＬＰ）インタフェースに類似している。Ｌｉ／ＩＬＰインタフェースはいずれかのＩＭＳ実体（例えば、Ｓ-ＣＳＣＦまたはアプリケーション・サーバ）及びＥ-ＳＬＰ ２７２によって使用され、次のようなＩＭＳ及びＩＰ準拠のサービスと関連する他の特徴を支援する：
（ａ）ＶｏＩＰまたは他のＩＰ準拠呼出に関する位置選定依存請求書作成、
（ｂ）一以上の通話相手に対する呼出中の一通話者の位置選定の提供、及び
（ｃ）ユーザー位置選定に基づく追加サービス、例えば、位置選定依存呼出転送、位置選定依存呼出制約。
【００６９】
Ｅ-ＳＬＰ ２７２とＥ-ＣＳＣＦ ２５４との間のインタフェースはまた「ＶｏＩＰ／パケット移動ｉ２解法に関するＮＥＮＡ規格草案（Draft NENA Standards for VoIP/Packet Migration i2 Solutions）」または「強化９-１-１サービス（ｉ２）に関する暫定ＶｏＩＰアーキテクチャ（Interim VoIP Architecture for Enhanced 9-1-1 Services (i2)）」（以下、「ＮＥＮＡ Ｉ２解法」）において定義されたｖ２インタフェースであり、後者は米国におけるE９１１支援または他のいくつかのインタフェースについて考えられている。
【００７０】
ネットワーク・アーキテクチャ４００はＶｏＩＰ及び／または位置選定を支援する他の実体、例えば、ＮＥＮＡ Ｉ２解法またはＮＥＮＡ Ｉ２．５及びＩ３解法草案に記載された要素を含む。
【００７１】
１．１呼出設定
図５はＳＵＰＬを使用する緊急ＶｏＩＰ呼出設定のためのメッセージの流れ５００の実施例を示す。明確にするために、関連の少ない実体（例えば、アクセス・ネットワーク１２０、Ｐ-ＣＳＣＦ ２５２、Ｓ／Ｒ ２９２）は図５から省略されているが、下記の説明には含まれている。メッセージの流れ５００は３ＧＰＰ及び３ＧＰＰ２ネットワークに関して使用される。メッセージの流れ５００はＵＥ １１０がＵＩＣＣまたはＵＩＭを持っていること、そしてＨ-ＰＬＭＮ １６０及びＶ-ＰＬＭＮ １３０の間のローミング合意があることを仮定する。
【００７２】
ステップ１において、ＵＥ １１０はアクセス・ネットワーク（ＡＮ）、例えば、３ＧＰＰアクセス・ネットワーク、３ＧＰＰ２アクセス・ネットワーク、８０２．１１ＷＬＡＮ、等々を見付ける。ＵＥ １１０はいずれかの低レベル接続（例えば、８０２．１１関連）を行い、そして（例えば、ＧＰＲＳ取付または３ＧＰＰのＷＬＡＮ ＡＡＡ手続きを介して）アクセス・ネットワークに取付ける。ＵＥ １１０はＩＰ接続を確立し、そして局部ＳＩＰサーバ・アドレスを見付ける。下記の説明では、Ｐ-ＣＳＣＦ ２５２はＵＥ１１０によって見付けられた局部ＳＩＰサーバである。ステップ１は別のネットワークについては別の方法で実行され、そしてさらに下記で詳細に述べる。
【００７３】
ステップ２において、ＵＥ １１０はＳＩＰ ＲＥＧＩＳＴＲをＰ-ＣＳＣＦ ２５２（それはステップ１において見付けられた局部ＳＩＰサーバである）に送る。ＳＩＰ ＲＥＧＩＳＴＲは緊急サービス指示、（例えば、３ＧＰＰ ＴＲ２３．８６７及び３ＧＰＰ ＴＲ２３．１６７に記載されているような）緊急公開ユーザーＩＤ、個人ユーザー（private user）ＩＤ、Ｈ-ＰＬＭＮドメイン名、及びステップ１で取得されたＵＥ ＩＰアドレスを含む。ＳＩＰ ＲＥＧＩＳＴＲはまたＵＥ １１０のための位置選定情報、ＵＥ １１０の位置選定能力、及び／または他の情報を含む。ＵＥ位置選定能力はＵＥによって支援された位置選定解法（例えば、ＳＵＰＬ、３ＧＰＰ制御平面、 Ｘ．Ｓ００２４、等々）、ＵＥによって支援された位置決め方法及び／または他の情報を含む。緊急サービス指示または緊急公開ユーザーＩＤの存在によって、Ｐ-ＣＳＣＦ ２５２はＳＩＰ ＲＥＧＩＳＴＲをＥ-ＣＳＣＦ ２５４へ緊急でない場合におけると同じネットワークで送り、Ｈ-ＰＬＭＮ １６０中のＩ-ＣＳＣＦ ２６２へ送らない。
【００７４】
ステップ３において、Ｖ-ＰＬＭＮ １３０中のＥ-ＣＳＣＦ ２５４は通常のＩＭＳ登録が発生するＨ-ＰＬＭＮ １６０中のＳ-ＣＳＣＦ ２６４へＳＩＰ ＲＥＧＩＳＴＲを送る。Ｈ-ＰＬＭＮ １６０に登録する理由は、ＰＳＡＰ １８０がＨ-ＰＬＭＮ １６０を介してＵＥ １１０を後で呼戻すならば、特別な処置（例えば、優先権、追加サービスの制限）が適用されるように、（１）ユーザー識別子を認証するため、（２）Ｓ-ＣＳＣＦ ２６４から証明された呼戻し番号を取得するため、（３）緊急呼出のＨ-ＰＬＭＮ １６０に警報を出すためである。ＩＭＳ登録のために、Ｈ-ＰＬＭＮ １６０中のＳ-ＣＳＣＦ ２６４はＶ-ＰＬＭＮ １３０中のＥ-ＣＳＣＦ ２６４をＰ-ＣＳＣＦのように扱う。公開ユーザーＴＥＬ ＵＲＩ（例えば、３ＧＰＰにおけるＭＳＩＳＤＮまたは３ＧＰＰ２におけるＭＩＮから得られた）はＵＥ １１０のための緊急公開ユーザーＩＤによって暗黙裏に登録され、そしてＰＳＴＮからのＰＳＡＰ呼戻しのために使用される。例えば、ＵＥ １１０が既に通常の公開ユーザーＩＤを登録してしまっているならば、或いは緊急公開ユーザーＩＤがＨ-ＰＬＭＮ １６０によって支援されなければ、Ｈ-ＰＬＭＮ １６０は緊急公開ユーザーＩＤの登録追加を支援しない。Ｅ-ＣＳＣＦ ２６４はステップ３が省略されるＨ-ＰＬＭＮの一覧表を維持する。ステップ３が省略されるならば、ＰＳＡＰ １８０からの呼戻しはまだＵＥ １１０の通常の公開ユーザーＩＤを使用して可能であり、それはＵＥ１１０によって別々に登録されなければならない。Ｅ-ＣＳＣＦ ２５４はＨ-ＰＬＭＮ １６０ではなく、V-ＰＬＭＮ １３０を介して直接ＰＳＡＰ １８０からの呼戻しを可能にするために、下記で述べるように、一時的な公開ユーザーＩＤをＵＥ １１０に割当てる。呼戻しの遅延と信頼性の両方が改善されるので、この一時的な公開ユーザーＩＤは外来ローミングＵＥにとって特に有用である。Ｈ-ＰＬＭＮ １６０における登録が行われないならば、ＵＥ １１０は認証されず、そしてV-ＰＬＭＮ １３０におけるＵＥ １１０とＥ-ＣＳＣＦ ２５４との間の安全なＩＰ接続は確立されず、それはＥ-ＳＬＰによるＵＥ １１０の次の位置選定に対する安全性を低下させる。
【００７５】
ステップ４において、Ｅ-ＣＳＣＦ ２５４は（例えば、Ｈ-ＰＬＭＮ １６０からＳＩＰ２００ ＯＫを受取った後で）２００ ＯＫをＵＥ １１０に返す。緊急呼出の設定に続いて、ＵＥ １１０が同じV-ＰＬＭＮ内で（ＧＰＲＳアクセスのために）別のＳＧＳＮ、（ＷＬＡＮアクセスのために）別のＷＬＡＮ、或いは（ｃｄｍａ２０００アクセスのために）別のＰＣＦまたはＰＤＳＮに引渡されるならば、ＵＥ １１０は位置選定及びV-ＳＬＰ情報を更新するためにステップ２〜４を繰返すことによって再登録する。ＵＥ １１０がその緊急公開ユーザーＩＤを使用して再登録するならば、Ｅ-ＣＳＣＦ ２５４はいずれか新しい位置選定情報をＥ-ＳＬＰ ２７２に転送する。ＵＥ １１０が前のＶ-ＳＬＰによって支援された地域から移動していたならば、再登録によって別のＶ-ＳＬＰの選択が可能になる。
【００７６】
３ＧＰＰ２ ＷＬＡＮアクセスについて、ＵＥ １１０があるＷＬＡＮから別のＷＬＡＮへ、或いはＷＬＡＮからｃｄｍａ２０００ネットワークへ移動すれば、引渡（handoff）手続きが実行される。引渡手続きは前のＰＤＩＦに関連するＩＰアドレスを使用して継続し、そして緊急ＶｏＩＰ呼出への混乱を避けるために（あるＷＬＡＮから別のＷＬＡＮへの引渡しについては）新しいＷＬＡＮから、或いは（ＷＬＡＮからｃｄｍａ２０００ネットワークへの引渡しについては）新しいＰＳＤＮから前のＰＩＤＦへのトンネルを確立する。ｃｄｍａ２０００ネットワークからＷＬＡＮへの引渡しのために、新しいＷＬＡＮと関連するＰＩＤＦは速いハンドオフを前のサービスＰＤＳＮへの引渡しを支援するために目標ＰＤＳＭを模倣する（emulate）。引渡しに続いて、ＵＥ １１０はＶ-ＳＬＰ選択のために関連する新しい位置選定情報をＥ-ＣＳＣＦ ２５４に提供するために再登録する。
【００７７】
ステップ２、３及び４の代替実施例では、ＵＥ １１０がステップ２においてＳＩＰ ＲＥＧＩＳＴＥＲをＰ-ＣＳＣＦ ２５２へ送った後、Ｐ-ＣＳＣＦ ２５２はＳＩＰ ＲＥＧＩＳＴＥＲを直接Ｈ-ＰＬＭＮ １６０においてＳ-ＣＳＣＦ ２６４へ、またはＨ-ＰＬＭＮ １６０においてＩ-ＣＳＣＦ ２６２へ送り、そしてＶ-ＰＬＭＮ １３０においてＥ-ＣＳＣＦ ２５４を迂回する。この場合には、Ｈ-ＰＬＭＮ １６０からのＳＩＰ ２００ ＯＫはＥ-ＣＳＣＦ ２５４へよりはむしろＰ-ＣＳＣＦ ２５２へ返され、そしてＰ-ＣＳＣＦ ２５２はステップ４において２００ ＯＫをＵＥ １１０に返すであろう。Ｐ-ＣＳＣＦ２５２の働きは通常の登録のためのものと同様であるので、この代替実施例はＶｏＩＰ緊急呼出を支援するためにＰ-ＣＳＣＦ ２５２への特別な影響を低減し、或いは回避する。
【００７８】
ステップ５において、ＵＥ １１０はＳＩＰ ＩＮＶＩＴＥをＰ-ＣＳＣＦ ２５２へ送る。ＳＩＰ ＩＮＶＩＴＥは緊急呼出（例えば、ＩＥＴＦ Ｅｃｒｉｔによって提案されたｓｏｓ＠ｌｏｃａｌ-ｄｏｍａｉｎまたは「９１１」）及び要求された緊急サービスの形式を示す広範囲（global）のＳＩＰ ＵＲＬまたはＴＥＬ ＵＲＩを含む。ＳＩＰ ＩＮＶＩＴＥはまたＵＥ １１０に対して利用可能なＵＥ位置選定に関する情報（例えば、ＧＰＲＳまたはｃｄｍａ２０００セルＩＤ、ＷＬＡＮ ＡＰ ＭＡＣアドレス、等々）、そうでなければ登録の間に提供されるＵＥ １１０の位置選定能力、呼戻し（callback）のための連絡先情報、及び／または他の情報を含む。呼戻し情報は（例えば、３ＧＰＰ ＭＳＩＳＤＮまたは３ＧＰＰ２ ＭＤＮから得られた）ＴＥＬ ＵＲＩ及び恐らくはＳＩＰ ＵＲＬ（例えば、ステップ２で使用された緊急公開ユーザーＩＤ）を含む。ＳＩＰ ＲＥＧＩＳＴＥＲまたはＳＩＰ ＩＮＶＩＴＥの「支援された」ヘッダ・フィールドはまたＵＥ位置選定能力を搬送するために使用される。位置選定能力はまたＵＥによって（例えば、ＩＥＴＦ Ｇｅｏｐｒｉｖ ｐｉｄｆ-ｌｏオブジェクトにおいて）またはＳＩＰ ＩＮＶＩＴＥにおいて他のいくつかの方法で提供された位置選定情報の一部として含まれる。Ｐ-ＣＳＣＦ ２５２はＳＩＰ ＩＮＶＩＴＥを別のＳＩＰサーバへ送り、それ（ＳＩＰサーバ）はＳＩＰ ＩＮＶＩＴＥを緊急呼出に専用の経路指定プロキシ（例えば、アプリケーション・サーバ）へ送る。図５において、Ｅ-ＣＳＣＦ ２５４は緊急呼出を扱うＳＩＰサーバである。
【００７９】
ステップ６において、Ｅ-ＣＳＣＦ ２５４はＵＥ １１０がＳＵＰＬを支援し、そして経路指定要求（Routing Request）（或いは緊急位置選定要求）をＥ-ＳＬＰ ２７２に送ることを陽に陰に（explicitly or implicitly）決定する。経路指定要求はＵＥ公開識別子（例えば、ステップ５からの緊急公開ユーザーＩＤ、ＴＥＬ ＵＲＩ、等々）、Ｅ-ＣＳＣＦ ２５４によって受取られた位置選定情報を含み、そして移動体終端ＩＰ（またはＵＤＰ／ＩＰ）がステップ８において使用されればＵＥ ＩＰを含む。Ｅ-ＳＬＰ ２７２はＥ-ＣＳＣＦ ２５４と同じネットワークにまたは他のいくつかのネットワークにある。Ｅ-ＳＬＰ ２７２はＵＥ １１０の概略の位置を含む地域を網羅するので選択される。Ｅ-ＣＳＣＦ ２５４はＥ-ＳＬＰ ２７２、Ｅ-ＳＬＰとして働くことが可能な一般的な位置選定サーバ、または、他の形式のサーバ、例えば、ＧＭＬＣ ２７６を選択する。選択された位置選定サーバはＥ-ＣＳＣＦ ２５４によって（または単に仮定によって）転送されたＵＥ位置選定能力に基づいてＳＵＰＬを使用することを決定する。Ｅ-ＣＳＣＦ ２５４はＥ-ＳＬＰ ２７２からの位置選定情報及び／または利用可能な位置選定情報及び緊急サービスの形式に対応するＰＳＡＰの選択を要求する。
【００８０】
ステップ６において提供された位置選定情報によってＥ-ＳＬＰ ２７２がステップ６における要求を満たすのに十分に正確であるＵＥ １１０に関する位置推定を得ることが可能であれば、Ｅ-ＳＬＰ ２７２はステップ１２へ進む。そうでなければ、ＵＥ １１０に関する適当な位置推定を得るためにステップ７〜１１が実行される。
【００８１】
ステップ７において、Ｅ-ＳＬＰ ２７２は位置選定を援用するために個別のＶ-ＳＬＰを使用するかどうかを受信位置選定情報から決定する。そうであるならば、Ｖ-ＳＬＰ（例えば、Ｖ-ＳＬＰ ２７４）はＥ-ＣＳＣＦ ２５４から受取られた位置選定情報に基づいて選択される。Ｅ-ＳＬＰ ２７２は、（ａ）Ｖ-ＳＬＰが選択されたならばＳＵＰＬ １．０ローミング支援、或いは（ｂ）Ｖ-ＳＬＰが選択されなかったならばＳＵＰＬ １．０非ローミング支援に関して使用されるものと類似する手続きを使用して次のＳＵＰＬ位置選定を実行する際にＨ-ＳＬＰとして働く。ローミングの場合には、Ｅ-ＳＬＰ ２７２はＶ-ＳＬＣ ４２２といくつかの予備ＲＬＰ信号通信を交換するが、それは図５には示されていない。そしてＥ-ＳＬＰ ２７２はＳＵＰＬにおけるプロキシまたは非プロキシ・モードのいずれかを使用してＵＥ １１０と共にネットワーク開始位置選定手続きを推進するためにＳＵＰＬ ＩＮＩＴを生成する。Ｅ-ＳＬＰ ２７２は移動体終端ＩＰまたはＵＤＰ／ＩＰを使用してＳＵＰＬ ＩＮＩＴを直接ＵＥ １１０へ送り、その場合にはステップ８は省略される。Ｅ-ＳＬＰ ２７２はまた即時メッセージ（例えば、ＩＭＳ即時メッセージ、または他のいくつかのＩＭＳまたはＳＩＰメッセージ）の中のＳＵＰＬ ＩＮＩＴをＥ-ＣＳＣＦ ２５４へ送る。いずれの場合にも、ＳＵＰＬ ＩＮＩＴは位置決めのために使用されるＳＰＣ（非プロキシ・モードが使用されれば、それはＥ-ＳＰＣ ４１４またはＶ-ＳＰＣ ４２４である）のＩＰアドレス、高速暫定位置推定のための位置品質（ＱｏＰ）精度／遅延要求、プロキシ／非プロキシ・モード標示、認証データ及び／または他の情報を含む。例えば、ＵＥ １１０がそのホーム・ネットワークになければ、Ｅ-ＳＬＰ ２７２がＵＥ １１０のためのＨ-ＳＬＰでなければ、或いはＥ-ＳＬＰ ２７２はＨ-ＳＬＰであるが、Ｈ-ＳＬＰとして振る舞うことを選ばなければ（例えば、緊急呼出の一以上の手続きを支援するのを回避するために）、ＳＵＰＬ ＩＮＩＴはまたＥ-ＳＬＰ ２７２のＩＰアドレスを含む。ＳＵＰＬ ＩＮＩＴはまた緊急呼出標示を、例えば、ＳＵＰＬ ＩＮＩＴ通知パラメータ中に含む。
【００８２】
ステップ８において、Ｅ-ＣＳＣＦ ２５４はＩＭＳ即時メッセージ、他のいくつかのＩＭＳメッセージ、ＳＩＰ １ｘｘ応答（例えば、１８３セッション前進）、或いはステップ２〜４において確立されたＥ-ＣＳＣＦ ２５４、Ｐ-ＣＳＣＦ ２５２及びＵＥ １１０の間の安全なＩＰ関係を使用する他のいくつかのＩＰ準拠メッセージを使用してＰ-ＣＳＣＦ ２５２を介してＳＵＰＬ ＩＮＩＴをＵＥ １１０に送る。
【００８３】
ステップ９において、ＵＥ １１０はＥ-ＳＬＰへの安全なＩＰ（例えば、安全なＴＣＰ／ＩＰ）接続を確立し、それ（Ｅ-ＳＬＰ）はＵＥ １１０のためのＨ-ＳＬＰであり、或いはステップ７において送られたＳＵＰＬ ＥＸＴＥＴにそのアドレスを含む。非プロキシ・モードに関して、ＵＥ １１０はＥ-ＳＬＰ ２７２（示されない）から認証データを取得し、そして相互認証によってＥ-ＳＰＣ ４１４またはＶ-ＳＰＣ ４２４への安全なＩＰ接続を確立する。Ｅ-ＳＬＣ ４１２は非プロキシ・モードに関してＥ-ＳＰＣ ４１４またはＶ-ＳＰＣ ４２４へ情報を搬送する（図５には示されていない）。ＵＥ １１０は受信ＱｏＰと一致する位置選定関連の測定（例えば、近隣セルの信号レベル及び／またはタイミング）、または位置推定（例えば、単体ＧＰＳを使用する）を取得する。ＵＥ １１０はそれからＳＵＰＬ ＰＯＳ ＩＮＩＴを（プロキシ・モードについて）Ｅ-ＳＬＰ ２７２または（図５には示されない非プロキシ・モードについて）Ｅ-ＳＰＣ ４１４またはＶ-ＳＰＣ ４２４のどちらかに返す。ＳＵＰＬ ＰＯＳ ＩＮＩＴはプロキシ・モードにおける認証、ＵＥ位置決め能力、位置推定またはＡ-ＧＰＳ援用データ（それはまたＩＳ-８０１について埋込みＳＵＰＬ ＰＯＳメッセージに含まれる）の要求のために使用されるハッシュ符号を含む。ＳＵＰＬ ＰＯＳ ＩＮＩＴはまた高速暫定位置推定の導出を支援し、そしてさらにＳＵＰＬ ＰＯＳ信号通信を回避する位置選定関連測定を含む。３ＧＰＰについて、測定は近隣基地局またはアクセス点の信号レベル、ＧＰＲＳタイミング進行、ＷＣＤＭＡ Ｒｘ-Ｔｘ時間差を含む。３ＧＰＰ２について、測定はｃｄｍａ２０００または３ＧＰＰ２ ＷＬＡＮに関連する位置選定関連測定を含む。
【００８４】
適当な位置推定（或いは、位置選定測定）がステップ９において受取られなかったならば、ステップ１０において、Ｅ-ＳＬＰ ２７２、Ｅ-ＳＰＣ ４１４またはＶ-ＳＰＣ ４２４は追加ＳＵＰＬ ＰＯＳメッセージをＵＥ １１０と交換する。各ＳＵＰＬ ＰＯＳメッセージは埋込みＲＲＬＰ、ＲＲＣまたはＩＳ-８０１位置決めメッセージを含む。このメッセージ交換は適切な位置決め測定または位置推定がＥ-ＳＬＰ ２７２、Ｅ-ＳＰＣ ４１４またはＶ-ＳＰＣ ４２４に提供されるまで続く。ＳＵＰＬ ＥＮＤがＳＵＰＬ処理を終えるためにＵＥ １１０に返される。
【００８５】
ステップ１２において、Ｅ-ＳＬＰ ２７２、Ｅ-ＳＰＣ ４１４またはＶ-ＳＰＣ ４２４はステップ９またはステップ１０において受取られた位置選定情報からＵＥ １１０に関する暫定位置推定を計算する。非プロキシ・モードについて、Ｅ-ＳＰＣ ４１４またはＶ-ＳＰＣ ４２４は位置推定をＥ-ＳＬＣ ４１２へ搬送する。位置推定に基づいて、そしてステップ６においてＥ-ＣＳＣＦ ２５４によって要求されれば、Ｅ-ＳＬＰ ２７２はＰＳＡＰを選択する。次の説明はＰＳＡＰ １８０が選択されたＰＳＡＰであることを仮定する。ＰＳＡＰ １８０がＰＳＴＮアクセス可能／有能力であれば、Ｅ-ＳＬＰ ２７２は、（ａ）ＰＳＡＰ １８０へ経路指定するために使用される緊急サービス経路指定ディジット（Emergency Services Routing Digit：ＥＳＲＤ）ダイアル不能電話番号（non-dialable directory number）、及び（ｂ）ＰＳＡＰ １８０、Ｅ-ＳＬＰ ２７２及び、一時的に、ＵＥ １１０を識別する緊急サービス経路指定鍵（Emergency Services Routing Key：ＥＳＲＫ）ダイアル不能電話番号を取得する。各ＰＳＡＰはＥ-ＳＬＰ ２７２及びそのＰＳＡＰを識別するＥＳＲＫの集合（プール）と同様に一つのＥＳＲＤと関連する。このＰＳＡＰへのＵＥによる各緊急呼出のために、プールから一つのＥＳＲＫが緊急呼出の期間にＵＥに割当てられる。いくつかのこれらの機能（例えば、ＥＳＲＤ／ＥＳＲＫ管理）はＳＵＰＬの一部として考えられず、そして（例えば、ＮＥＮＡ Ｉ２解において示されたように）、Ｅ-ＳＬＰ ２７２によって問合わせされる個別の物理的或いは論理的実体において支援される。ＥＳＲＤ及びＥＳＲＫはサーキット・モード（例えば、Ｊ-ＳＴＤ-０３６）における緊急呼出支援のために使用される同じ名称の電話番号に対応する。ＥＳＲＤ及びＥＳＲＫはまたＮＥＮＡ Ｉ２解に記載のＥＳＲＮ及びＥＳＱＫにそれぞれ対応する。
【００８６】
ステップ１３において、Ｅ-ＳＬＰ ２７２は、（ａ）ＰＳＡＰ １８０にＩＰ能力があればＰＳＡＰ識別子（それはＳＩＰ ＵＲＬかＩＰアドレスのいずれかである）、或いは（ｂ）ＰＳＡＰ １８０にＰＳＴＮ能力があればＥＳＲＤ及びＥＳＲＫを含む経路指定応答（または緊急位置選定応答）をＥ-ＣＳＣＦ ２５４に返す。経路指定応答はまたＥ-ＣＳＣＦ ２５４によって要求されれば、ＵＥ １１０に関する暫定位置推定含む。Ｅ-ＳＬＰ ２７２はＵＥ １１０について集められた全ての情報を含む呼出記録をＵＥ １１０のために記憶する。
【００８７】
ＰＳＡＰ １８０にＩＰ能力があればステップ１４ａ及び１５ａが実行される。ステップ１４ａにおいて、Ｅ-ＣＳＣＦ ２５４は（ステップ５で受取った）ＳＩＰ ＩＮＶＩＴＥをＰＳＡＰ １８０に送る。ＳＩＰ ＩＮＶＩＴＥはＵＥ １１０に関する暫定位置推定及び恐らく識別子またはアドレス及びＥ-ＳＬＰ ２７２のＩＰアドレスまたは名称を含む。ステップ１５ａにおいて、追加ＳＩＰ信号通信は緊急呼出を確立するために交換される。
【００８８】
ＰＳＡＰ １８０にＰＳＴＮ能力があればステップ１４ｂ、１４ｃ及び１５ｂが実行される。ステップ１４ｂにおいて、Ｅ-ＣＳＣＦ ２５４は突発ゲートウェイ制御機能（Breakout Gateway Control Function：ＢＧＣＦ）を介してＳＩＰ ＩＮＶＩＴＥをＭＧＣＦ２５８に送る。ＳＩＰ ＩＮＶＩＴＥはＵＥ １１０に関する呼戻し番号（例えば、ＭＳＩＳＤＮまたはＭＤＮ）を含み、且つ／またはＥＳＲＤ及びＥＳＲＫを含む（しかし、恐らくは暫定位置推定は含まない）。ステップ１４ｃにおいて、ＭＧＣＦ ２５８はＳＳ７ ＩＳＵＰ及び／またはＭＦ信号通信を使用して、ＰＴＳＮを介して、恐らく選択ルータを介して緊急呼出をＰＳＡＰ １８０に送る。ＥＳＲＤまたはＥＳＲＫは経路指定番号として使用され、そしてＥＳＲＫ及び／または呼戻し番号はＵＥ １１０の識別子として、そしてさらに多くの情報を取得するための鍵として（例えば、ＭＦ ＣＡＭＡ信号通信を介して）ＰＳＡＰ １８０に渡される。ステップ１５ｂにおいて、追加ＳＩＰ信号通信はＳＳ７ ＩＳＵＰと交換され、且つ相互動作し、そして／またはＭＧＣＦ ２５８においてＭＦが緊急呼出を確立するために発生する。
【００８９】
ＩＰ能力のあるＰＳＡＰ及びＰＳＴＮ能力のあるＰＳＡＰのための呼出経路は別々に確立される。ＰＳＴＮ能力のあるＰＳＡＰについて、ＶｏＩＰ（例えば、ＲＴＰ／ＩＰ）とサーキット・モード（例えば、ＰＣＭ）の間の相互動作はＭＧＣＦ ２５８によって制御されたメディア・ゲートウェイ（ＭＧＷ）で発生する。ＩＰ能力のあるＰＳＡＰについて、呼出経路は終端間ＩＰであり、そしてＵＥ １１０とＰＳＡＰ １８０との間で、恐らくは部分的に公衆インターネットまたは内線ＩＰネットワークを介して行くであろうが、どんなＭＧＷも省略するであろう。
【００９０】
ステップ１６において、呼出が確立された後、ＰＳＡＰ １８０は位置選定要求をＥ-ＳＬＰ ２７２に送り、それはステップ１４ａにおいて取得されたＩＰアドレスまたは名称、或いはステップ１４ｃにおいて取得されたＥＳＲＫによって識別される。ＰＳＡＰ １８０は（ＰＳＡＰ １８０にＩＰ能力があれば）ＵＥ公開ユーザー・アドレス を、または（ＰＳＡＰ １８０にＰＳＴＮ能力があれば）呼戻し番号もしくは他のアドレス（例えば、ＭＳＩＳＤＮまたはＭＤＮ）もしくはＥＳＲＫを使用してＵＥ １１０を識別する。位置選定要求は正確な位置推定に関する要求を示す。米国における緊急ＶｏＩＰ呼出について、ＰＳＡＰ １８０にＰＳＴＮ能力があれば位置選定要求はＪＳＴＤ０３６における緊急サービス位置要求と同一であり、そしてＰＳＡＰ １８０にＩＰ能力があればこのメッセージへの拡張である。他のいくつかの世界地域における緊急ＶｏＩＰ呼出について、位置選定要求はＯＭＡ ＭＬＰについて定義された緊急位置選定即時要求と同一である。
【００９１】
ステップ１７において、ＵＥ １１０の最後の既知の位置が通報された地理的領域にＥ-ＳＬＰ ２７２の位置選定能力が拡張しないならば、或いはＶ-ＳＬＰの使用がさらに正確で、信頼できる位置選定を提供するならば、Ｅ-ＳＬＰ ２７２はＶ-ＳＬＰを選択する。Ｅ-ＳＬＰ ２７２はＵＥ １１０の最も最近の位置から、及び／またはＥ-ＣＳＣＦ ２５４によって提供された最も最近のＶ-ＳＬＰアドレスからＶ-ＳＬＰアドレスを得る。正しいＶ-ＳＬＰを保証するために、Ｅ-ＣＳＣＦ ２５４がステップ４におけるＵＥ １１０の再登録の後でこの情報を自動的に全く転送しなければ、Ｅ-ＳＬＰ ２７２はＥ-ＣＳＣＦ２５４からＵＥ １１０の位置選定及び／またはＶ-ＳＬＰアドレスを問合わせる（図５には示されていない）。Ｅ-ＳＬＰ ２７２はそれから移動体終端ＩＰまたはＵＤＰ／ＩＰを使用して（その場合にはステップ１８は省略される）ＳＵＰＬ ＩＮＩＴをＵＥに送ることによって、或いはＳＵＰＬ ＩＮＩＴを含む即時メッセージを送ることによってＵＥ １１０との新しいＳＵＰＬ処理を開く。ＳＵＰＬ ＩＮＩＴはステップ７について上で述べたパラメータを含む。
【００９２】
ステップ１８において、Ｅ-ＣＳＣＦ ２５４はＵＥ １１０へＩＭＳ即時メッセージ内のＳＵＰＬ ＩＮＩＴE、他のいくつかのＩＭＳメッセージ、ＳＩＰメッセージ（例えば、再ＩＮＶＩＴＥ）、またはＰ-ＣＳＣＦ ２５２とＵＥ １１０との間の安全なＩＰ関係を使用する他のいくつかのＩＰ準拠メッセージを転送する。
【００９３】
ステップ１９において、ＵＥ １１０はＥ-ＳＬＰ ２７２への安全なＩＰ接続を確立する。ＵＥ １１０はそれからＵＥ １１０について正確な位置推定を取得するために（ステップ９、１０、１１と同様に）プロキシ・モードについてはＥ-ＳＬＰ ２７２と、或いは非プロキシ・モードについてはＥ-ＳＰＣ ４１４またはＶ-ＳＰＣ ４２４とＳＵＰＬメッセージを交換する。
【００９４】
ステップ２０において、Ｅ-ＳＬＰ ２７２は位置選定応答においてＵＥ １１０についての正確な位置推定をＰＳＡＰ １８０へ送る。米国における緊急呼出について、ＰＳＡＰ １８０にＰＳＴＮ能力があれば、位置選定応答はＥ２インタフェースに関してＪ-ＳＴＤ-０３６における緊急サービス位置応答メッセージと同一である（そしてこのようにＵＥ １１０のＭＳＩＳＤＮのような追加情報を含む）。他のいくつかの世界地域の緊急呼出について、位置選定応答はＯＭＡ ＭＬＰについて定義された緊急位置選定即時回答と同一である。
【００９５】
ＵＥ １１０はそれ以降緊急ＶｏＩＰ呼出のためにＰＳＡＰ １８０と通信する。呼出が後で解除されるとき、Ｅ-ＣＳＣＦ ２５４はＥ-ＳＬＰ ２７２に指示を送り、それはそれから呼出のどんな記録も解除する。Ｅ-ＣＳＣＦ ２５４またはＵＥ １１０はまたステップ２〜４において登録された緊急公開ユーザーＩＤの登録を取り消す。代りに、Ｅ-ＣＳＣＦ ２５４、Ｅ-ＳＬＰ ２７２及びＵＥ １１０は登録及び呼出記録がＰＳＡＰ １８０からＵＥ １１０への可能な後の呼戻し及び／または追加位置選定要求を支援するためにいくらかの時間期間の間持続することを可能にする。
【００９６】
１．２アクセス
ステップ１について、ＵＥ １１０はＧＰＲＳアクセス、ｃｄｍａ２０００アクセス、またはＷＬＡＮアクセスを介してアクセス・ネットワークに接続する。ステップ１は別の形式のアクセスについて別の方法で実行される。
【００９７】
ＧＰＲＳアクセスについて、３ＧＰＰ ＴＲ ２３．８６７に記載のように、ＵＥ １１０は３ＧＰＰアクセス・ネットワークに取付けるためにＧＰＲＳ取付けを行い、そしてＳＧＳＮ ２３２ａ及びＧＧＳＮ ２３２ｂにおいてＩＰ接続を確立するためにＧＰＲＳパケット・データ・プロトコル（ＰＤＰ）文脈稼働化（context activation）を行う。緊急標示がＧＰＲＳ取付けにおいて使用され、そして／または緊急サービスのための広範囲アクセス点名（ＡＰＮ）がＰＤＰ文脈稼働化のために使用され、それはＶ-ＰＬＭＮ １３０におけるＧＧＳＮ及びＰ-ＣＳＣＦの提供を保証する。Ｐ-ＣＳＣＦ ２５２はＰＤＰ文脈稼働化の間に供給されるようにサービスＧＰＲＳ ＰＬＭＮにおけるＰ-ＣＳＣＦである。
【００９８】
３ＧＰＰ ＷＬＡＮアクセスについて、ＵＥ １１０はＷＬＡＮに取付けるためにＷＬＡＮ ＡＡＡ手続きを行い、そしてＰＤＧ ２３６へのＩＰ接続のＩ-ＷＬＡＮトンネル確立を行う。ＵＥ １１０は認証及び承認の要求においてＨ-ＰＬＭＮ １６０とＶ-ＰＬＭＮ１３０の両方を指示するローミング・ネットワーク・アクセス識別子（ＮＡＩ）を使用することによってＶ-ＰＬＭＮ １３０からのサービスを選択する。ローミングＮＡＩは３ＧＰＰ ＴＳ ２３．２３４及びＴＳ ２３．００８に記載されている。これはＵＥ １１０がＩＭＳサービスへのＩＰアクセスをＨ-ＰＬＭＮ １６０におけるＰＤＧ（Ｈ-ＰＬＭＮ １６０が遠ければそれはＰＳＡＰアクセスを制限する）からではなくＶ-ＰＬＭＮ １３０におけるＰＤＧ ２３６から取得することを保証する。緊急サービスのための広範囲ＷＬＡＮ ＡＰＮ（Ｗ-ＡＰＮ）はＰＤＧ発見及びトンネル確立のために使用される。このサービスは広範囲固有外部ネットワーク識別子（緊急サービスの支援のための）及びＶ-ＰＬＭＮ識別子を使用する。Ｐ-ＣＳＣＦ ２５２はＷＬＡＮと関連するＶ-ＰＬＭＮにおけるＰ-ＣＳＣＦであり、そしてＷ-ＡＰＮ上のＤＮＳ問合わせによって見付けられる。
【００９９】
ｃｄｍａ２０００アクセスについて、サービスはＨ-ＰＬＭＮ １６０ではなくＶ-ＰＬＭＮ １３０から取得されるので、ＵＥ １１０は移動体ＩＰアドレスよりむしろ単純ＩＰアドレスを取得する。代りに、ＵＥ １１０は移動体ＩＰアドレスについてさらに一般的であるＨ-ＰＬＭＮ １６０からよりむしろＶ-ＰＬＭＮ １３０から移動体ＩＰアドレスを取得する。ＩＰアドレスは恐らくＩＰｖ４アドレスかＩＰｖ６アドレスである。ＵＥ １１０が接続を確立しなかったならば（例えば、割当ＩＰアドレスを持たない）、ＵＥ １１０はポイント・ツー・ポイント・プロトコル（ＰＰＰ）セッションを確立し、そして３ＧＰＰ２ Ｘ．Ｐ００１１Ｄ及びＴＩＡ-８３５-Ｄに記載されているように、Ｖ-ＰＬＭＮ１３０においてＰＤＳＮ ２４２によって認証及び承認を行う。ＵＥ １１０は、例えば、ＰＰＰインターネット・プロトコル制御プロトコル（ＩＰＣＰ）を使用して、単純ＩＰアドレスを取得する。ＵＥ １１０が既にＩＰ接続を確立し、且つＰＤＳＮ ２４２に対するＰＰＰセッションを有するが、単純ＩＰアドレスの代わりにＨ-ＰＬＭＮ １６０において移動体ＩＰアドレスを割当てられるならば、ＵＥ １１０は、単純ＩＰ及び移動体ＩＰアドレスを同時に支援できなければ、あらゆるＩＭＳ登録と同様にこれらのＩＰアドレスと関連するあらゆるパケット・セッションを終了させる（単純ＩＰ及び移動体ＩＰアドレスの同時支援はＴＩＡ-８３５-Ｄにおいて自由選択であり、強制的なＵＥ能力ではない）。ＵＥ １１０はそれからＴＩＡ-８３５-Ｄに記載されているように単純ＩＰアドレスを取得する。ＵＥ １１０が同時に単純ＩＰ及び移動体ＩＰアドレスを支援できれば、ＵＥ１１０は, まだ持っていないならば、単純ＩＰアドレスをただ取得するだけである。
【０１００】
ｃｄｍａ２０００アクセスについて、ＵＥ １１０は、（ａ）ＤＨＣＰサーバまたはＰＤＳＮ ２４２からＰ-ＣＳＣＦドメイン名及びＤＮＳアドレスを取得するためにＤＨＣＰまたはＩＰＣＰを使用して、それから（ｂ）ＤＮＳサーバから一以上のＰ-ＣＳＣＦ ＩＰアドレスを取得するためにＤＮＳを使用して、Ｖ-ＰＬＭＮ １３０においてＰ-ＣＳＣＦを見付ける。ＵＥ １１０が新しいＲＡＮを動かし、且つアクセスするならば、Ｖ-ＰＬＭＮ １３０及びＵＥ １１０は、新しい目標ＰＤＳＮが必要とされ、且つ緊急ＶｏＩＰ呼出が既に確立されていれば、ＴＩＡ-８３５-Ｄに記載された高速ハンドオフ手続きを使用する。これは呼出を終了させ、再確立する必要性を回避する。
【０１０１】
３ＧＰＰ２ ＷＬＡＮアクセスについて、ＵＥ １１０はＡＡＡ、ＩＰアドレス獲得、及びデフォルトＩＰルータとＤＮＳサーバ・アドレス（例えば、ＤＨＣＰを介して）の発見を含む現存のＷＬＡＮアクセス手続きを行う。ＵＥ １１０はそれからＵＥ １１０によってアクセスされたＷＬＡＮの地理的位置から緊急呼出を支援するＰＬＭＮ中のＰＤＩＦにアクセスする。緊急呼出支援ＰＬＭＮが区別できるようにＷＬＡＮは関連するｃｄｍａ２０００ネットワークを公開する。この公開は、例えば、ＩＥＥＥ ８０２．１１ビーコン・フレーム中の関連サービス集合識別子（Service Set Identifiers：ＳＳＩＤ）を送ることによって、或いはＵＥプローブ要求フレームに対する応答を介して、達成される。ＰＬＭＮはそれらが公開される順番によって、それぞれ公開されたＰＬＭＮの指標の使用によって、或いは全てのＰＬＭＮが緊急呼出を支援することを保証する（例えば、要求する）ことによって優先順位を付けられる。最初のＷＬＡＮアクセス、ＡＡＡ、及びＩＰアドレス獲得について、ＵＥ １１０は緊急呼出を支援するように意味され、或いは示されるＰＬＭＮ（例えば、ＳＳＩＤ）を選択する。
【０１０２】
最初のＷＬＡＮアクセス、ＡＡＡ、ＩＰアドレス獲得、及びデフォルトＩＰルータとＤＮＳサーバ・アドレスの発見に続いて、ＵＥ １１０はＩＭＳサービスを標示し、そして緊急呼出を支援するＷＬＡＮによって公開されたＰＬＭＮの一つと関連するドメインを使用する完全条件付きドメイン名（ＦＱＤＮ）を造出する。ＵＥ １１０はそれからＤＮＳサーバから一以上のＰＤＩＦのＩＰアドレスを見付けるためにＦＱＤＮを使用する。ＵＥはＰＤＩＦを選択し、そして３ＧＰＰ２ Ｘ．Ｓ００２８２００に記載された手続きを使用してＩＰｓｅｃトンネルを確立する。これはＵＥ １１０に第二の内部ＩＰアドレスを提供し、それは次のＩＭＳ関連手続きのために使用される。
【０１０３】
ＷＬＡＮからＰＤＩＦへのトンネル確立に続いて、ＵＥ １１０はｃｄｍａ２０００アクセス・ネットワークからＰＤＳＮをアクセスするＵＥと同じ方法で（例えば、ＤＮＳサーバ・アドレス及びドメイン名を取得するためにＤＨＣＰを介して、そしてそれからＰ-ＣＳＣＦ ＩＰアドレスを取得するためにＤＮＳを介して）Ｐ-ＣＳＣＦアドレスを見付ける。この場合には、ＰＤＩＦはＰＤＳＮの代わりにＤＨＣＰ中継エージェントとして働く。ＤＮＳを介するＰＤＩＦ及びＰ-ＣＳＣＦアドレスの発見は緊急呼出の支援が必要とされるという（例えば、ＤＮＳサーバに提供されるにおける）標示を含む。
【０１０４】
ＵＥ １１０が既に不適当なＰＬＭＮにおけるＰＤＩＦに関連（例えば、トンネル）を持っていれば、そしてＵＥ １１０が同時に別のＰＤＩＦへのトンネルを支援していなければ、ＵＥ １１０は現在のＰＤＩＦを介して支援されたあらゆるパケット・セッションを解除し、そして新しい適当なＰＬＭＮにおける新しいＰＤＩＦへのトンネルを選択、且つ確立する前にトンネルをＰＤＩＦに解除する。
【０１０５】
ｃｄｍａ２００或いはＷＬＡＮアクセス・ネットワーク接続のいずれかに続いて、ＵＥ１１０は既知のＶ-ＰＬＭＮドメイン名及びＶ-ＳＬＰ識別子（例えば、ｓｕｐｌ_ｖｓｌｐ＠ｄｏｍａｉｎ_ｎａｍｅ）によるＤＮＳ問合わせを使用してＳＵＰＬ Ｖ-ＳＬＰアドレスを見付ける。
【０１０６】
メッセージの流れ５００はＯＭＡ ＳＵＰＬ １．０版に関係する次の特徴追加を有する。
【０１０７】
（ａ）ＳＵＰＬ ＩＮＩＴにおけるＥ-ＳＬＰアドレスの追加（それはＵＥ １１０において形成されたＨ-ＳＬＰアドレスを無効にし、且つ置換える）。
【０１０８】
（ｂ）ＩＭＳ側（例えば、Ｅ-ＣＳＣＦ ２５４）と位置選定側（例えば、Ｅ-ＳＬＰ ２７２）との間のインタフェース。
【０１０９】
（ｃ）Ｖ-ＳＬＰ ２７４の使用及びＶ-ＳＬＰアドレスの発見。
【０１１０】
（ｄ）移動体終端ＩＰ、ＵＤＰ／ＩＰ、ＳＩＰ、またはＩＭＳ信号通信を使用するＳＵＰＬ ＩＮＩＴの搬送。
【０１１１】
（ｅ）ＳＵＰＬ ＩＮＩＴにおける緊急サービス標示の追加。
【０１１２】
（ｆ）ＳＵＰＬ ＰＯＳ ＩＮＩＴにおける新しい位置測定の追加の選好。
【０１１３】
（ｇ）ＥＣＳＣＦ ２５４とＥＳＬＰとの間のＩＬＰプロトコルの使用（それは現存のＲＬＰに類似する）。
【０１１４】
（ｈ）安全性。
【０１１５】
２．３ＧＰＰ制御平面による緊急ＶｏＩＰ呼出
図６は３ＧＰＰ制御平面位置選定に適用できるネットワーク・アーキテクチャ６００の実施例のブロック図を示す。簡単のために、図６はＧＲＰＳアクセス及び３ＧＰＰ制御平面位置選定によって緊急ＶｏＩＰ呼出を支援するために関連する実体及びインタフェースを単に示す
アクセス・ネットワークはおそらくＧＥＲＡＮまたはＵＴＲＡＮである。Ｖ-ＰＬＭＮ１３０はＰ-ＣＳＣＦ ２５２、ＩＭＳ（例えばＶｏＩＰ）を支援するＥ-ＣＳＣＦ ２５４及びＭＧＣＦ ２５８、パケット交換サービスのためのＳＧＳＮ／ＧＧＳＮ ２３２、及び位置選定サービスのためのＧＭＬＣ ２７６を含む。ＧＭＬＣ ２７６はＥ-ＳＬＰ ２７２を置換し、そして３ＧＰＰ ２３．２７１、第６版に記載のＧＭＬＣの強化版である。Ｖ-ＰＬＭＮ １３０はまた位置選定サービスのためにＥ-ＳＬＰ ２７２及びＶ-ＳＬＰ ２７４を含む（図６には示されていない）。
【０１１６】
実施例において、ＧＭＬＣ ２７６はＥ-ＣＳＣＦ ２５４及びＬｉインタフェースを介して通信し、そしてＰＳＡＰ １８０及びＪ-ＳＴＤ-０３６ Ｅ２’インタフェースを介して通信する。ＧＭＬＣ ２７６及びＥ-ＳＬＰ ２７２について同じＬｉインタフェースの使用はＥ-ＣＳＣＦ ２５４からのＳＵＰＬと３ＧＰＰ制御平面との間の位置選定アーキテクチャ差異を隠蔽する。同様に、ＧＭＬＣ ２７６及びＥ-ＳＬＰ ２７２について同じＪ-ＳＴＤ-０３６’インタフェースの使用はＰＳＡＰ １８０からの位置選定アーキテクチャ差異を隠蔽する。図６における他のインタフェースは当技術分野において既知である。
【０１１７】
２．１呼出設定
図７は３ＧＰＰ制御平面を使用する緊急ＶｏＩＰ呼出設定のためのメッセージの流れ７００の実施例を示す。明確にするために、あまり関係のない実体（例えば、アクセス・ネットワーク１２０、Ｐ-ＣＳＣＦ ２５２、Ｓ／Ｒ ２９２）は図７から省略されているが、下記の説明には含まれる。メッセージの流れ７００はＵＥ １１０がＵＩＣＣを持っていること、そしてＨ-ＰＬＭＮ １６０とＶ-ＰＬＭＮ １３０との間にローミング合意があることを仮定する。
【０１１８】
ステップ１において、ＵＥ １１０がまだＧＰＲＳ取付けされていなければ、ＵＥ １１０は緊急サービス指示によってＧＰＲＳ取付けを実行する。ＧＰＲＳ取付けはＳＧＳＮ２３２ａへのアクセスを取得すること、あらゆる認証を行うこと及びＨ-ＰＬＭＮ １６０におけるＨＬＲ／ＨＳＳ ２６６からＳＧＳＮ ２３２ａへ予約データをダウンロードすることを必要とする。ステップ２において、ＵＥ １１０は緊急サービスのために広範囲ＡＰＮを使用してＰＤＰ文脈稼働化を行う。ＰＤＰ文脈は（例えば、Ｈ-ＰＬＭＮ １６０におけるＧＧＳＮへではなく）Ｖ-ＰＬＭＮ １３０における局部ＧＧＳＮへ割当てられる。ＵＥ １１０はＩＰアドレスを取得し、そしてＰＤＰ文脈稼働化の期間に局部ＳＩＰサーバ・アドレス（例えば、Ｐ-ＣＳＣＦ ２５２）を見付ける。
【０１１９】
ステップ３において、ＳＧＳＮ ２３２はステップ１における緊急指示に基づき緊急呼出の開始、またはステップ２における緊急サービスに関する広範囲ＡＰＮを認識するようになる。ＳＧＳＮ ２３２ａはそれからＵＥ １１０に関する暫定位置推定またはさらに正確な位置推定のいずれかを取得するために３ＧＰＰ ＴＳ ２３．２７１に記載されているパケット交換ネットワーク誘起位置選定要求（Packet Switched Network Induced Location Request：ＰＳ-ＮＩ-ＬＲ）を開始する。ＳＧＳＮ ２３２がＧＭＬＣ ２７６から（例えば、ステップ１７におけるＭＡＰ ＰＳＬを介して）位置推定を取得するために要求を待つならばＰＳ-ＮＩ-ＬＲはさらに速い応答を行う。ＰＳ-ＮＩ-ＬＲは最初のＳＧＳＮによって実行される。ＵＥ １１０が新しいＳＧＳＮに引渡されるならば、新しいＳＧＳＮは別のＰＳ-ＮＩ-ＬＲを実行する必要がない。ステップ４において、一旦、ＵＥについて位置推定が取得されれば、ＳＧＳＮ ２３２は（例えば、現在のセルＩＤから）ＧＭＬＣアドレスを決定し、そしてＧＭＬＣ ２７６へ位置推定、ＵＥ識別、及び／または他の情報を含むＭＡＰ加入者位置選定報告（Subscriber Location Report：ＳＬＲ）を送る。ＵＥ識別子は国際移動体加入者識別子（International Mobile Subscriber Identity：ＩＭＳＩ）、 移動体加入者ＩＳＤＮ番号（Mobile Subscriber ISDN number：ＭＳＩＳＤＮ）、国際移動体機器識別子（International Mobile Equipment Identity：ＩＭＥＩ）、電子通し番号（Electronic Serial Number：ＥＳＭ）、移動体機器識別子（Mobile Equipment Identifier：ＭＥＩＤ）、または他のいくつかの識別子である。ステップ４が実行されれば、ステップ１０及び１１はおそらく省略される。
【０１２０】
ステップ５において、ＵＥ １１０はステップ２において発見されたＳＩＰ ＲＥＧＩＳＴＥＲをＰＣＳＣＦ ２５２へ送る。ＳＩＰ ＲＥＧＩＳＴＥＲは図２のステップ２について上で述べた情報を含み、そしてまたステップ１０及び１１が実行されるべきであればＳＧＳＮアドレスを含む。緊急サービス指示または緊急公開ユーザーＩＤの存在によって、Ｐ-ＣＳＣＦ ２５２はＳＩＰ ＲＥＧＩＳＴＥＲを同じネットワークにおいてＥ-ＣＳＣＦ２５４へ送る。ステップ５はステップ３と並行して実行される。ステップ６において、Ｅ-ＣＳＣＦ ２５４は図５のステップ３と類似して、通常のＩＭＳ登録が発生するＨ-ＰＬＭＮ １６０へＳＩＰ ＲＥＧＩＳＴＥＲを送る。
【０１２１】
ステップ７において、Ｈ-ＰＬＭＮ １６０は２００ ＯＫをＥ-ＣＳＣＦ ２５４に返した後、２００ ＯＫはＵＥ １１０に返される。V-ＰＬＭＮ １３０の中に別のＳＧＳＮへのハンドオフがあれば、ＵＥ １１０はまた再登録する。ＵＥ １１０がその緊急公開ユーザーＩＤを使用して再登録すれば、Ｅ-ＣＳＣＦ ２５４はあらゆる新しい位置選定情報及び／または新しいＳＧＳＮアドレスを転送する。
【０１２２】
図５と同様に、ステップ５、６及び７の代替実施例において、ＵＥ １１０はステップ５においてＳＩＰ ＲＥＧＩＳＴＥＲをＰ-ＣＳＣＦ ２５２へ送った後、Ｐ-ＣＳＣＦ ２５２はＳＩＰ ＲＥＧＩＳＴＥＲを直接Ｈ-ＰＬＭＮ １６０においてＳ-ＣＳＣＦ ２６４またはＩ-ＣＳＣＦ ２６２に送り、そしてＶ-ＰＬＭＮ １３０においてＥ-ＣＳＣＦ ２５４を迂回する。この場合には、Ｐ-ＣＳＣＦ ２５２からのＳＩＰ ２００ ＯＫはＥ-ＣＳＣＦ ２５４よりもむしろＰ-ＣＳＣＦ ２５２に返され、そしてはステップ７において２００ ＯＫをＵＥ １１０に返すであろう。Ｐ-ＣＳＣＦ ２５２の行動は通常の登録に関するものと同様であるので、この代替実施例はＶｏＩＰ緊急呼出を支援するためにＰ-ＣＳＣＦ ２５２に対する特別な影響を減少させ、または回避する。
【０１２３】
ステップ８において、ＵＥ １１０は図５のステップ５について上で述べた情報を含むＳＩＰ ＩＮＶＩＴＥをＰ-ＣＳＣＦ ２５２へ送る。Ｐ-ＣＳＣＦ ２５２はＳＩＰ ＩＮＶＩＴＥをＥ-ＣＳＣＦ ２５４へ送る。
【０１２４】
ステップ９において、パケット・モードに関する３ＧＰＰ制御平面のＵＥ支援に基づいて、Ｅ-ＣＳＣＦ ２５４はサービス・セルまたはステップ８において受取った他の位置選定情報によって示されたＧＭＬＣ ２７６に経路指定要求（Routing Request）を送る。経路指定要求は登録の間に提供されればＳＧＳＮアドレスと同様に図５のステップ６において述べた情報を含む。Ｅ-ＣＳＣＦ ２５４はＧＭＬＣ ２７６、ＧＭＬＣとして働くことが可能な一般的な位置選定サーバ、または他の形式のサーバ（例えば、ＳＬＰ）を選択する。選択された位置選定サーバはＥ-ＣＳＣＦ ２５４によって転送されたＵＥ位置選定能力に基づいて３ＧＰＰ制御平面を使用することを決定する。Ｅ-ＣＳＣＦ ２５４はＧＭＬＣ ２７６からの位置選定情報、及び／または利用可能な位置選定情報及び要求される緊急サービスの形式に対応するＰＳＡＰの選択を要求する。
【０１２５】
ステップ９において提供された位置選定情報によってＧＭＬＣ ２７６がステップ９において要求を満たすのに十分に正確なＵＥ １１０に関する位置推定を得ることが可能になるならば、ＧＭＬＣ ２７６はテップ１２へ進む。ＧＭＬＣ ２７６はまたステップ４においてＳＧＳＮ ２３２からＭＡＰ ＳＬＲを受取るまで待ち、そして適当な位置推定が取得されれば、ステップ１２へ進む。他の場合には、ＵＥ １１０に関する適当な位置推定を取得するためにステップ１及び１１が実行される。
【０１２６】
ステップ１０において、ＧＭＬＣ ２７６は高速暫定位置推定に関するＱｏＰ精度／遅延を含むＭＡＰ提供加入者位置（Provide Subscriber Location：ＰＳＬ）をＳＧＳＮ ２３２へ送る。ステップ４が実行されなければ、ＧＭＬＣ ２７６はステップ９において受取ったあらゆる明白なアドレスまたは位置選定情報（例えば、セルＩＤ）からＳＧＳＮ２３２を決定する。そのような情報が受取られなかったならば、もしくは初めに選択されたＳＧＳＮが誤っている（ステップ１１において受取られた誤り応答）ならば、ＧＭＬＣ２７６はＳＧＳＮアドレスを取得するためにＵＥのＭＳＩまたは疑似ＭＳＩまたはＭＳＩＳＤＮによって標示されたＨＨＳを問合わせる。ステップ１１において、ＳＧＳＮ ２３２はステップ３において取得された位置推定を返し、ステップ３が終了するまで待ち、それから位置推定を返すか、或いはＲＡＮから位置推定を取得し、それから位置推定をＧＭＬＣ ２７６に返す。
【０１２７】
ステップ１２において、ＧＭＬＣ ２７６は位置推定に基づいてＰＳＡＰを選択する。次の説明はＰＳＡＰ １８０が選択されたＰＳＡＰであることを仮定する。ＰＳＡＰにＰＳＴＮ能力があれば、ＧＭＬＣ ２７６はＰＳＡＰ １８０に経路指定するために使用されるＥＳＲＤダイアル不能電話番号、及びＰＳＡＰ １８０、ＧＭＬＣ ２７６及び、一時的に、ＵＥ １１０を識別するＥＳＲＫダイアル不能電話番号を取得する。
【０１２８】
ステップ１３において、ＧＭＬＣ ２７６は図５のステップ１３について上で述べた情報を含む経路指定応答をＥ-ＣＳＣＦ ２５４へ返す。ステップ１４において、緊急呼出は図５のステップ１４ａ、１４ｂ及び１４ｃについて述べたように、ＰＳＡＰ １８０に送られる。ステップ１５において、残りの緊急呼出設定は図５のステップ１５ａ及び１５ｂついて述べたように進む。ステップ１６において、図５のステップ１６について述べたように、ＰＳＡＰ １８０はＧＭＬＣ ２７６に位置選定要求を送る（それはＩＰアドレス／名かＥＳＲＫのいずれかによってステップ１４において示されている）。
【０１２９】
ステップ１７において、ＧＭＬＣ ２７６はＭＡＰ ＰＳＬを正確な位置選定を要求するＳＧＳＮ ２３２に送る。ＧＭＬＣ ２７６はＵＥ １１０に関する最も最近の位置選定情報から、またはＥ-ＣＳＣＦ ２５４からのＳＧＳＮアドレスの更新からＳＧＳＮアドレスを取得する。このアドレスが再ＲＥＧＩＳＴＥＲメッセージにおいて受取られるが、転送されなければ、ＧＭＬＣ ２７６はまたＥ-ＣＳＣＦ ２５４からのＳＧＳＮアドレスを問合わせる。ＧＭＬＣ ２７６はまたＵＥのＭＳＩまたは疑似ＭＳＩまたはＭＳＩＳＤＮによって標示されたＨＨＳからのＳＧＳＮアドレスを問合わせる。ステップ１８において、ＳＧＳＮ ２３２はＲＡＮによってＵＥ １１０の位置決めを推進する。ステップ１９において、ＳＧＳＮ ２３２は位置推定をＧＭＬＣ ２７６に返す。ステップ２０において、図５のステップ２０について述べたように、ＧＭＬＣ ２７６は位置推定をＰＳＡＰ １８０に返す。
【０１３０】
ＵＥ １１０はそれ以降緊急ＶｏＩＰ呼出のためにＰＳＡＰ １８０と通信する。要求が後で解除されるとき、Ｅ-ＣＳＣＦ ２５４はＧＭＬＣ ２７６に指示を送り、それはそれから呼出のいずれの記録も解除する。Ｅ-ＣＳＣＦ ２５４またはＵＥ １１０はまたステップ５〜７において登録された緊急公開ユーザーＩＤの登録を取消す。代りに、Ｅ-ＣＳＣＦ ２５４、ＧＭＬＣ ２７６及びＵＥ １１０はＰＳＡＰ １８０からＵＥ １１０への考えられる後の呼戻しを支援するために登録及び呼戻しをある時間の期間だけ持続させることを可能にする。
【０１３１】
メッセージの流れ７００は統合された方法においてＵＥ １１０について呼出設定及び位置選定を行い、そして次の特徴を持つ。
【０１３２】
（ａ）ＳＧＳＮ ２３２はＵＥ位置選定を取得し、そしてＰＤＰ文脈が稼働されるときはいつでも、及び／またはＧＭＬＣ ２７６によって要求されたならば、それをＧＭＬＣ ２７６に転送（push）する。
【０１３３】
（ｂ）ＧＭＬＣ ２７６はＥ-ＣＳＣＦ ２５４からＵＥ １１０に関する公開ＳＩＰ-ＵＲＩアドレスを受取る。
【０１３４】
（ｃ）ＰＳＡＰ １８０にＰＳＴＮ能力があれば、ＧＭＬＣ ２７６及びＥ-ＣＳＣＦ ２５４は呼出及びＧＭＬＣ ２７６の両方を識別するために使用される情報（例えば、１０桁ＥＳＲＫ）をＰＳＡＰ １８０に転送する。この情報によってＰＳＡＰ １８０は位置選定及び他の情報（例えば、ＭＳＩＳＤＮ、ＳＩＰ ＵＲＩ）を引出すことが可能になる。
【０１３５】
（ｄ）Ｅ-ＣＳＣＦ ２５４と位置選定サーバ（例えば、Ｅ-ＳＬＰ ２７２）との間のＬｉインタフェースはＳＵＰＬが位置決め方法として使用されるときＩ-ＷＬＡＮからの緊急呼出を支援するために使用される。ＵＭＴＳ、ＧＰＲＳ及びＩ-ＷＬＡＮについて同じＬｉインタフェースの使用によってＩＭＳ（例えば、Ｅ-ＣＳＣＦ ２５４）は位置選定解を知らなくても動作することが可能になり、それはＩＭＳの扱いを単純化する。
【０１３６】
（ｅ）ＵＥ １１０がＲＡＮによる位置選定を支援しない（ＳＵＰＬを支援するが、３ＧＰＰ制御平面はしない）ならば、ＳＧＳＮ ２３２はＰＳ-ＮＩ-ＬＲを省略する。
【０１３７】
（ｆ）ＰＳＡＰ １８０はＳＧＳＮ ２３２に未知の特定の位置選定要求、例えば、位置座標に関する特別な精度またはさらに非支援（例えば、ＰＳＡＰ １８０がＥ９１１の位相０または１を支援すれば）を持つ。そのような要求はサーキット切替え緊急呼出のためにＧＭＬＣ ２７６において支援される。
【０１３８】
Ｌｉインタフェースは上で列挙した特徴を達成するために使用される。ＧＭＬＣ及びＥ-ＣＳＣＦ機能が同じプラットフォームによって支援されれば、外部からのLi インタフェースの支援は必要とされない。Ｌｉインタフェースは、ＳＵＰＬについて上に述べたように、ＩＭＳ及びＩＰ準拠サービスと関連する他の特徴を支援するためにあらゆるＩＭＳ実体とＧＭＬＣとの間の使用に拡張される。
【０１３９】
ＳＧＳＮ ２３２はＵＥ １１０のために暫定位置推定（例えば、サービス・セル）に基づいて選択される。ＧＭＬＣ ２７６は同じ暫定位置推定に基づいてＥ-ＣＳＣＦ ２５４によって選択される。暫定位置推定はＳＧＳＮ ２３２からＧＭＬＣ ２７６へ押し込まれ、或いはＧＭＬＣ ２７６によってＳＧＳＮ ２３２から引出される。一つの実体は他の実体を次のように決定する。
【０１４０】
ＳＧＳＮ ２３２は暫定位置推定をＧＭＬＣ ２７６へ転送する。ＳＧＳＮ ２３２はＰＳ-ＮＩ-ＬＲを介してこの暫定位置推定を取得し、現在ＵＥ位置選定（例えば、現在のセルＩＤ）に従ってＧＭＬＣアドレスを決定し、そしてＭＡＰ加入者位置選定報告（ＳＬＲ）を使用して位置推定をＧＭＬＣ ２７６へ送る／押し込む。Ｅ-ＣＳＣＦ ２５４は緊急呼出の経路指定をするためにＰＳＡＰアドレスについてＧＭＬＣ ２７６に問合わせる。ＧＭＬＣ ２７６は暫定位置推定からＰＳＡＰアドレスを決定するためにＳＧＳＮ ２３２からのＭＡＰ ＳＬＲを待つ（必要とされるならば）。
【０１４１】
ＧＭＬＣ ２７６はＳＧＳＮ ２３２から暫定位置推定を引出す。ＳＧＳＮ ２３２はまだＰＳ-ＮＩ-ＬＲを実行するが、ＧＭＬＣがＭＡＰ ＳＬＲ要求を介して位置推定を問合わせるまで位置推定をＧＭＬＣ ２７６に送らないであろう。ＧＭＬＣ ２７６は下記の一つを使用してＳＧＳＮアドレスを決定する。
【０１４２】
（ａ）ＧＭＬＣ ２７６は（ＵＥ １１０がＵＩＣＣ、及びＶ-ＰＬＭＮ １３０において支援されたローミング合意を持っておれば）Ｈ-ＰＬＭＮ １６０においてＨＳＳ ２６６から、或いは（ＵＥ １１０がＵＩＣＣ、及びＶ-ＰＬＭＮ １３０において支援されたローミング合意を持たなければ）Ｖ-ＰＬＭＮ １３０においてＨＳＳ ２５０からＳＧＳＮアドレスを問合わせる。
【０１４３】
（ｂ）ＵＥ １１０は現在のＳＧＳＮアドレス、或いはＩＭＳに送られた各ＲＥＧＩＳＴＥＲ及び再ＲＥＧＩＳＴＥＲメッセージにおいて、或いは緊急呼出のためにＩＭＳに送られた各ＳＩＰ ＩＮＶＩＴＥメッセージにおいてＳＧＳＮアドレスが得られた位置選定情報（例えば、ＧＰＲＳセルＩＤ）を含む。Ｅ-ＣＳＣＦ ２５４はそれからＳＧＳＮアドレスまたは位置選定情報をＧＭＬＣ ２７６に転送する。ＵＥ １１０はあらゆるＳＧＳＮ間の引継ぎに続いてＩＭＳに再登録する。
【０１４４】
３．Ｘ．Ｓ００２４による緊急ＶｏＩＰ呼出
図８はｃｄｍａ２０００ネットワークについてＸ．Ｓ００２４位置選定のために適用できるネットワーク・アーキテクチャ８００の実施例のブロック図を示す。アクセス・ネットワーク１２０はＣＤＭＡ２０００ １Ｘネットワーク、ＣＤＭＡ２０００ １ｘＥＶ-ＤＯネットワーク、３ＧＰＰ ＷＬＡＮ、等々を含む。Ｖ-ＰＬＭＮ １３０はパケット交換サービス（示されていない）についてＩＭＳ（例えば、ＶｏＩＰ）及びＰＤＳＮ ２４２を支援するためにＰ-ＣＳＣＦ ２５２、Ｅ-ＣＳＣＦ ２５４及びＭＧＣＦ２５８を含む。Ｖ-ＰＬＭＮ １３０はＥ-ＰＳ ２８２及びＶ-ＰＳ／ＰＤＥ ２８４（示されたように）を含み、そしてまた位置選定サービスのためにＥ-ＳＬＰ ２７２及びＶ-ＳＬＰ ２７４（示されない）を含む。Ｅ-ＰＳ ２８２は緊急呼出の位置選定についてＨ-ＰＳの代りになる。Ｅ-ＰＳ ２８２及びＶ-ＰＳ／ＰＤＥ ２８４は他のネットワークに在駐する。
【０１４５】
実施例では、ＵＥ １１０はＬＣＳ-ｘインタフェースを介してＥ-ＰＳ ２８２と通信し、そしてＬＣＳ-ｙインタフェースを介してＶ-ＰＳ／ＰＤＥ ２８４と通信する。Ｅ-ＰＳ２８２はＬＣＳ-ｚインタフェースを介してＶ-ＰＳ／ＰＤＥ ２８４と通信し、そしてＪ-ＳＴＤ-０３６ Ｅ２’インタフェースを介してＰＳＡＰ １８０と通信する。ＬＣＳ-ｉインタフェースはＳＵＰＬのためのＲＬＰまたはＬｉ／ＩＬＰ、ＮＥＮＡ Ｉ２解におけるｖ２インタフェース、または他のインタフェースと類似している。ＬＣＳ-ｉインタフェースに関するプロトコルはＳＵＰＬについて使用されるＩＬＰである。ＬＣＳ-ｘ、ＬＣＳ-ｙ及びＬＣＳ-ｚインタフェースはＸ．Ｓ００２４に記載されている。
【０１４６】
３．１呼出設定
図９はＸ．Ｓ００２４を使用する緊急ＶｏＩＰ呼出設定のためのメッセージの流れ９００の実施例を示す。ステップ１において、ＵＥ １１０は、図５のステップ１について上で述べたように、アクセス・ネットワークを見付けて、取付けし、ＩＰ接続を確立し、そして局部ＳＩＰサーバ（例えば、Ｐ-ＣＳＣＦ ２５２）を見付ける。アクセス・ネットワーク接続の後、ＵＥ １１０は既知のＶ-ＰＬＭＮドメイン名及びＶ-ＰＳ識別子（例えば、ｘｓ００２４_ｖｐｓ＠ｄｏｍａｉｎ_ｎａｍｅ）によるＤＮＳ問合わせを使用してＶ-ＰＳアドレスを見付ける。
【０１４７】
ステップ２において、ＵＥ １１０はＳＩＰ ＲＥＧＩＳＴＥＲをＰ-ＣＳＣＦ ２５２に送り、 それはメッセージをＥ-ＣＳＣＦ ２５４に送る。ステップ３において、Ｅ-ＣＳＣＦ ２５４はＳＩＰ ＲＥＧＩＳＴＥＲをＨ-ＰＬＭＮ １６０に送り、そこでは通常のＩＭＳ登録が発生する。ステップ４において、Ｅ-ＣＳＣＦ ２５４は（例えば、Ｈ-ＰＬＭＮ１６０から２００ ＯＫを受取った後）２００ ＯＫをＵＥ １１０に返す。ＵＥ １１０は同じＶ-ＰＬＭＮの中の別のＰＣＦ、ＰＤＳＮまたはＷＬＡＮに渡されたならば再登録する。
【０１４８】
ステップ２、３及び４の代替実施例において、ＵＥ １１０はステップ２においてＳＩＰ ＲＥＧＩＳＴＥＲをＰ-ＣＳＣＦ ２５２へ送った後、Ｐ-ＣＳＣＦ ２５２はＳＩＰ ＲＥＧＩＳＴＥＲをＨ-ＰＬＭＮ １６０においてＳ-ＣＳＣＦ ２６４またはＩ-ＣＳＣＦ ２６２に送り、そしてＶ-ＰＬＭＮ １３０においてＥ-ＣＳＣＦ ２５４を迂回する。この場合には、Ｈ-ＰＬＭＮ １６０からのＳＩＰ ２００ ＯＫはＥ-ＣＳＣＦ ２５４によりもむしろＰ-ＣＳＣＦ ２５２に返され、そしてＰ-ＣＳＣＦ ２５２はステップ４において２００ ＯＫをＵＥ １１０に返すであろう。Ｐ-ＣＳＣＦ ２５２の行動は通常の登録に関するものと似ているので、この代替実施例はＶｏＩＰ緊急呼出を支援するためにＰ-ＣＳＣＦ２５２への特別な影響を減少させ、或いは回避する。
【０１４９】
ステップ５において、ＵＥ １１０はＳＩＰ ＩＮＶＩＴＥをＰ-ＣＳＣＦ ２５２（示されていない）に送り、それはＳＩＰ ＩＮＶＩＴＥをＥ-ＣＳＣＦ ２５４に送る。ステップ６において、Ｅ-ＣＳＣＦ ２５４はＵＥ １１０がＸ．Ｓ００２４を支援すること、そして同じか、もしくは別のネットワークにおいて経路指定要求をＥ-ＰＳ ２８２に送ることを決定する。経路指定要求は図５のステップ６について上で述べた情報、及び登録の間に取得されればＶ-ＰＳアドレスを含む。
【０１５０】
ステップ６において提供された位置選定情報によってＵＥ １１０に関する十分に正確な位置推定を得ることが可能になるならば、Ｅ-ＰＳ ２８２はステップ１２へ進む。他の場合は、ＵＥ １１０に関する適当な位置推定を取得するためにステップ７〜１１が実行される。ステップ７において、Ｅ-ＰＳ ２８２は、（ａ）Ｖ-ＰＳが選択されたならばＸ．Ｓ００２４ローミング支援、或いは（ｂ）Ｖ-ＰＳが選択されなかったならばＸ．Ｓ００２４非ローミング支援のためにそれらと類似した手続きを使用して次のＸ．Ｓ００２４位置選定を実行する際にＨ-ＰＳとして働く。Ｅ-ＰＳ ２８２はＵＥ １１０によってネットワーク開始位置選定手続きを推進するためにＸ．Ｓ００２４ＳＵＰＬ ＩＮＩＴを生成する。Ｅ-ＰＳ ２８２は移動体終端ＩＰまたはＵＤＰ／ＩＰを使用してＳＵＰＬ ＩＮＩＴを直接ＵＥ １１０に送る。Ｅ-ＰＳ ２８２はまた即時メッセージの中のＳＵＰＬ ＩＮＩＴをＥ-ＣＳＣＦ ２５４へ送る。いずれの場合にも、ＳＵＰＬ ＩＮＩＴは位置決めモード、高速暫定位置推定に関するＱｏＰ精度／遅延、Ｅ-ＰＳ ＩＰアドレス、緊急呼出標示、等々を含む。ＳＵＰＬ ＩＮＩＴにおいて搬送されるいずれのＥ-ＰＳアドレスもＵＥ１１０において構成されたＨ-ＰＳアドレスを無効にする。
【０１５１】
ステップ８において、Ｅ-ＣＳＣＦ ２５４はＩＭＳまたはＳＩＰ信号通信を使用してＰ-ＣＳＣＦ ２５２を介してＳＵＰＬ ＩＮＩＴをＵＥ １１０に送る。ステップ９において、ＵＥ １１０はＥ-ＰＳへの安全なＩＰ接続を確立し、それはＵＥ １１０のためのＨ-ＰＳであり、或いはステップ７におけるＳＵＰＬ ＩＮＩＴ中にそのＩＰアドレスを含んでいた。ＵＥ １１０はそれからＵＥ位置選定能力、ＵＥ １１０に関する位置選定情報、ＵＥ １１０に関する位置推定（利用可能であれば）、等々を含むＳＵＰＬ ＩＮＩＴをＥ-ＰＳ ２８２に送る。ＰＳＡＰを決定するのに十分な精度を持つ位置推定がステップ９においてＵＥ １１０から受取られるならば、Ｅ-ＰＳ ２８２はステップ１２へ進み、そしてＳＵＰＬ ＥＮＤを送ることによってＵＥ １１０による位置選定処理を終了する。
【０１５２】
ステップ１０において、Ｅ-ＰＳ ２８２はステップ９において受取られた位置選定情報及びステップ６において受取られた他の位置選定情報に基づいて位置決めを行うために適当な局部ＰＤＥまたは適当な遠隔Ｖ-ＰＳを決定する。Ｅ-ＰＳ ２８２はまたプロキシまたは非プロキシ・モードを使用するかどうか決定する。Ｅ-ＰＳ ２８２はそれから位置決めのためにＶ-ＰＳまたはＰＤＥと対話を行い、そして非プロキシ・モードが選択されるならばＰＤＥ ＩＰアドレスを含むＸ．Ｓ００２４ ＳＵＰＬ ＲＥＳＰＯＮＣＥをＵＥ １１０に送る。ステップ１１において、ＵＥ １１０は３ＧＰＰ２ Ｘ．Ｓ００２４に記載されているように位置決めを継続し、完成させるために非プロキシ・モードについてはＰＤＥと、またはプロキシ・モードについてはＥ-ＰＳ ２８２とＳＵＰＬ ＰＯＳメッセージを交換 する。ＳＵＰＬ ＰＯＳメッセージは埋込まれたＩＳ-８０１を搬送する。位置決めはＵＥ １１０に位置推定を提供し、それはＥ-ＰＳ ２８２に渡される。
【０１５３】
ステップ１２において、Ｅ-ＰＳ ２８２はＰＳＡＰ（例えば、ＰＳＡＰ １８０）を選択し、そしてＰＳＡＰ １８０にＰＴＳＮ能力があればＥＳＲＤ及びＥＳＲＫを取得する。ステップ１３において、ＰＳＡＰ １８０にＩＰ能力があればＰＳＡＰ識別子、ＰＳＡＰ １８０にＰＴＳＮ能力があればＥＳＲＤ及びＥＳＲＫ、そしてＥ-ＣＳＣＦ ２５４によって要求されればＵＥ １１０に関する位置推定を含む経路指定応答をＥ-ＣＳＣＦ ２５４に戻す。Ｅ-ＰＳ ２８２はＵＥについて集められた全ての情報を含む呼出記録をＵＥ１１０のために記憶する。ＰＳＡＰ １８０にＩＰ能力があればステップ１４ａ及び１５ａが実行される。ＳＡＰ １８０にＰＴＳＮ能力があればステップ１４ｂ、１４ｃ及び１５ｂが実行される。ステップ１６において、呼出が確立された後、ＰＳＡＰ １８０は、ステップ１４ａにおいて取得されたＩＰアドレスまたは名前、或いはステップ１４ｃにおいて取得されたＥＳＲＫによって識別された正確な位置推定の位置選定要求をＥ-ＰＳ ２８２へ送る。
【０１５４】
ステップ１７において、Ｅ-ＰＳ ２８２は移動体終端ＩＰまたはＵＤＰ／ＩＰを使用してＳＵＰＬ ＩＮＩＴを直接ＵＥ １１０へ送ることによって（その場合にはステップ１８は省略される）、或いは正確な位置推定のためにＱｏＰ精度／遅延を除くステップ７において述べたパラメータを持つＸ．Ｓ００２４ ＳＵＰＬ ＩＮＩＴを含む即時メッセージをＥ-ＣＳＣＦ ２５４に送ることによってＵＥ １１０との新しいＸ．Ｓ００２４処理を開く。ステップ１８において、Ｅ-ＣＳＣＦ ２５４はＩＭＳ即時メッセージ、ＳＩＰメッセージまたは他のいくつかのメッセージの中のＳＵＰＬ ＩＮＩＴをＵＥ １１０へ転送する。ステップ１９において、ＵＥ １１０はＥ-ＰＳ ２８２へのＩＰ接続（例えば、安全なＩＰ接続）を確立し、そしてＳＵＰＬ ＳＴＡＲＴをＥ-ＰＳ ２８２に返す。Ｅ-ＰＳ ２８２はＳＵＰＬ ＳＴＡＲＴにおけるあらゆる位置選定情報に基づいて、そしてＵＥ １１０に関するあらゆる他の位置選定情報に基づいて位置決めのために適当なＰＤＥまたＶ-ＰＳを決定する。Ｅ-ＰＳ ２８２はそれからＳＵＰＬ ＲＥＳＰＯＮＣＥをＵＥ １１０に返すことによって位置決めを始める。ＵＥ １１０は位置決めを行い、且つＵＥ １１０について正確な位置推定を取得するために、Ｅ-ＰＳ ２８２、局部ＰＤＥ、及び／または遠隔ＰＤＥとＳＵＰＬ ＰＯＳメッセージを交換する。ステップ２０において、Ｅ-ＰＳ ２８２は位置選定応答においてＵＥ １１０に関する正確な位置推定をＰＳＡＰ １８０に送る。
【０１５５】
ＵＥ １１０はそれ以降、緊急ＶｏＩＰ呼出のためにＰＳＡＰ １８０と通信する。要求が後で解除されるとき、Ｅ-ＣＳＣＦ ２５４はＥ-ＰＳ ２８２に指示を送り、それはそれから呼出のあらゆる記録を解除する。Ｅ-ＣＳＣＦ ２５４またはＵＥ １１０はまたステップ２〜４において登録された緊急公開ユーザーＩＤ登録を取り消す。代りに、Ｅ-ＣＳＣＦ ２５４、Ｅ-ＰＳ ２８２及びＵＥ １１０はＰＳＡＰ １８０からＵＥ １１０への可能な後の呼戻し及び／または追加位置選定要求を支援するために登録及び呼出記録がいくらかの時間期間を持続することを可能にする。
【０１５６】
図９のステップ１〜８及びステップ１２〜２０の追加詳細は図５のステップ１〜８及びステップ１２〜２０にそれぞれ記述されている。
【０１５７】
メッセージの流れ５００はＸ．Ｓ００２４に関係する次の特徴がある。
【０１５８】
（ａ）Ｘ．Ｓ００２４ ＳＵＰＬ ＩＮＩＴにおけるＥ-ＰＳアドレスの追加（ それはＵＥ１１０またはＵＩＭにおいて形成されたＨ-ＰＳアドレスを無効にし、そして置換する）。
【０１５９】
（ｂ）ＩＭＳ側（例えば、Ｅ-ＣＳＣＦ ２５４）と位置選定側（例えば、Ｅ-ＰＳ ２８２）との間のインタフェース。
【０１６０】
（ｃ）Ｖ-ＰＳ ２８４の使用及びＶ-ＰＳアドレスの発見。
【０１６１】
（ｄ）移動体終端ＩＰ、ＵＤＰ／ＩＰ、ＳＩＰ信号通信またはＩＭＳ信号通信を使用するＸ．Ｓ００２４ ＳＵＰＬ ＩＮＩＴの搬送。
【０１６２】
（ｅ）Ｘ．Ｓ００２４ ＳＵＰＬ ＩＮＩＴにおける緊急サービス標示の追加。
【０１６３】
（ｆ）Ｅ-ＣＳＣＦ ２５４とＥ-ＰＳ ２８２との間の新プロトコル使用（それはＸ．Ｓ００２４におけるＬＣＳ-ｚインタフェース上のＯＭＡ ＲＬＰまたはＰＳ-ＰＳと類似している）。
【０１６４】
（ｇ）安全性。
【０１６５】
４．ＵＩＣＣ／ＵＩＭ及びローミング合意なしのＵＥの支援
上の説明は、ＵＥ １１０がＵＩＣＣ／ＵＩＭを持つこと、そしてＨ-ＰＬＭＮ １６０及びＶ-ＰＬＭＮ １３０がローミング合意を持つことを仮定しており、それはＶ-ＰＬＭＮ １３０におけるＵＥ登録及びＰＳＡＰ １８０への次の緊急呼出アクセスを可能にする。これがその場合でなければ、ＵＥ １１０はＶ-ＰＬＭＮ １３０においてアクセス、及び登録を行い、そして下記で述べるようにＰＳＡＰ １８０への呼出設定及びＰＳＡＰ １８０からの可能な呼戻しを終了する。ＵＩＣＣ／ＵＩＭ無しの場合におけるＰＳＡＰ １８０からの呼戻しはＶｏＩＰに対して可能であるが、一般に登録されていないＵＥを呼出すことができないためにサーキット切替え緊急アクセスに対して不可能である。
【０１６６】
図１０はＵＩＣＣ／ＵＩＭ無しのＵＥに関する緊急ＶｏＩＰ呼出設定及びＰＳＡＰ呼戻しを支援するネットワーク・アーキテクチャ１０００実施例のブロック図である。ネットワーク・アーキテクチャ１０００は図２及び３で示されたいくつかの実体を含む。ネットワーク・アーキテクチャ１０００は位置選定サーバ２８６を含み、それはＳＬＰ、ＧＭＬＣ、ＰＳ、または他のいくつかの位置選定実体である。
【０１６７】
４．１アクセス
ＵＥ １１０はＧＰＲＳアクセス、３ＧＰＰ ＷＬＡＮアクセス、またはＵＩＣＣなしのＩＭＳアクセスを得る。ＵＥ １１０はまたｃｄｍａ２０００アクセス、３ＧＰＰ ＷＬＡＮアクセス、またはＵＭなしのＩＭＳアクセスを得る。ＵＥ １１０は別の形式のアクセスに関して別の手続きを行う。
【０１６８】
ＧＰＲＳアクセスについて、ＵＥ １１０はＵＩＣＣなし、及び／または３ＧＰＰ ＴＲ２３．８６７に記載のＶ-ＰＬＭＮ １３０においてローミング合意なしの緊急サービスについてＰＤＰ文脈稼働化を実行する。ＧＰＲＳ取付けは疑似（pseudo）ＩＭＳＩを使用して達成され、それはＶ-ＰＬＭＮ １３０におけるＨＳＳ２５０においてＵＥ １１０を登録し、それはＳＧＳＮ間引継ぎの支援を助ける。ＵＥ １１０がＵＩＣＣを持っていなければ、疑似ＩＭＳＩはＩＭＥＩからの固有ＭＣＣ-ＭＮＣ組合せ及びディジットによって造出されるＵＥ １１０がＵＩＣＣを持つが、Ｖ-ＰＬＭＮ １３０へのローミング・アクセスを持たなければ、疑似ＩＭＳＩはＩＭＥＩよりむしろＭＳＩからのディジットによって造出され、それは全てのＩＭＳＩが使用されれば重複疑似ＩＭＳＩを回避する。ＧＰＲＳ取付けはまた識別子としてＩＭＥＩを使用して達成される。
【０１６９】
３ＧＰＰ ＷＬＡＮアクセスについて、ＵＥ １１０は疑似ＩＭＳＩ（例えば、ＧＰＲＳ取付けに使用される同じ疑似ＭＳＩ）から疑似ＮＡＩを次のように造出する：
Pseudo NAI ="n<pseudo IMSI>@V-PLMN_network_domain" 
但し、ｎは緊急呼出のために非認証疑似ＮＡＩの使用を標示する２〜９の範囲の固定ディジットである（０または１は通常のＮＡＩについて既に用いられている）。ＵＥ １１０は最初のアクセス及びＡＡＡ手続きのために疑似ＮＡＩを使用する。
【０１７０】
ＷＬＡＮは緊急サービスのために疑似ＮＡＩを使用してＡＡＡを支援することが可能なＶ-ＰＬＭＮを公開し、或いはこれを支援する能力及び性向を示す優先順位で順番にＶ-ＰＬＭＮを提示する。Ｖ-ＰＬＭＮ １３０は一時的なホーム加入者としてＵＥ １１０を扱い、そしてＡＡＡを省略するか、或いはそれが成功したことを（例えば、認証が成功したことを保証するために周知の鍵を使用することによって）保証する。できる限り通常の手続きに従い、そしてＷＬＡＮ再選択及び引継ぎをよりよく支援するためにＨＳＳ ２５０においてＵＥ １１０を登録することが望ましい。
【０１７１】
ｃｄｍａ２０００アクセスについて、ＵＥ １１０はＰＴＳＮ ２４２とのＰＰＰセッションを確立し、そして、例えば、ＩＥＴＦ ＲＦＣ １６６１に記載されているように、ＰＤＳＮ ２４２からの回線制御プロトコル構成要求（Link Control Protocol (LCP) Configure Request）に応えてＬＣＰ構成要求を返すことによってＰＰＰ確立の期間に認証を拒絶する。ＰＤＳＮ ２４２はＵＩＭなしまたは未認証ＵＥについて緊急呼出を支援し、そしてＵＥ １１０を認証せずにＰＰＰセッション確立を続ける。ＰＤＳＮ ２４２は簡易ＩＰアドレスをＵＥ １１０に割当て、そしてＵＥ １１０が通信する実体を制限するためにＩＰパケット・フィルタリングを適用する。例えば、ＰＤＳＮ ２４２は局部サーバ（例えば、ＤＨＣＰサーバ、ＤＮＳサーバ、及びＰ-ＣＳＣＦ ２５２）との通信、そしてＰＳＡＰアクセスと関連するが、インターネット・アクセスを開いていない実体との通信にＵＥ １１０を制限する。
【０１７２】
ＰＤＳＮ ２４２はいくつかの方法で緊急呼出を通知される。実施例では、ＵＥ １１０は緊急呼出のＩＰアドレス要求を標示するために広範に定義された固有ＩＰアドレスを含むＩＥＣＰ構成要求をＰＤＳＮ ２４２に送る。他の実施例では、標示はＰＰＰ確立において使用され、或いはＰＤＳＮ ２４２はｃｄｍａ２０００ Ａ１０インタフェースを介してＲＡＮ（ＲＲＣ／ＰＣＦ ２２２）から緊急呼出要求の標示を受取る。とにかく、ＰＤＳＮ ２４２は緊急呼出のために簡易ＩＰアドレスを未認証ＵＥに割当てし、そして上で述べたように特別なフィルタリングを使用する。このＩＰアドレス割当はＩＥＴＦ ＲＦＣ １３３２に記載されたＰＰＰ ＩＰＣＰへの強化を介して達成される。ＵＥ １１０が緊急呼出を標示しなければ、ＰＤＳＮ ２４２はＰＰＰ確立及びＩＰアドレス割当を許可しない。
【０１７３】
認証を拒絶する代わりに、ＵＥ １１０は認証がパスワード認証プロトコル（ＰＡＰ）または忌避-ハンドシェーク認証プロトコル（Challenge-Handshake Authentication Protocol：ＣＨＡＰ） ( CHAP )のいずれかを使用して進めることを可能にし、それはＩＥＴＦ ＲＦＣ １３３４及びＲＦＣ １９９４に記載されている。ＵＥ １１０はＣＨＡＰ忌避またはＰＡＰ認証要求を受取り、そしてＵＩＭなしＵＥから緊急呼出を標示する識別を含む応答を送る。この識別子は３ＧＰＰ ＷＬＡＮアクセスのために使用される疑似ＩＭＳＩである。識別子がＶ-ＰＬＭＮ １３０をＵＥ １１０に関するドメインとして標示したならば、ＣＨＡＰまたはＰＡＰ認証はＰＤＳＮ ２４２の視野からＶ-ＰＬＭＮ １３０におけるＡＡＡサーバ２４６へ通常な方法で進む。ＡＡＡサーバ２４６は緊急呼出アクセスを標示するものとして疑似ＩＭＳＩを認識し、そして通常の認証を見送るか、或いは既知の鍵を使用して認証を行う。ＡＡＡサーバ２４６はＩＰアクセスを制限するために、例えば、緊急ＶｏＩＰ要求を認めるが、他形式のアクセスを許さないために、ＰＤＳＮ ２４２によって制限フィルタリングが使用されることを保証する。
【０１７４】
ＰＤＳＮ ２４２は課金（accounting）及び／または記録保管のためにＮＡＩを構築する。ＵＥ １１０がＵＩＭを持っていれば、ＰＤＳＮ ２４２はＵＥの固有国際識別子（ＩＭＳＩ、ＭＩＮ、国際ローミングＭＩＮ-ＩＲＭ）を使用する。ＰＤＳＮ ２４２はまたＵＥ １１０についてＥＳＮまたは他の識別子を使用する。
【０１７５】
３ＧＰＰ ＷＬＡＮについて、ＵＥ １１０がＷＬＡＮにアクセスした後、アクセス点及び認証実体はＵＥ １１０認証を開始し、そしてＵＥ １１０の識別について拡張認証プロトコル（ＥＡＰ）要求または他のいくつかの要求を送る。ＵＥ １１０はＥＡＰ応答または、例えば、ドメインがＵＥ １１０のＨ-ＰＬＭＮを識別するところのｕｓｅｒ＠ｄｏｍａｉｎの形で、ＵＥの識別子を含む他のいくつかの応答を返すことによって応答する。ＵＥ １１０がＶ-ＰＬＭＮ １３０においてＵＩＭまたはローミング合意を持たなければ、ＵＥ １１０は３ＧＰＰ ＷＬＡＮに使用される疑似ＮＡＩと同じか、或いは類似している疑似識別を返す。例えば、疑似識別子のユーザー（例えば、疑似ＩＭＳＩ）部分は、ＵＥ１１０がＵＩＭを持てばＵＥの唯一の国際識別子（例えば、ＩＭＳＩ、ＭＩＮまたはＩＲＭ）を含み、そうでなければＵＩＭまたは固有端末ＩＤ（例えば、ＥＳＮ）からのディジットを含む。ユーザー部分はまたそれが緊急呼出のための疑似識別であることを標示する固有プレフィックス（例えば、固有ディジット）を含む。疑似識別のドメイン部分はＶ-ＰＬＭＮ １３０を標示する。
【０１７６】
アクセス点または認証実体は局部ＡＡＡサーバ、例えば、局部ＡＡＡサーバ２３６を使用して認証を続ける。本当の認証は行われないので、認証は既知の鍵を使用して通常実行されるか、もしくは短縮される。一旦、疑似認証が終了すれば、上で述べたように、アクセス点または関連ルータはＵＥ １１０によるアクセスを制限するためにパケット・フィルタリングを用いる。
【０１７７】
ＵＥ １１０はＷＬＡＮにアクセスし、疑似認証を行い、そしてＰＤＩＦを見付ける。ＵＥ １１０はそれから疑似識別を、例えば、ｃｄｍａ２０００ ＵＥ-ＰＩＤＦ認証のために使用されるＮＡＩの代わりに使用してＰＩＤＦ（または局部ＡＡＡサーバ）に対してそれ自身を識別する。疑似識別はＷＬＡＮ認証に使用されるものと同じか、もしくは類似している。通常の認証及びトンネル確立はそれからＰＤＩＦのいくらかの透明性を達成するために局部ＡＡＡサーバを使用し、且つ既知の鍵を用いて（例えば、３ＧＰＰ２ Ｘ．Ｐ００２８-２００に記載されているように）進行する。代りに、認証は短縮されるか、もしくは中断される。認証の後、ＰＤＩＦはＵＥ １１０によってアクセスを制限するためにパケット・フィルタリングを用いる。
【０１７８】
ＷＬＡＮは上記の手続きを支援することが可能なＶ-ＰＬＭＮを公開し、或いはこれを支援する能力及び性向を標示する優先順位でＶ-ＰＬＭＮを提示する。
【０１７９】
ＩＭＳアクセスについて、ＧＰＰ ＴＲ ２８．８６７及び３ＧＰＰ２ Ｘ．Ｐ００１３-００２Ａに記載されているように、ＵＥ １１０がＶ-ＰＬＭＮにＵＩＣＣ／ＵＩＭ及びローミング合意を持たなければ、ＳＩＰ登録は省略される。これはＰＳＡＰへの緊急呼出設定を可能にするが、呼戻しを支援しない。代りに、ＵＥ １１０はＶ-ＰＬＭＮドメイン名及び緊急非公開ユーザーＩＤ（それはＶ-ＰＬＭＮドメイン名及び疑似ＩＭＳＩを使用して造出される）を含むＳＩＰ ＲＥＧＩＴＥＲを送ることによって登録する。このＳＩＰＲＥＧＩＴＥＲはＥ-ＣＳＣＦ ２５４及びＨＳＳ ２５０において認識されるが、他の実体には透明であろう。
【０１８０】
登録手続きはそれからＶ-ＰＬＭＮ １３０においてＵＥ １１０からＥ-ＣＳＣＦ ２５４（または他のＩＭＳサーバ）へ搬送するかぎり進行する。Ｈ-ＰＬＭＮ １６０における登録は行われないが、Ｅ-ＣＳＣＦ ２５４はＶ-ＰＬＭＮ １３０においてＨＳＳ ２５０にＵＥ １１０を登録するであろう。ＨＳＳ ２５０は一時的な公開ユーザー識別子として（ＨＳＳ ２５０におけるプールから）ＴＥＬ ＵＲＩ及び／または一時的なＳＩＰ ＵＲＩを割当てる。信号通信がＰＳＴＮ上であったならば、ＴＥＬ ＵＲＩは呼出設定においてＰＳＰ １８０へ搬送され、そしてＳＩＰ ＵＲＩがＳＩＰ呼出設定のために搬送される。ＩＭＳ登録及びＩＰ接続が緊急呼出の終了に続くある期間、Ｖ-ＰＬＭＮ １３０及びＵＥ １１０の両方によって維持されるならば、ＵＲＩはＰＳＡＰ １８０からの呼戻しを可能にするであろう。ＴＥＬ ＵＲＩ及びＳＩＰ ＵＲＩは、ＵＥ １１０を広範に識別するために使用されないので、通常の永久アドレスからの差異により一時的なアドレスとしてＰＳＡＰ １８０によって認識される。ＨＳＳ ２５０は完了した緊急呼出から返された一時的なアドレスを「隔離」し、そして間違ったＵＥに誤経路指定されるＰＳＡＰ呼戻しを回避するためにある時間期間にこれらのアドレスを再割当てする。
【０１８１】
呼戻しはいくつかの方法で支援される。ＵＥ １１０がＨ-ＰＬＭＮ １６０において登録されれば、３ＧＰＰ ＴＳ ２３．２２８または３ＧＰＰ２ Ｘ．Ｐ００１３に記載されているように、ＰＳＡＰ １８０からの呼戻しはＵＥ １１０のＳＩＰ ＵＲＩまたはＴＥＬ ＵＲＩ公開ユーザー識別を使用し、そしてＨ-ＰＬＭＮ １６０へ最初に経路指定される。ＳＩＰ能力のあるＰＳＡＰについて、ＳＩＰ ＩＮＶＩＴＥは（ＵＥのＳＩＰ ＵＲＩにおけるＨ-ＰＬＭＮドメイン名に基づいて）Ｈ-ＰＬＭＮ １６０においてＩ-ＣＳＣＦ２６２へ経路指定される。Ｉ-ＣＳＣＦ ２６２はＨ-ＰＬＭＮ １６０においてＳ-ＣＳＣＦ ２６４についてＨＳＳ ２５０を問合わせし、そしてＳ-ＣＳＣＦ ２６４への呼出を経路指定する。Ｓ-ＣＳＣＦ ２６４はそれから前の登録情報に基づいてＶ-ＰＬＭＮ １３０においてＥ-ＣＳＣＦ ２５４またはＰ-ＣＳＣＦ ２５２へ呼出を経路指定する。前者の場合には、Ｅ-ＣＳＣＦ ２５４はＳ-ＣＳＣＦ ２６４によってP-ＣＳＣＦとして扱われ、そしてP-ＣＳＣＦ ２５２を介して呼出をＵＥ １１０に経路指定する。後者の場合には、P-ＣＳＣＦ ２５２は呼出をＵＥ １１０に経路指定する。ＰＳＴＮ能力のあるＰＳＡＰについて、呼出はＵＥ １１０のＴＥＬ ＵＲＩに基づいてＨ-ＰＬＭＮ １６０においてＭＧＣＦにＰＳＴＮを通して経路指定される。ＭＧＣＦはＰＳＴＮ及びＳＩＰ信号通信の間で相互動作し、そしてＳＩＰ ＩＮＶＩＴＥをＨ-ＰＬＭＮ １６０においてＩ-ＣＳＣＦ ２６２へ送る。Ｉ-ＣＳＣＦ ２６２からＵＥ １１０への呼出経路指定はそれからＳＩＰ能力のあるＰＳＡ Ｐについて同じ仕方で進行するであろう。
【０１８２】
ＵＥ １１０が（例えば、ＵＩＣＣ／ＵＩＭ及び／またはＶ-ＰＬＭＮ １３０とのローミング合意がないために）Ｈ-ＰＬＭＮ １６０において登録されなければ、ＵＥ １１０はＶ-ＰＬＭＮ １３０におけるＨＳＳ ２５０において登録される。ＨＳＳ ２５０は一時的なＴＥＬ ＵＲＩまたはＳＩＰ ＵＲＩ公開ユーザー識別子をＵＥ １１０に割当てる。ＰＳＡＰからの呼戻しはＨＰＬＭＮ １６０を含まないで、ＳＩＰ能力のあるＰＳＡＰについてはＩ-ＣＳＣＦ ２６２へ、或いはＰＳＴＮ能力のあるＰＳＡＰについてはＭＧＣＦ２５８へのいずれかに経路指定される。
【０１８３】
４．２呼出設定
図１１はＵＩＣＣ／ＵＩＭなしのＵＥに関する緊急ＶｏＩＰ呼出設定のためのメッセージの流れ１１００の実施例を示す。メッセージの流れ１１００は３ＧＰＰ制御平面位置選定、ＳＵＰＬ、及びＸ．Ｓ００２４のために使用される。
【０１８４】
ステップ１において、上記で述べたように、ＵＥ １１０はアクセス・ネットワークを見付けて接続され、ＩＰ接続を確立し、そして局部ＳＩＰサーバ（例えば、Ｐ-ＣＳＣＦ２５２）を見付ける。ＵＥ １１０はＧＰＲＳまたはｃｄｍａ２０００アクセスのために疑似ＩＭＳＩ、ＷＬＡＮアクセスのために疑似ＮＡＩ、３ＧＰＰ ＷＬＡＮアクセスのために疑似識別を用いる。ＵＥ １１０は疑似識別子（例えば、疑似ＭＳＩ）を使用してＶ-ＰＬＭＮ １３０においてＨＳＳ ２５０に登録する。
【０１８５】
ステップ２において、ＵＥ １１０はステップ１において見付けたＰ-ＣＳＣＦ ２５２にＳＩＰ ＲＥＧＩＳＴＥＲを送ることによってＶ-ＰＬＭＮ ＩＭＳネットワークにおいて登録しようと試みる。ＵＩＣＣ／ＵＩＭなしまたは非ローミングについて、ＳＩＰ ＲＥＧＩＳＴＥＲは緊急サービス標示、Ｖ-ＰＬＭＮドメイン名、ステップ１において取得したＵＥ ＩＰアドレス、Ｖ-ＰＬＭＮドメイン名及び（ＧＰＲＳの）疑似ＩＭＳＩまたは（ｃｄｍａ２０００の）疑似識別を使用して造出された緊急非公開ユーザーＩＤ、及び／または他の情報を含む。再登録のために、ＳＩＰ ＲＥＧＩＳＴＥＲはさらに最初の登録において割当てられた一時的な公開ユーザーＩＤを含む。緊急サービス標示または緊急非公開ユーザーＩＤ（それはＵＥ １１０のためのホーム・ネットワークとしてＶ-ＰＬＭＮ１３０を標示する）の存在のために、Ｐ-ＣＳＣＦ ２５２はＳＩＰ ＲＥＧＩＳＴＥＲをＥ-ＣＳＣＦ ２５４（それは緊急サービス呼出を支援する）へ同じネットワークにおいて送る。送られたＳＩＰ ＲＥＧＩＳＴＥＲはＵＥ １１０に関する位置選定情報を含む。ＳＩＰ ＲＥＧＩＳＴＥＲはまたＶ-ＳＬＰまたはＳＧＳＮアドレス（３ＧＰＰに関する）或いはＶ-ＳＬＰ、ＰＤＳＮまたはＰＤＩＦアドレス（３ＧＰＰ２に関する）を含む。
【０１８６】
ステップ３において、ＵＥ １１０に関する緊急非公開ユーザーＩＤはＶ-ＰＬＭＮ １３０を参照するので、Ｅ-ＣＳＣＦ ２５４は登録情報をＨＳＳ ２５０に、例えば、Ｃｘ-Ｐｕｔ／Ｃｘ-Ｐｕｌｌにおいて送る。ステップ４において、ＨＳＳ ２５０は既に緊急非公開ユーザーＩＤが登録されているかどうか、例えば、ＵＥ １１０が既に登録したか、或いは別のＵＥが同じ非公開ユーザーＩＤを登録したかどうかを確認する。ＨＳＳ ２５０は共通ＵＥ実体ディジット（例えば、共通ＩＭＥＩまたはＥＳＮディジット）によって同じ緊急非公開ユーザーＩＤを持つＵＥを区別し、且つ再登録から（割当てられた一時的な公開ユーザーＩＤを持たない）最初の登録を区別するために、提供されていれば、一時的な公開ユーザーＩＤを使用する。最初の登録について、ＨＳＳ ２５０は緊急非公開ユーザーＩＤ及びＥ-ＣＳＣＦアドレスを記憶し、そして一時的な公開ユーザーＳＩＰ ＵＲＩ及びＴＥＬ ＵＲＩを割当てられ、それらはＥ-ＣＳＣＦ ２５４に返される。
【０１８７】
ステップ５において、Ｅ-ＣＳＣＦ ２５４は２００ ＯＫをＵＥ １１０にＰ-ＣＳＣＦ２５２を介して返す。２００ ＯＫはＨＳＳ ２５０によって割当てられた一時的な公開ユーザーＩＤを含む。別のＳＧＳＮ（ＧＰＲＳアクセスのために）、別のＰＣＦまたはＰＤＳＮ（ｃｄｍａ２０００アクセスのために）、別のＷＬＡＮ（ＷＬＡＮアクセスのために）へ渡されればＵＥ １１０は再登録する。ステップ６において、ＵＥ １１０がＵＩＣＣ／ＵＩＭ及び／またはＶ-ＰＬＭＮ １３０へのローミング・アクセスを持たなければ、ＵＥ １１０は緊急呼出、必要とされる緊急サービスの形式、及び一時的な公開ユーザーＩＤを標示する広範囲ＳＩＰ ＵＲＬまたはＴＥＬ ＵＲＩを含むＳＩＰ ＩＮＶＩＴＥをＰ-ＣＳＣＦ ２５２に送る。Ｐ-ＣＳＣＦ ２５２はＳＩＰ ＩＮＶＩＴＥをＥ-ＣＳＣＦ ２５４に送る。ステップ７において、Ｅ-ＣＳＣＦ ２５４は、図５及び９のステップ６〜１３と図７のステップ９〜１３に述べたように、呼出（例えば、ＰＳＡＰ ＳＩＰ ＵＲＩ、またはＥＳＲＤ及びＥＳＲＫ）についてＰＳＡＰ経路指定情報を取得するために位置選定サーバ２８６と相互動作する。
【０１８８】
ＰＳＡＰ １８０にＩＰ能力があれば、ステップ８ａ及び９ａが実行される。ステップ８ａにおいて、Ｅ-ＣＳＣＦ ２５４はＳＩＰ ＵＲＩを使用してＳＩＰ ＩＮＶＩＴＥをＰＳＡＰ １８０に経路指定する。ＳＩＰ ＩＮＶＩＴＥはＵＥ １１０に関するあらゆる暫定位置推定、位置選定サーバ ２８６のＩＰアドレスまたは名前、及びＵＥ １１０に割当てられた一時的公開ユーザーＳＩＰ ＵＲＩを含む。ステップ９ａにおいて、追加ＳＩＰ信号通信が緊急呼出を確立するために交換される。
【０１８９】
ＰＳＡＰ １８０にＰＳＴＮ能力があれば、ステップ８ｂ、８ｃ及び９ｂが実行される。ステップ８ｂにおいて、Ｅ-ＣＳＣＦ ２５４はＢＧＣＦを介してＳＩＰ ＩＮＶＩＴＥをＭＧＣＦ ２５８に送る。ＳＩＰ ＩＮＶＩＴＥはＵＥ １１０に割当てられたＥＳＲＤ及びＥＳＲＫ及び恐らくは一時的公開ユーザーＴＥＬ ＵＲＩを含む。ステップ８ｃにおいて、ＭＧＣＦ ２５８はＳＳ７ ＩＳＵＰ及び／またはＭＦ信号通信を使用して、恐らくは選択ルータを介して、呼出をＰＴＳＮ上でＰＳＡＰ １８０に経路指定する。ＥＳＲＤまたはＥＳＲＫは経路指定番号として使用され、そしてＥＳＲＫはＵＥ １１０の識別子として、そしてさらに多くの情報を取得する鍵としてＰＳＡＰ １８０に渡される。一時的な公開ユーザーＥ．１６４番号はまた信号通信能力によって許容されるならばＰＳＡＰ１８０に渡される。Ｅ．１６４は国際電話番号システム（the international telephone numbering system）を定義するＩＴＵ-Ｔ規格であり、そしてＥ．１６４番号は地域コードと国別番号から成る。ステップ９ｂにおいて、追加ＳＩＰ信号通信はＳＳ７ ＩＳＵＰと交換され、且つ相互動作し、そして／またはＭＧＣＦ ２５８におけるＭＦが呼出を確立するために発生する。
【０１９０】
ステップ１０において、ＰＳＡＰ １８０は位置選定サーバ２８６に問合わせすることによってＵＥ １１０のために正確な位置推定を取得し、それは呼出設定においてＳＩＰＵＲＩによって標示される。ＰＳＡＰ １８０にＰＴＳＮ能力があるならば、そしてこの番号が呼出設定においてＰＳＡＰ １８０に渡されなかったならば、位置選定サーバ２８６からの応答はＵＥ １１０に割当てられたあらゆる一時的な公開ユーザーＥ．１６４番号を含む。呼出は少しして解除され、例えば無線通信区域の一時的な損失によって中断される。Ｅ-ＣＳＣＦ ２５４はそれから次の呼戻しのためにＰＳＡＰ １８０によってＵＥ１１０の位置選定を支援するために位置選定サーバ２８６に通知する前に一定期間を待機する。
【０１９１】
ＰＳＡＰ １８０はその一時的な公開ユーザーＩＤを使用してＵＥ １１０を呼戻そうと試みる。ステップ１１ａはＳＩＰ可能なＰＳＡＰのために実行される。ステップ１１ａにおいて、ＰＳＡＰ １８０はＳＩＰ ＩＮＶＩＴＥをＩ-ＣＳＣＦ ２５８に送り、それはＵＥ １１０に割当てられた一時的な公開ユーザーＳＩＰ ＵＲＩのネットワーク・ドメイン部分によって標示される。ステップ１１ｂ及び１１ｃはＰＳＴＮ可能なＰＳＡＰについて実行される。ステップ１１ｂにおいて、ＰＳＡＰ １８０はＩＳＵＰ ＩＡＭ（またはＭＦ呼出設定）をＭＧＣＦ ２５８に送り、それはＵＥ １１０に割当てられた一時的な公開ユーザーＥ．１６４番号における最初のディジットによって標示される。ステップ１１ｃにおいて、ＭＧＣＦ ２５８はステップ１１ｂにおいて受取られたＥ．１６４番号から構築されたＴＥＬ ＵＲＩを含むＳＩＰ ＩＮＶＩＴＥをＩ-ＣＳＣＦ ２５８に送る。
【０１９２】
ステップ１１ｃにおいて、Ｉ-ＣＳＣＦ ２５８はステップ１１ａにおいて受取られた一時的な公開ユーザーＳＩＰ ＵＲＩ、またはステップ１１ｃにおいて受取られた一時的な公開ユーザーＴＥＬ ＵＲＩを含む位置選定問合わせをＨＳＳ ２５０に送る。ステップ１３において、ＨＳＳ ２５０はＵＥ登録情報を見出だし、そしてＥ-ＣＳＣＦ ２５４のアドレスをＩ-ＣＳＣＦ ２５８に返す。ステップ１４において、Ｉ-ＣＳＣＦ ２５８はＳＩＰ ＩＮＶＩＴＥをＥ-ＣＳＣＦ ２５４に送る。ステップ１５ において、Ｅ-ＣＳＣＦ ２５４はＰ-ＣＳＣＦドレスを位置決めし、そしてＳＩＰ ＩＮＶＩＴＥをＰ-ＣＳＣＦ ２５２を介してＵＥ １１０に送る。ステップ１６において、呼出設定は通常の場合におけるように続く。
【０１９３】
ＵＥ １１０はそれ以降ＰＳＰ １８０と通信する。呼出が後で解除されたとき、または少しして、Ｅ-ＣＳＣＦ ２５４は標示を位置選定サーバ２８６に送り、それはそれから呼出のあらゆる記録を解除する。
【０１９４】
５．地理的に遠隔のレガシＰＳＡＰの支援
いくつかの場合に於いて、Ｖ-ＰＬＭＮ及び／またはＳＩＰサーバ（例えば、Ｅ-ＣＳＣＦ ２５４）は地理的にＵＥ １１０から遠く離れている。そのような場合には、ＰＳＴＮが遠隔のＰＳＡＰへのアクセスを支援しないならば、局部ＭＧＣＦを介してＰＳＴＮ能力のあるＰＳＡＰへ呼出を経路指定することは不可能である。下記はこれらの場合を扱うために使用される。
【０１９５】
実施例において、緊急呼出は別のＶ-ＰＬＭＮに方向変更される。ＳＩＰ ＩＮＶＩＴＥの処理の初めに、Ｅ-ＣＳＣＦまたは位置選定サーバ（例えば、ＥＳＬＰ、ＧＭＬＣ等）はその呼出が別のネットワークにおいて呼出サーバに方向変更されるべきであることを決定する。その場合には、好ましい代替サーバのＳＩＰ ＵＲＩを含むＳＩＰ ３ｘｘ方向変更応答（例えば、３０５はプロキシを使用する）はＵＥ １１０に返される。同じアクセス・ネットワークがまだ使用できるならばアクセス及びＩＰ接続手続きは省略されるが、ＵＥ １１０はそれから上で述べたように呼出手続きを再試行する。呼出設定手続きが暫定位置推定及び／または正しいＰＳＡＰ（例えば、ＥＳＲＤ、ＳＩＰ ＵＲＩまたはＩＰアドレス）を決定するところまで進んでいたならば、Ｅ-ＣＳＣＦは方向変更応答の中にこれらを含む。ＵＥ １１０はそれから新しいＰＬＭＮに送られたＳＩＰ ＩＮＶＩＴＥに情報を含み、それは同じ情報を取得するために余分の遅延を回避し、そしてこの情報を取得する能力のないＰＬＭＮの使用を許容する。元のＥ-ＣＳＣＦは位置選定サーバ（例えば、ＥＳＬＰ、ＧＭＬＣ）に通告し、それはそれからＵＥ １１０に関する呼出記録を取り除く。
【０１９６】
別の実施例において、Ｅ-ＣＳＣＦは呼出がさらに旨くＰＳＴＮに送られるＰＳＡＰに近い別のネットワーク（または、同じネットワーク）においてＳＩＰサーバへ呼出を送る。Ｖ-ＰＬＭＮは位置選定機能を含む以前に述べた全ての機能を支援し、且つＵＩＣＣまたはＵＩＭなしのＵＥについて支援し続ける。送られたＳＩＰ ＩＮＶＩＴＥはＰＳＡＰ識別子（例えば、ＳＩＰ ＵＲＩまたはＥＳＲＤ）、位置選定サーバによって割当てられたあらゆるＥＳＲＤ及びＵＩＣＣなしのＵＥのために割当てられた一時的な公開ユーザーＩＤを含む。ＰＳＡＰは位置選定情報についてＶ-ＰＬＭＮにおいて位置選定サーバを問合わせ続け、そしてあらゆる呼戻しは通常の場合についてはＨ-ＰＬＭＮを介してＶ-ＰＬＭＮに送られ、或いはＵＩＣＣなしの場合にはＶ-ＰＬＭＮに向けられる。Ｖ-ＰＬＭＮにおいてこれらの機能の継続的な支援は次のＳＩＰサーバ上の要求を回避し、そしてさらに大きな数の他のネットワークが転送サービスを支援することを可能にしなければならない。
【０１９７】
さらに別の実施例において、市内番号可搬性（Local Number Portability）は、例えば、北米で使われる。ＥＳＲＤ及びＥＳＲＫを返すことに加えて、位置選定サーバ（例えば、Ｅ-ＳＬＰまたはＧＭＬＣ）は直接ＰＳＡＰに到達するＬＥＣ交換またはＰＳＡＰ選択ルータに対応するＩＭＳネットワーク（例えば、Ｅ-ＳＣＳＦ）にＬＲＮ（位置選定経路指定番号）を返す。これに代るものとして、ＩＭＳネットワーク（例えば、Ｅ-ＳＣＳＦまたはＭＧＣＦ）はＥＳＲＤからＬＲＮを取得する。ＬＲＮは（ＭＧＣＦによって取得されなければ）ＭＧＣＦに送られ、そしてＭＧＣＦはＰＳＴＮに次のパラメータを含むＩＳＵＰ ＩＡＭを送る：
呼出相手番号＝ＬＲＮ、
一般アドレス・パラメータ（ＧＡＰ）＝ＥＳＲＤ、
「変換された番号（number translated）」に設定されたＦＣＩパラメータ・ビットＭ、呼出側番号＝ＵＥ ＭＳＩＳＤＮまたはＥＳＲＫ、及び
「緊急サービス呼出」（任意）に設定された呼出側区分。
【０１９８】
ＰＳＴＮ（例えば、米国全体における）による番号持運び制（number portability）の支援によって、呼出（ＩＳＵＰ ＩＡＭ）が目的のＬＥＣ ＣＯに正しく経路指定されるか、或いはＭＦ無線通信路（trunks）よりむしろＳＳ７を提供された選択ルータが最後まで使用される。目的ＬＥＣ ＣＯまたは選択的ルータは番号持運び制を支援し、そして呼出を受取るとＬＲＮをそれ自身のものとして認識し、そしてＧＡＰから真の呼出相手番号（ＥＳＲＤ）を取得する。ＥＳＲＤまたは呼出側区分設定の一意性はこれが緊急呼出であることをＬＥＣ ＣＯまたは選択ルータに通知する。その点において、呼出は近くで発したかのようにＰＳＡＰに経路指定される。この実施例はＰＳＴＮ料金交換（例えば、経路指定は変わらない）への新しい影響を回避するが、ＬＥＣ ＣＯまたは選択ルータに影響する。
【０１９９】
６．ＳＵＰＬ及びＸ．Ｓ００２４の安全性
ＳＵＰＬについて、安全性手続きはローミング及び非ローミング・シナリオに関して、及びプロキシまたは非プロキシ・モードによる位置決めのためにＨ-ＳＬＰを置換えるＥ-ＳＬＰ ２７２を支援するために確立される。現存のＳＵＰＬ安全性手続きは一般にＵＥ１１０及びＨ-ＳＬＰの両方において共有鍵に基づき、且つ／またはＨ-ＳＬＰに関係するＵＥ １１０において提供された他の情報（例えば、完全に限定されたドメイン名、基礎Ｘ．５０９公開鍵証明書等）に基づいている。そのような情報はＥ-ＳＬＰ ２７２に利用可能ではない。Ｅ-ＳＬＰ ２７２について、プロキシ及び非プロキシ・モードの認証は下記で述べるように支援される。
【０２００】
Ｘ．Ｓ００２４について、安全性手続きはまた位置決めのためにＨ-ＰＳを置換えるＥ-ＰＳ ２８２を支援するために確立される。現存のＸ．Ｓ００２４安全性手続きは３ＧＰＰ２ Ｘ．Ｓ００２４-０及び３ＧＰＰ２ Ｓ．Ｐ０１１０-０に記載されている。これらの手続きは、ユーザーのためのＨ-ＰＳ及びユーザーのＵＩＭの両方において提供された共通基礎鍵（common root key）を利用する。追加の鍵は提供された基礎鍵から次のように得られる：
（ａ）ＳＵＰＬ ＩＮＩＴがＳＭＳまたはＷＡＰ Ｐｕｓｈを使用して送られ、そして（Ｈ-ＰＳから来たように）認証され、且つ随意に暗号化される安全記憶及び順方向カプセル化（Secure Store and Forward Encapsulation：Ｓ-ＳＡＦＥ）を支援する鍵。
【０２０１】
（ｂ）Ｘ．Ｓ００２４メッセージが暗号化及び認証されてＵＥ １１０とＨ-ＰＳの間で送られるＵＥ １１０とＨ-ＰＳ間のＩＰ接続を支援する鍵。
【０２０２】
（ｃ）Ｘ．Ｓ００２４メッセージが暗号化及び認証されてＵＥ １１０と非プロキシ・モードに関してＰＤＥの間で送られるＵＥ １１０とＰＤＥ間のＩＰ接続を支援する鍵。
【０２０３】
上記で述べた三つの鍵の各々は基礎鍵のあらゆる値について決定論的値があるという意味において確定されている。しかしながら、これらの確定された各々の鍵から、追加の鍵は暗号化及び認証のために導出され、その値はＵＥ及びＨ-ＰＳまたはＰＤＥによって特別な位置決めセッションのために提供される乱数によって決まる。この鍵の導出及び付随の安全性手続きはＩＥＴＦ ＲＦＣ ２２４６に記載の転送層安全性（Transport Layer Security：ＴＬＳ）手続き及びこのＩＥＴＦ文書「転送層安全性（ＴＬＳ）のための予前共有鍵暗号化一式（Pre-Shared Key Ciphersuites for Transport Layer Security (TLS)）」に記載のＰＳＫ-ＴＬＳの変形を利用する。Ｘ．Ｓ００２４が緊急ＶｏＩＰ呼出における位置決めのために使用され、且つＥ-ＰＳ ２８２がＨ-ＰＳでなければ、相互の認証及び暗号化のためにＵＥ １１０及びＥ-ＰＳ ２８２の両方において共通の予め構成された基礎鍵に頼ることはもはや不可能である。
【０２０４】
ＳＵＰＬについて、ＵＥ １１０は緊急呼出の間にさえもＵＥ位置選定への未承認アクセスを回避するためにＥ-ＳＬＰ ２７２を認証する。Ｘ．Ｓ００２４について、ＵＥ １１０及びＥ-ＰＳ ２８２は相互認証を行う。表２は方法Ａ、Ｂ、Ｃ、Ｄ及びＥとして指定された五つの認証方法及び各方法の特徴の一覧表である。
【表２】
0005529219.tif 000003
【０２０５】
方法Ａは最小の認証を提供する。ＳＵＰＬ ＩＮＩＴメッセージが緊急セッションのための位置選定を標示し、そしてＵＥ １１０が現在緊急セッションに携わっていれば、ＵＥ １１０は非認証Ｅ-ＳＬＰまたはＥ-ＰＳからのネットワーク初期化ＳＵＰＬまたはＸ．Ｓ００２４位置選定を許容する。緊急セッションへの制限はいくらかの保護を提供する。ＳＵＰＬについて、ＵＥ １１０はＥ-ＳＬＰ ２７２によって安全性手続きを行使しないことによって方法Ａを選択する。この場合には、Ｅ-ＳＬＰ ２７２はＳＵＰＬ ＰＯＳＩＮＩＴに含まれるＳＵＰＬ ＩＮＩＴハッシュ符号によって、限定してＵＥ識別子をまだ証明することができる。さらに、Ｅ-ＣＳＣＦ ２５４によってＥ-ＳＬＰ ２７２に提供されたＵＥ １１０のＩＰアドレスは正しいＵＥ識別子のいくつかの更なる保証を提供する。Ｘ．Ｓ００２４及びＳＵＰＬについて、ＩＭＳ及びＳＩＰ転送はＶ-ＰＬＭＮ １３０及び／またはＨ-ＰＬＭＮ １６０からの支援及び証明に頼るので、ＩＭＳまたはＳＩＰを介する転送は（移動体終端ＩＰまたはＵＤＰ／ＩＰを介する直接転送が使用されなければ）ＵＥ認証におけるいくらかの追加の信頼性を提供する。
【０２０６】
方法ＢはＴＬＳ公開鍵認証のためのものである。ＵＥ １１０及びＥ-ＳＬＰ ２７２またはＥ-ＰＳ ２８２はＩＥＴＦ ＲＦＣ ２２４６に記載のように、及びまたＯＭＡ ＳＵＰＬ １．０における代替クライアント認証機構「安全ユーザー平面位置選定アーキテクチャ（Secure User Plane Location Architecture）」に記載のようにＴＬＳを使用して公開鍵認証を支援する。この機構はＴＬＳハンドシェーク段階の間にＨ-ＳＬＰまたはＥ-ＰＳによってＵＥに送られたＩＴＵ Ｘ．５０９公開鍵証明を持つＴＬＳを使用してＵＥによるＨ-ＳＬＰまたはＥ-ＰＳの認証を支援する。ＵＥが少なくとも一つの基礎鍵権限を提供されればＵＥはＥ-ＳＬＰまたはＥ-ＰＳの公開鍵を認証できるように、公開鍵証明は一連のディジタル署名を提供し、各署名は次を認証する。公開鍵認証ＴＬＳ手続きは、例えば、次のＳＵＰＬメッセージについて、信号通信の次の暗号化認証において使用する対称鍵の転送を支援する。非プロキシ・モードに関するＵＥ １１０とＳＰＣまたはＰＤＥとの間の認証及び暗号化はまたこれらの鍵によって、またはこれらの鍵からの導出の追加の鍵によって支援される。方法Ｂは（例えば、ＯＭＡによって定義された）一以上の基礎証明権限によるＥ-ＳＬＰまたはＥ-ＰＳ公開鍵の証明、及び緊急ＶｏＩＰ呼出についてＳＵＰＬまたはＸ．Ｓ００２４を支援するＵＥにおける鍵の提供に頼っている。これはＵＥ１１０によるＥ-ＳＬＰ ２７２またはＥ-ＰＳ ２８２の認証、及び、ＳＵＰＬについて、ＳＵＰＬ ＰＯＳ ＩＮＩＴに含まれ、そしてＵＥ １１０によってＥ-ＳＬＰ ２７２に送られた６４ビットＳＵＰＬ ＩＮＩＴハッシュを介してＥＳＬＰ ２７２によるＵＥ １１０の限定認証を保証する。
【０２０７】
方法Ｂについて、ＵＥ １１０（例えば、ＵＩＣＣまたはＵＩＭ）はＵＥがＥ-ＳＬＰ２７２またはＥＰＳ ２８２の公開鍵を証明することを可能にする一以上の基礎公開鍵を提供される。ＵＥ １１０及びＥ-ＳＬＰ ２７２またはＥ-ＰＳ ２８２はＲＦＣ ２２４６に記載のＴＬＳ手続き、及び一以上の安全な公開鍵転送手続き、例えば、ＲＳＡ、ＤＳＳ、またはディフィー-ヘルマンを使用して共有暗号化鍵及びメッセージ認証（ＭＡＣ）鍵を確定する。ＳＵＰＬまたはＸ．Ｓ００２４メッセージの暗号化及び認証は安全なＴＬＳ接続の確立の後で行われる。非プロキシ・モードについて、ＳＵＰＬ １．０において３ＧＰＰ２非プロキシ・モードについて定義された方法は、ＩＥＴＦ ＰＳＫ-ＴＬＳに従って、ＵＥ １１０とＳＵＰＬにおけるＶ-ＳＰＣまたはＨ-ＳＰＣとの間、及びＵＥ １１０とＸ．Ｓ００２４におけるＰＤＥとの間の認証及び暗号化のための共有鍵を生成するために使用される。
【０２０８】
方法ＣはＰＳＫ-ＴＬＳ認証のためのものである。ＵＥ １１０及びＥ-ＳＬＰ ２７２またはＥ-ＰＳ ２８２はＩＥＴＦ草案「転送層安全性（ＴＬＳ）のための予前共有鍵一式（Pre-Shared Key Ciphersuites for Transport Layer Security (TLS)）」に従って（例えば、３ＧＰＰ２ ＳＥＴまたは３ＧＰＰ２ Ｘ．Ｓ００２４-０及びＳ．Ｐ０１１０-０に記載のように）ＰＳＫ-ＴＬＳを支援する。予前共有鍵（ＰＳＫ）は、（ａ）ＵＥ １１０、ＩＭＳネットワーク（例えば、ＥＣＳＣＦ ２５４）及び／またはＥ-ＳＬＰ ２７２またはＥ-ＰＳ ２８２による寄与をうける情報（例えば、無作為情報）、（ｂ）緊急呼出のＳＩＰ確立の間にＵＥ １１０によって、またはＵＥ １１０に送られる情報（例えば、ＳＩＰパラメータ）、（ｃ）（例えば、ＩＰｓｅｃ、ＰＳＫ-ＴＬＳ、ＴＬＳを使用して）ＵＥ １１０からの安全なＩＭＳアクセスを支援するためにＰＣＳＣＦ ２５２及びＵＥ １１０に既に存在する安全性情報、及び／または（ｄ）他の情報から生成される。ＵＥ １１０がＶＰＬＭＮ １３０を介してＨＰＬＭＮ ＩＭＳネットワークによって登録するならば、（ｃ）における安全性情報は利用可能である。
【０２０９】
それを得るために使用されるＰＳＫまたは情報はＳＩＰ登録及び／またはＳＩＰ緊急呼出の開始の間にＵＥ １１０及びＥ-ＳＬＰ ２７２またはＥ-ＰＳ ２８２に利用可能にされ、そしてＰＳＫ-ＴＬＳを使用してＳＵＰＬまたはＸ．Ｓ００２４位置選定のために使用される。これらの実体の間の登録及びＳＩＰ呼出設定の間に確立された信用関係は安全な鍵が導出される安全なＰＳＫまたは共通情報を取得するために使用される。ＳＵＰＬについて、ＵＥ １１０及びＥ-ＳＬＰ ２７２の相互認証はそれからＵＥがＥ-ＳＬＰ ２７２からＵＥ １１０へＳＵＰＬ ＩＮＩＴの転送の後でＥ-ＳＬＰ ２７２へＩＰ（ＰＳＫ-ＴＬＳ）接続を確立するときＰＳＫ-ＴＬＳを使用して支援される。Ｘ．Ｓ００２４について、安全なＰＳＫは残りの安全性情報が３ＧＰＰ２ Ｘ．Ｓ００２４０及びＳ．Ｐ０１１００に記載のように導出される基礎鍵として使用される。
【０２１０】
方法ＣはＳＩＰ登録及び／またはＳＩＰ呼出設定（それはＶ-ＰＬＭＮ １３０及びＨ-ＰＬＭＮ １６０におけるＵＥ １１０の登録及びＵＥ １１０及びＶ-ＰＬＭＮ １３０の相互認証を意味する）の間におけるＵＥ １１０とＩＭＳとの間の安全な接続に頼る。ＵＥ １１０がＵＩＣＣ／ＵＩＭを持っていなければ、或いはＶ-ＰＬＭＮ １３０とＨ-ＰＬＭＮ １６０との間にローミング合意がなければ、Ｖ-ＰＬＭＮ １３０及びＵＥ １１０の相互認証及びＶ-ＰＬＭＮ １３０とＵＥ １１０との間の安全な伝送はＳＩＰ登録及びＳＩＰ呼出設定の間に達成されず、そして生成されたあらゆるＰＳＫはさらに限定された保護を提供するであろう。
【０２１１】
方法Ｄは３ＧＰＰ ＴＳ ３３．２２０または３ＧＰＰ２ ＴＳＧ-Ｓ草稿Ｓ．Ｐ０１０９に記載の一般ブートストラップ・アーキテクチャ（ＧＢＡ）による認証のためのものである。ＵＥ １１０及びＥ-ＳＬＰ ２７２またはＥ-ＰＳ ２８２はＧＢＡを支援する。これによってＵＥ １１０及びＥ-ＳＬＰ ２７２またはＥ-ＰＳ ２８２はＨ-ＰＬＭＮ１６０から安全な共有鍵を取得することが可能になる。ＳＵＰＬについて、この鍵は３ＧＰＰ ＴＳ ３３．２２０または３ＧＰＰ２ ＴＳＧ-Ｓ草稿Ｓ．Ｐ０１０９に記載のように、ＵＥ１１０とＥ-ＳＬＰ ２７２との間のＰＳＫ-ＴＬＳの相互認証を支援するために使用される。この方法は３ＧＰＰプロキシ・モードを支援するためにＳＵＰＬ １．０において使用される。鍵はまた（例えば、 ３ＧＰＰ ＴＳ ３３．２２０に記載されたように）ＨＴＴＰダイジェスト認証、例えば、３ＧＰＰ２ ＴＳＧ-Ｓ草稿Ｓ．Ｐ０１１４に記載のように）ＵＥ １１０とＥ-ＳＬＰ ２７２との間のまさにＨＴＴＰダイジェスト認証、或いは他の形式の認証によってＴＬＳを支援するために使用される。Ｘ．Ｓ００２４について、この鍵は残りの安全性情報が得られる基礎鍵として使用される。
【０２１２】
方法ＤはＨ-ＰＬＭＮ １６０におけるブートストラップ・サービス機能（Bootstrapping Serving Function：ＢＳＦ）からＶ-ＰＬＭＮ １３０におけるＥＳＬＰネットワーク・アプリケーション機能（ＮＡＦ）への鍵情報の転送を可能にするためにＶ-ＰＬＭＮ １３０と同様にＨ-ＰＬＭＮ １６０におけるＧＢＡの支援、及びＶ-ＰＬＭＮ １３０とＨ-ＰＬＭＮ １６０との間のローミング合意に頼っている。
【０２１３】
方法ＥはＳＵＰＬ １．０またはＸ．Ｓ００２４認証のためのものである。ＳＵＰＬについて、ＵＥ １１０がＨ-ＰＬＭＮ １６０にあるならば、Ｅ-ＳＬＰ ２７２はＨ-ＳＬＰであり、そしてＳＵＰＬ １．０において定義された現存の認証機構が使用される。Ｘ．Ｓ００２４について、ＵＥ １１０がＨ-ＰＬＭＮ １６０にあるならば、Ｅ-ＰＳ ２８２はＨ-ＰＳであり、Ｘ．Ｓ００２４において定義された現存の認証機構が使用される。  図１２はＵＥ １１０、アクセス・ネットワーク１２０、Ｅ-ＣＳＣＦ ２５４、及び位置選定サーバ２８６の実施例のブロック図を示す。位置選定サーバ２８６はＥ-ＳＬＰ ２７２、ＧＭＬＣ ２７６、Ｅ-ＰＳ ２８２、及び／または他の実体である。簡単のために、図１２はＵＥ １１０についてただ一つのプロセッサ１２１０、一つのメモリ・ユニット１２１２、及び一つの送受信器１２１４、そしてアクセス／ネットワーク１２０についてただ一つのプロセッサ１２２０、一つのメモリ・ユニット１２１２、一つの送受信器１２２４、及び一つの通信（Ｃｏｍｍ）ユニット１２２６、そしてＥ-ＣＳＣＦ ２５４についてただ一つのプロセッサ１２３０、一つのメモリ・ユニット１２３２、及び一つの送受信器１２３４、そして位置選定サーバ２８６についてただ一つのプロセッサ１２４０、一つのメモリ・ユニット１２４２、及び一つの通信ユニット１２４４を示す。一般に、各実体はいくつものプロセッサ、メモリ・ユニット、送受信器、通信ユニット、制御器、等々を含む。
【０２１４】
下り回線上で、基地局及び／またはアクセス・ネットワーク１２０におけるアクセス点はそれらの通信可能区域（coverage area）内でトラヒック・データ、信号通信、及びパイロットを ＵＥに送る。これらの様々な形式のデータはプロセッサ１２２０によって処理され、そしてアンテナを介して伝送される下り回線信号を生成するために送受信器１２２４によって調整される。ＵＥ １１０において、基地局及び／またはアクセス点からの下り回線信号は位置選定、ＶｏＩＰ、及び他のサービスのために様々な形式の情報を取得するためにアンテナを介して受信され、送受信器１２１４によって調整され、そしてプロセッサ１２１０によって処理される。例えば、プロセッサ１２１０は上記で述べたメッセージの流れについて使用されるメッセージを復号する。メモリ・ユニット１２１２はＵＥ１１０及びアクセス・ネットワーク１２０に関するプログラム・コード及びデータをそれぞれ記憶する。上り回線に関して、ＵＥ １１０はトラヒック・データ、信号通信、及びパイロットを基地局及び／またはアクセス・ネットワーク１２０におけるアクセス点に伝送する。これらのデータはＵＥアンテナを介して伝送される上り回線信号を生成するために、プロセッサ１２１０によって処理され、そして送受信器１２１４によって調整される。アクセス・ネットワーク１２０において、ＵＥ １１０及び他のＵＥからの上り回線信号は送受信器１２２４によって受信され、且つ調整され、そしてさらに様々な形式の情報（例えば、データ、信号通信、報告、等々）を取得するためにプロセッサ１２２０によって処理される。アクセス・ネットワーク１２０は通信ユニット１２２６を介してＥ-ＣＳＣＦ ２５４及び他の実体と通信する。
【０２１５】
Ｅ-ＣＳＣＦ ２５４内で、プロセッサ１２３０はＥ-ＣＳＣＦについて処理を行い、メモリ・ユニット１２３２はプログラム・コード及びＥ-ＣＳＣＦに関するデータを記憶し、そして通信ユニット１２３４はＥ-ＣＳＣＦが他の実体と通信することを可能にする。プロセッサ１２３０は上記で述べたメッセージの流れについてＥ-ＣＳＣＦ ２５４のために処理を行う。
【０２１６】
位置選定サーバ２８６内で、プロセッサ１２４０は位置選定サーバについて位置選定及び／または位置決め処理を行い、メモリ・ユニット１２４２は位置選定サーバのためのプログラム・コード及びデータを記憶し、そして通信ユニット１２４は位置選定サーバが他の実体と通信することを可能にする。プロセッサ１２４０は上で述べたメッセージの流れについて位置選定サーバのために処理を行う。
【０２１７】
ここに述べた技術は様々な手段によって実施される。例えば、これらの技術はハードウェア、ファームウェア、ソフトウェア、またはそれの組合せにおいて実施される。ハードウェア実施について、技術を実行するために使用される処理ユニットは一以上の特定用途向け集積回路（ＡＳＩＣ）、ディジタル信号プロセッサ（ＤＳＰ）、ディジタル信号処理デバイス（ＤＳＰＤ）、プログラマブル論理デバイス（ＰＬＤ）、フィールド・プログラマブル・ゲートアレイ（ＦＰＧＡ）、プロセッサ、コントローラ、マイクロコントローラ、マイクロプロセッサ、電子デバイス、ここに述べた機能を実行するために設計された他の電子ユニット、またはそれらの組合せの中で実施される。
【０２１８】
ファームウェア及び／またはソフトウェア実施について、その技術はここに述べた機能を実行するモジュール（例えば、手続、機能、等々）によって実施される。ファームウェア及び／またはソフトウェア・コードはメモリ（例えば、図１２のメモリ１２１２、１２２２、１２３２及び／または１２４２）に記憶され、そしてプロセッサ（例えば、プロセッサ１２１０、１２２０、１２３０、及び／または１２４０）によって実行される。メモリはプロセッサの中またはプロセッサの外部で実施される。
【０２１９】
見出しはここでは参照のため、そして或るセクションの位置付けにおける助けのために含まれる。これらの見出しはその中に述べた概念の範囲を限定する意図はなく、そしてこれらの概念は全体の仕様を通して他のセクションにおいて適用可能である。
【０２２０】
開示した実施例の前記の記述は当業者が誰でも本発明を行い、あるいは使用することを可能にするために提供される。これらの実施例への様々な修正は当業者にとって直ちに明白であり、そしてここに定義された一般原理は本発明の精神または範囲から逸脱することなく他の実施例に適用される。このように、本発明はここに示した実施例に制限されることを意図していないが、ここに開示された原理及び新奇な特徴と両立する最も広い範囲を与えられるべきである。
以下に本件出願当初の特許請求の範囲に記載された発明を付記する。
［Ｃ１］
緊急インターネット上音声プロトコル（ＶｏＩＰ）呼出を確立する要求を送るために巡回ネットワークによって通信するため、ＵＥに関する最初の位置推定を取得するために巡回ネットワークによって指示された位置選定サーバと相互動作するため、且つ公開安全性回答点（Public Safety Answering Point：ＰＳＡＰ）によって緊急ＶｏＩＰを確立するために巡回ネットワークを介して呼出設定を行うために動作するユーザー機器（ＵＥ）。
［Ｃ２］
さらに緊急ＶｏＩＰ呼出のためにセッション開始プトロコル（Session Initiation Protocol：ＳＩＰ）を利用するために動作する、［Ｃ１］記載のユーザー機器。
［Ｃ３］
さらに緊急ＶｏＩＰ呼出のためにホーム・ネットワークによって登録するためＳＩＰＲＧＩＳＴＥＲを送るために動作する、［Ｃ１］記載のユーザー機器。
［Ｃ４］
さらに緊急ＶｏＩＰ呼出のために巡回ネットワークによって登録するためＳＩＰ ＲＧＩＳＴＥＲを送るために動作する、［Ｃ２］記載のユーザー機器。
［Ｃ５］
ＳＩＰ ＲＧＩＳＴＥＲは巡回ネットワークに関するドメイン名によって形成された緊急秘密ユーザー識別子（ＩＤ）及び疑似国際移動体加入者識別子（International Mobile Subscriber Identity：ＩＭＳＩ）を含む、［Ｃ４］記載のユーザー機器。
［Ｃ６］
さらに一時的な公開ユーザーＩＤを持つＳＩＰ ＲＥＧＩＳＴＥＲに関する応答を受取るために動作する、［Ｃ４］記載のユーザー機器。
［Ｃ７］
さらに緊急ＶｏＩＰ呼出を確立する要求としてＳＩＰ ＩＮＶＩＴＥを送るために動作する、［Ｃ２］記載のユーザー機器。
［Ｃ８］
さらにＳＩＰ ＩＮＶＩＴＥにおいてＵＥに関する位置選定情報を送るために動作し、そしてＵＥに関する最初の位置推定は位置選定情報に基づいて取得される、［Ｃ７］記載のユーザー機器。
［Ｃ９］
さらに緊急ＶｏＩＰ呼出を確立する要求において位置選定能力を送るために動作し、そして位置選定サーバはＵＥの位置選定能力に基づいて選択される、［Ｃ１］記載のユーザー機器。
［Ｃ１０］
さらに緊急ＶｏＩＰ呼出を確立する要求において位置選定能力を送るために動作し、そして位置選定サーバは位置選定情報に基づいて選択される、［Ｃ１］記載のユーザー機器。
［Ｃ１１］
最初の位置推定は呼出経路指定のために使用される粗い位置推定に対応する暫定位置推定である、［Ｃ１］記載のユーザー機器。
［Ｃ１２］
最初の位置推定はＵＥに関する正確な位置推定に対応する最初の位置推定である、［Ｃ１］記載のユーザー機器。
［Ｃ１３］
さらにＵＥに関する更新位置推定の要求をＰＳＡＰから受取るため、そして更新位置推定を取得するため位置選定サーバによって位置決めを行うために動作する、［Ｃ１］記載のユーザー機器。
［Ｃ１４］
さらに安全ユーザー平面位置選定（Secure User Plane Location：ＳＵＰＬ）に従って位置選定サーバによって位置決めを行うために動作する、［Ｃ１３］記載のユーザー機器。
［Ｃ１５］
さらにＸ．Ｓ００２４位置選定に従って位置選定サーバによって位置決めを行うために動作する、［Ｃ１３］記載のユーザー機器。
［Ｃ１６］
さらに３ＧＰＰ制御平面位置選定に従って無線アクセス・ネットワークによって位置決めを行うために動作する、［Ｃ１３］記載のユーザー機器。
［Ｃ１７］
さらに無線アクセス・ネットワーク（ＲＡＮ）にアクセスするため、ＲＡＮを介してネットワークとのＩＰ接続を確立するため、そして緊急ＶｏＩＰ呼出のために局部サーバのＩＰアドレスを見付けるために動作する、［Ｃ１］記載のユーザー機器。
［Ｃ１８］
さらに巡回ネットワークを標示するネットワーク・アクセス識別子（ＮＡＩ）を使用して無線ローカル・エリア・ネットワーク（ＷＬＡＮ）にアクセスするため、ＷＬＡＮを介して巡回ネットワークＩＰ接続を確立するため、そして緊急ＶｏＩＰ呼出のために局部サーバのＩＰアドレスを見付けるために動作する、［Ｃ１］記載のユーザー機器。
［Ｃ１９］
さらに位置選定サーバによって認証を行うために動作する、［Ｃ１］記載のユーザー機器。
［Ｃ２０］
緊急インターネット上音声プロトコル（ＶｏＩＰ）呼出を確立する要求を送るために巡回ネットワークによって通信すること；
ユーザー機器（ＵＥ）に関する最初の位置推定を取得するために巡回ネットワークによって指示された位置選定サーバと相互動作すること；及び
公開安全性回答点（Public Safety Answering Point：ＰＳＡＰ）によって緊急ＶｏＩＰを確立するため巡回ネットワークを介して呼出設定を行うこと、を含む方法。
［Ｃ２１］
緊急ＶｏＩＰ のためにセッション開始プロトコル（Session Initiation Protocol：ＳＩＰ）を利用すること；
緊急ＶｏＩＰのためにホーム・ネットワークまたは巡回ネットワークによって登録するためにＳＩＰ ＲＥＧＩＳＴＥＲを送ること；及び
緊急ＶｏＩＰ呼出を確立するために要求としてＳＩＰ ＩＮＶＩＴＥを送ること、をさらに含む［Ｃ２０］記載の方法。
［Ｃ２２］
ＵＥに関する更新位置推定の要求をＰＳＡＰから受取ること；及び
更新位置推定を取得するために位置選定サーバによって位置決めを行うこと、をさらに含む［Ｃ２０］記載の方法。
［Ｃ２３］
緊急インターネット上音声プロトコル（ＶｏＩＰ）呼出を確立する要求を送るために巡回ネットワークによって通信するための手段；
ユーザー機器（ＵＥ）に関する最初の位置推定を取得するために巡回ネットワークによって指示された位置選定サーバと相互動作するための手段；及び
公開安全性回答点（Public Safety Answering Point：ＰＳＡＰ）によって緊急ＶｏＩＰを確立するため巡回ネットワークを介して呼出設定を行うための手段、を具備する装置。
［Ｃ２４］
緊急ＶｏＩＰ のためにセッション開始プロトコル（Session Initiation Protocol：ＳＩＰ）を利用するための手段；
緊急ＶｏＩＰのためにホーム・ネットワークまたは巡回ネットワークによって登録するためにＳＩＰ ＲＥＧＩＳＴＥＲを送るための手段；及び
緊急ＶｏＩＰ呼出を確立するために要求としてＳＩＰ ＩＮＶＩＴＥを送るための手段、をさらに具備する［Ｃ２３］記載の装置。
［Ｃ２５］
ＵＥに関する更新位置推定の要求をＰＳＡＰから受取るための手段；及び
更新位置推定を取得するために位置選定サーバによって位置決めを行うための手段、をさらに具備する［Ｃ２３］記載の装置。
［Ｃ２６］
ユーザー機器（ＵＥ）に対する緊急インターネット上音声プロトコル（ＶｏＩＰ）呼出を公開安全性回答点（Public Safety Answering Point：ＰＳＡＰ）に経路指定する要求を受取るため、ＵＥに関する最初の位置推定を取得するため、最初の位置推定に基づいてＰＳＡＰを選択するため、且つＰＳＡＰに関する経路指定情報を持つ応答を送るために動作する位置選定サーバ。
［Ｃ２７］
さらにＵＥに関する最初の位置推定を取得するためにＵＥと相互動作するために動作する、［Ｃ２６］記載の位置選定サーバ。
［Ｃ２８］
さらに緊急ＶｏＩＰ呼出を経路指定する要求においてＵＥに関する位置選定情報を受取るため、位置選定情報に基づいて巡回位置選定サーバを決定するため、且つＵＥに関する最初の位置推定を取得するためホーム位置選定サーバとして巡回位置選定サーバ及びＵＥと相互動作するために動作する、［Ｃ２６］記載の位置選定サーバ。
［Ｃ２９］
さらに最初の位置推定を取得するため位置決めを行うメッセージをＵＥに送るために動作する、［Ｃ２６］記載の位置選定サーバ。
［Ｃ３０］
さらに移動体終端ＩＰ、ＵＤＰ／ＩＰまたはＩＰマルチメディア・サブシステム（ＩＭＳ）信号通信を使用してメッセージをＵＥに送るために動作する、［Ｃ２９］記載の位置選定サーバ。
［Ｃ３１］
さらにＵＥに送られたメッセージに位置選定サーバのアドレスを含ませるために動作し、アドレスは位置決めを行うためにＵＥによって使用される、［Ｃ２９］記載の位置選定サーバ。
［Ｃ３２］
さらにＵＥに送られたメッセージに緊急サービスの指示を含ませるために動作する、［Ｃ２９］記載の位置選定サーバ。
［Ｃ３３］
さらにＵＥから位置決めを開始するメッセージ、位置選定情報を含むメッセージを受取るため、且つ位置選定情報に基づいてＵＥに関する最初の位置推定を得るために動作する、［Ｃ２６］記載の位置選定サーバ。
［Ｃ３４］
さらにＵＥから位置決めを開始するメッセージ、位置選定関係測定を含むメッセージを受取るため、且つ位置選定関係測定に基づいてＵＥに関する最初の位置推定を得るために動作する、［Ｃ２６］記載の位置選定サーバ。
［Ｃ３５］
さらにＰＳＡＰからＵＥに関する更新位置推定の要求を受取るため、更新位置推定を取得するためＵＥによって位置決めを行うため、且つ更新位置推定をＰＳＡＰに送るために動作する、［Ｃ２６］記載の位置選定サーバ。
［Ｃ３６］
ＵＥに関する最初の位置推定を一般パケット無線サービス（General Packet Radio Service：ＧＰＲＳ）支援ノードから受取るために動作する、［Ｃ２６］記載の位置選定サーバ。
［Ｃ３７］
さらにＰＳＡＰからＵＥに関する更新位置推定の要求を受取るため、要求をＩＰゲートウェイに送るため、ＩＰゲートウェイから更新位置推定を受取るため、且つ更新位置推定をＰＳＡＰに送るために動作する、［Ｃ２６］記載の位置選定サーバ。
［Ｃ３８］
さらにＵＥによって認証を行うために動作する、［Ｃ２６］記載の位置選定サーバ。
［Ｃ３９］
ユーザー機器（ＵＥ）に関する緊急インターネット上音声プロトコル（ＶｏＩＰ）呼出を公開安全性回答点（Public Safety Answering Point：ＰＳＡＰ）に経路指定する要求を受取ること；
ＵＥに関する最初の位置推定を取得すること；
最初の位置推定に基づいてＰＳＡＰを選択すること；及び
ＰＳＡＰに関する経路指定を持つ応答を送ること、を含む方法。
［Ｃ４０］
移動体終端ＩＰ、ＵＤＰ／ＩＰまたはＩＰマルチメディア・サブシステム（ＩＭＳ）信号通信を使用してＵＥに位置決めを実行するメッセージを送ること、をさらに含む［Ｃ３９］記載の方法。
［Ｃ４１］
ＰＳＡＰからＵＥに関する更新位置推定の要求を受取ること；
更新位置推定を取得するためにＵＥによって位置決めを行うこと；及び
更新位置推定をＰＳＡＰに送ること、をさらに含む［Ｃ３９］記載の方法。
［Ｃ４２］
ユーザー機器（ＵＥ）に関する緊急インターネット上音声プロトコル（ＶｏＩＰ）呼出を公開安全性回答点（ＰＳＡＰ）に経路指定する要求を受取るための手段；
ＵＥに関する最初の位置推定を取得するための手段；
最初の位置推定に基づいてＰＳＡＰを選択するための手段；及び
ＰＳＡＰに関する経路指定を持つ応答を送るための手段、を具備する装置。
［Ｃ４３］
移動体終端ＩＰ、ＵＤＰ／ＩＰまたはＩＰマルチメディア・サブシステム（ＩＭＳ）信号通信を使用してＵＥに位置決めを実行するメッセージを送るための手段をさらに具備する、［Ｃ４２］記載の装置。
［Ｃ４４］
ＰＳＡＰからＵＥに関する更新位置推定の要求を受取るための手段；
更新位置推定を取得するためにＵＥによって位置決めを行うための手段；及び
更新位置推定をＰＳＡＰに送るための手段、をさらに具備する［Ｃ４２］記載の装置。
［Ｃ４５］
３ＧＰＰ２アクセス・ネットワークにアクセスするため、緊急インターネット上音声プロトコル（ＶｏＩＰ）呼出を確立するために要求を３ＧＰＰ２コア・ネットワークへ送るため、ＵＥに関する最初の位置推定を取得するために位置選定サーバと相互動作するため、且つ公開安全性回答点（ＰＳＡＰ）によって緊急ＶｏＩＰ呼出を確立するために３ＧＰＰ２コア・ネットワークを介して呼出設定を行うために動作し、ＰＳＡＰは最初の位置推定に基づいて選択される、ユーザー機器（ＵＥ）。
［Ｃ４６］
さらに安全ユーザー平面位置選定（ＳＵＰＬ）、Ｘ．Ｓ００２４、または３ＧＰＰ２制御平面位置選定に従って位置選定サーバによって位置決めを行うために動作する、［Ｃ４５］記載の装置。
［Ｃ４７］
さらにＰＳＡＰからＵＥに関する更新位置推定を受取るため、更新位置推定を取得するために位置選定サーバによって位置決めを行うため、且つ更新位置推定をＰＳＡＰに送るために動作する、［Ｃ４５］記載の装置。
［Ｃ４８］
ユーザー機器（ＵＥ）によって３ＧＰＰ２アクセス・ネットワークにアクセスすること；
緊急インターネット上音声プロトコル（ＶｏＩＰ）呼出を確立するために要求を３ＧＰＰ２コア・ネットワークへ送ること；
ホーム・ネットワークによって登録を行うこと；
ＵＥに関するに最初の位置推定を取得するために位置選定サーバと相互動作すること；及び
公開安定性回答点（ＰＳＡＰ）によって緊急ＶｏＩＰ呼出を確立するために３ＧＰＰ２コア・ネットワークを介して呼出設定を行い、ＰＳＡＰは最初の位置推定に基づいて選択されること、を含む方法。
［Ｃ４９］
さらにＵＥに関する最初の位置推定を取得するために位置選定サーバと相互動作し、最初の位置推定はＰＳＡＰを選択するために使用される、［Ｃ４８］記載の方法。
［Ｃ５０］
ＰＳＡＰからＵＥに関する更新位置推定の要求を受取ること；
更新位置推定を取得するために位置選定サーバによって位置決めを行うこと；及び
更新位置推定をＰＳＡＰに送ること、をさらに含む［Ｃ４８］記載の方法。
［Ｃ５１］
ユーザー機器（ＵＥ）によって３ＧＰＰ２アクセス・ネットワークにアクセスするための手段；
緊急インターネット・プロトコル上音声（ＶｏＩＰ）呼出を確立するために要求を３ＧＰＰ２コア・ネットワークへ送るための手段；
ホーム・ネットワークによって登録を行うための手段；
ＵＥに関するに最初の位置推定を取得するために位置選定サーバと相互動作するための手段；及び
公開安定性回答点（ＰＳＡＰ）によって緊急ＶｏＩＰ呼出を確立するために３ＧＰＰ２コア・ネットワークを介して呼出設定を行うための手段を具備し、
ＰＳＡＰは最初の位置推定に基づいて選択される装置。
［Ｃ５２］
ＰＳＡＰからＵＥに関する更新位置推定の要求を受取るための手段；
更新位置推定を取得するために位置選定サーバによって位置決めを行うための手段；及び
更新位置推定をＰＳＡＰに送るための手段、を具備する［Ｃ５１］記載の装置。
［Ｃ５３］
緊急インターネット上音声プロトコル（ＶｏＩＰ）呼出を確立する要求を送るために第一の巡回ネットワークと通信するため、そして緊急ＶｏＩＰ呼出のために第一の巡回ネットワークによって選択された第二の巡回ネットワークによって通信するために動作するユーザー機器（ＵＥ）。
［Ｃ５４］
さらに第一の巡回ネットワークから第二の巡回ネットワークにおけるセッション開始プロトコル（ＳＩＰ）の識別子を受取るため、そして第二の巡回ネットワークによって緊急ＶｏＩＰ呼出を確立するためにＳＩＰサーバによって呼出設定を行うために動作する、［Ｃ５３］記載のＵＥ。
［Ｃ５５］
緊急ＶｏＩＰは第一の巡回ネットワークから第二の巡回ネットワークに送られる、［Ｃ５３］記載のＵＥ。
［Ｃ５６］
緊急ＶｏＩＰは位置選定経路指定番号（Location Routing Number：ＬＲＮ）に基づいて公開安全性回答点（ＰＳＡＰ）に経路指定される、［Ｃ５３］記載のＵＥ。
［Ｃ５７］
緊急インターネット上音声プロトコル（ＶｏＩＰ）呼出を確立する要求を送るために巡回ネットワークによって通信するため、緊急ＶｏＩＰ呼出のために巡回ネットワークによって選択された位置選定サーバの認証を行うため、そして緊急ＶｏＩＰ呼出のために少なくとも一つの位置推定を取得するために位置選定サーバと相互動作するために動作するユーザー機器（ＵＥ）。
［Ｃ５８］
さらに位置選定サーバから位置選定処理を開始するメッセージを受取るため、そしてメッセージが緊急呼出の位置選定処理を標示し、且つＵＥが緊急ＶｏＩＰ呼出に従事しているならば、位置選定サーバを認証するために動作する、［Ｃ５７］記載のＵＥ。
［Ｃ５９］
さらに位置選定サーバの公開鍵を証明するためにＵＥにおいて記憶された基礎鍵を使用して転送層安全性（Transport Layer Security：ＴＬＳ）公開鍵認証を行うために動作する、［Ｃ５７］記載のＵＥ。
［Ｃ６０］
ＵＥ及び巡回ネットワークにおいて利用可能な安全な情報に基づいて予前共有鍵（pre-share key：ＰＳＫ）を生成するため、そして予前共有鍵を使用して認証を行うために動作する、［Ｃ５７］記載のＵＥ。
［Ｃ６１］
さらに一般ブートストラップ・アーキテクチャ（Generic Bootstrap Architecture：ＧBＡ）に基づいて証明を行う認証を行うために動作する、［Ｃ５７］記載のＵＥ。
［Ｃ６２］
さらに安全ユーザー平面位置選定（ＳＵＰＬ）１．０版またはＸ．Ｓ００２４に従って認証を行うために動作する、［Ｃ５７］記載のＵＥ。
【図１】
0005529219.tif 000004
【図２】
0005529219.tif 000005
【図３】
0005529219.tif 000006
【図４】
0005529219.tif 000007
【図５】
0005529219.tif 000008
【図６】
0005529219.tif 000009
【図７】
0005529219.tif 000010
【図８】
0005529219.tif 000011
【図９】
0005529219.tif 000012
【図１０】
0005529219.tif 000013
【図１１】
0005529219.tif 000014
【図１２】
0005529219.tif 000015